(57)【要約】サービスＺの運営者が、サーバＸに、サーバＺの記憶する利用者の送付先情報を、サービスＹから利用すること許可する。次に、利用者Ａの携帯端末Ａが、サービスＹを利用し商品ＵＲＬと関連する画像コードを読み取り、サーバＹに送信すると、商品ＵＲＬと利用者ＡのＩＤとがサーバＸに送られ、テーブルに格納される。次に、携帯端末ＡがサービスＺのサーバＺから認証を受けると、サーバＺに記憶された利用者Ａの送付先情報の中から携帯端末Ａで選択された送付先情報を、サーバＸに送り、上記の商品ＵＲＬと送付者ＩＤと関連づけてテーブルに記憶する。サーバＹで利用者Ａが決済を完了すると、サーバＸが決済完了情報を受信すると、サーバＺから受信した送付先情報により商品の発送がされる。
2011092933.tif 000002
【特許請求の範囲】
【請求項１】
第１の利用者が利用する第１のネットサービスを提供する第１のサーバが、前記第１のネットサービスの利用者の中から前記第１の利用者を一意に特定する第１のＩＤに関連付けて記憶する、前記第１の利用者の第１の知人の第１の知人名前情報および前記第１の利用者の第２の知人の第２の知人名前情報を、前記第１の利用者の第１の情報端末に送り、
前記第１の情報端末が、前記第１の知人名前情報および第２の知人名前情報を表示し、
前記第１の利用者が、前記第１の情報端末に表示された前記第１の知人名前情報を選択し、
前記第１の情報端末が、前記第１の知人の選択情報を前記第１のサーバに送り、
前記第１のサーバが、前記第１のＩＤに関連付けて記憶する前記第１の知人の第１の知人住所情報と、前記第１の知人名前情報を第１の物品販売サービスを提供する第２のサーバに送り、
前記第２のサーバが、前記第１の物品販売サービスが販売する第１の商品の第１の商品情報および前記第１の物品販売サービスが販売する第２の商品の第２の商品情報を前記第１の情報端末に送り、
前記第１の情報端末が、前記第１の商品情報および前記第２の商品情報を表示し、
前記第１の情報端末が、前記第１の利用者によって選択された前記第１の商品の選択情報を前記第２のサーバに送り、
前記第２のサーバが、前記第１の商品情報に関連付けて前記第１の知人名前情報および前記第１の知人住所情報を第１の発送処理システムに送ることで、前記第１の商品を前記第１の知人に送る第１の発送処理を実行することを特徴とするシステム。
【請求項２】
第１の利用者が利用する第１のネットサービスを提供する第１のサーバが、前記第１のネットサービスの利用者の中から前記第１の利用者を一意に特定する第１のＩＤに関連付けて記憶する、前記第１の利用者の第１の知人の第１の知人名前情報と前記第１の利用者の第２の知人の第２の知人名前情報とを前記第１の利用者の第１の情報端末に送り、
前記第１の情報端末が、前記第１の知人名前情報および第２の知人名前情報を表示し、
前記第１の利用者が前記第１の情報端末に表示された前記第１の知人名前情報および前記第２の知人名前情報を選択し、
前記第１の情報端末が、前記第１の知人および前記第２の知人の選択情報を前記第１のサーバに送り、
前記第１のサーバが、前記第１の知人名前情報および前記第１のサーバが前記第１のＩＤに関連付けて記憶する前記第１の知人の第１の知人住所情報と、前記第２の知人名前情報および前記第１のサーバが前記第１のＩＤに関連付けて記憶する前記第２の知人の第２の知人住所情報を、第１の物品販売サービスを提供する第２のサーバに送り、
前記第２のサーバが、前記第１の物品販売サービスが販売する第１の商品の第１の商品情報および前記第１の物品販売サービスが販売する第２の商品の第２の商品情報を前記第１の情報端末に送り、
前記第１の情報端末が、前記第１の商品情報および前記第２の商品情報を表示し、
前記第１の情報端末が、前記第１の利用者によって選択された前記第１の商品の選択情報を前記第２のサーバに送り、
前記第２のサーバが、前記第１の商品情報に関連付けて前記第１の知人名前情報および前記第２の知人名前情報を前記第１の情報端末に送り、
前記第１の情報端末が前記第１の商品情報に関連付けた状態で前記第１の知人名前情報および前記第２の知人名前情報を表示し、
前記第１の利用者が前記第１の知人名前情報を選択し、
前記第１の情報端末が、前記第１の知人の選択情報を前記第２のサーバに送り、
前記第２のサーバが、前記第１の商品情報に関連付けて前記第１の知人名前情報および前記第１の知人住所情報を第１の発送処理システムに送ることで、前記第１の商品を前記第１の知人に送る第１の発送処理を実行する特徴とするシステム。
【請求項３】
前記第１のサーバが、前記第１のサーバに記憶した前記第１の利用者の第１の利用者名前情報および第１の利用者住所情報を前記第２のサーバに送り、
前記第２のサーバが、前記第１の利用者名前情報および前記第１の利用者住所情報を前記第１の発送処理システムに送り、前記第１の発送処理に利用することを特徴とする請求項１または２に記載のシステム。
【請求項４】
第１の利用者が利用する第１のネットサービスを提供する第１のサーバが、前記第１のネットサービスの利用者の中から前記第１の利用者を一意に特定する第１のＩＤに関連付けて記憶する、前記第１の利用者の第１の知人の第１の知人名前情報および前記第１の利用者の第１の利用者名前情報を、前記第１の利用者の第１の情報端末に送り、
前記第１の情報端末が、前記第１の知人名前情報および第１の利用者名前情報を表示し、
前記第１の利用者が、前記第１の情報端末に表示された前記第１の利用者名前情報を選択し、
前記第１の情報端末が、前記第１の利用者名前情報の選択情報を前記第１のサーバに送り、
前記第１のサーバが、前記第１のＩＤに関連付けて記憶する前記第１の利用者の第１の利用者住所情報と前記第１の利用者名前情報とを、第１の物品販売サービスを提供する第２のサーバに送り、
前記第２のサーバが、前記第１の物品販売サービスが販売する第１の商品の第１の商品情報および前記第１の物品販売サービスが販売する第２の商品の第２の商品情報を前記第１の情報端末に送り、
前記第１の情報端末が、前記第１の商品情報および前記第２の商品情報を表示し、
前記第１の情報端末が、前記第１の利用者によって選択された前記第１の商品の選択情報を前記第２のサーバに送り、
前記第２のサーバが、前記第１の商品情報に関連付けて前記第１の利用者名前情報および前記第１の利用者住所情報を第１の発送処理システムに送ることで、前記第１の商品を前記第１の利用者に送る第２の発送処理を実行することを特徴とするシステム。
【請求項５】
第２の利用者が利用する第２のネットサービスを提供する第３のサーバが、前記第２のネットサービスの利用者の中から前記第２の利用者を一意に特定する第２のＩＤに関連付けて記憶する、前記第２の利用者の第３の知人の第３の知人名前情報および前記第２の利用者の第４の知人の第４の知人名前情報を、前記第２の利用者の第２の情報端末に送り、
前記第２の情報端末が、前記第３の知人名前情報および第４の知人名前情報を表示し、
前記第２の利用者が、前記第２の情報端末に表示された前記第３の知人名前情報を選択し、
前記第２の情報端末が、前記第３の知人の選択情報を前記第３のサーバに送り、
前記第３のサーバが、前記第２のＩＤに関連付けて記憶する前記第３の知人の第３の知人住所情報と、前記第３の知人名前情報を、前記第２のサーバに送り、
前記第２のサーバが、前記第１の商品情報および前記第２の商品情報を前記第２の情報端末に送り、
前記第２の情報端末が、前記第１の商品情報および前記第２の商品情報を表示し、
前記第２の情報端末が、前記第２の利用者によって選択された前記第１の商品の選択情報を前記第２のサーバに送り、
前記第２のサーバが、前記第１の商品情報に関連付けて前記第３の知人名前情報および前記第３の知人住所情報を前記第１の発送処理システムに送ることで、前記第１の商品を前記第３の知人に送る第３の発送処理を実行することを特徴とする請求項１から４のいずれかに記載のシステム。
【請求項６】
第２の利用者が利用する第２のネットサービスを提供する第３のサーバが、前記第２のネットサービスの利用者の中から前記第２の利用者を一意に特定する第２のＩＤに関連付けて記憶する、前記第２の利用者の第３の知人の第３の知人名前情報と前記第２の利用者の第４の知人の第４の知人名前情報とを前記第２の利用者の第２の情報端末に送り、
前記第２の情報端末が、前記第３の知人名前情報および第４の知人名前情報を表示し、
前記第２の利用者が前記第２の情報端末に表示された前記第３の知人名前情報および前記第４の知人名前情報を選択し、
前記第２の情報端末が、前記第３の知人および前記第４の知人の選択情報を前記第２のサーバに送り、
前記第３のサーバが、前記第３の知人名前情報および前記第３のサーバが前記第２のＩＤに関連付けて記憶する前記第３の知人の第３の知人住所情報と、前記第４の知人名前情報および前記第３のサーバが前記第２のＩＤに関連付けて記憶する前記第４の知人の第４の知人住所情報を、前記第２のサーバに送り、
前記第２のサーバが、前記第１の物品販売サービスが販売する第１の商品の第１の商品情報および前記第１の物品販売サービスが販売する第２の商品の第２の商品情報を前記第２の情報端末に送り、
前記第２の情報端末が、前記第１の商品情報および前記第２の商品情報を表示し、
前記第２の情報端末が、前記第２の利用者によって選択された前記第１の商品の選択情報を前記第２のサーバに送り、
前記第２のサーバが、前記第１の商品情報に関連付けて前記第３の知人名前情報および前記第４の知人名前情報を前記第２の情報端末に送り、
前記第２の情報端末が前記第１の商品情報に関連付けた状態で前記第３の知人名前情報および前記第４の知人名前情報を表示し、
前記第２の利用者が前記第３の知人名前情報を選択し、
前記第２の情報端末が、前記第３の知人の選択情報を前記第２のサーバに送り、
前記第２のサーバが、前記第１の商品情報に関連付けて前記第３の知人名前情報および前記第３の知人住所情報を前記第１の発送処理システムに送ることで、前記第１の商品を前記第３の知人に送る第３の発送処理を実行することを特徴とする、請求項１から４のいずれかに記載のシステム。
【請求項７】
前記システムはさらに、
前記第３のサーバが、前記第３のサーバに記憶した前記第２の利用者の第２の利用者名前情報および第２の利用者住所情報を前記第２のサーバに送り、
前記第２のサーバが、前記第２の利用者名前情報および前記第２の利用者住所情報を前記第１の発送処理システムに送り、前記第３の発送処理に利用することを特徴とする請求項５または６に記載のシステム。
【請求項８】
第２の利用者が利用する第２のネットサービスを提供する第３のサーバが、前記第２のネットサービスの利用者の中から前記第２の利用者を一意に特定する第２のＩＤに関連付けて記憶する、前記第２の利用者の第３の知人の第３の知人名前情報および前記第２の利用者の第２の利用者名前情報を、前記第２の利用者の第２の情報端末に送り、
前記第２の情報端末が、前記第３の知人名前情報および第２の利用者名前情報を表示し、
前記第２の利用者が、前記第２の情報端末に表示された前記第２の利用者名前情報を選択し、
前記第２の情報端末が、前記第２の利用者の選択情報を前記第３のサーバに送り、
前記第３のサーバが、前記第２のＩＤに関連付けて記憶する前記第２の利用者の第２の利用者住所情報と前記第２の利用者名前情報とを、前記第２のサーバに送り、
前記第２のサーバが、前記第１の商品情報および前記第２の商品情報を前記第２の情報端末に送り、
前記第２の情報端末が、前記第１の商品情報および前記第２の商品情報を表示し、
前記第２の情報端末が、前記第２の利用者によって選択された前記第１の商品の選択情報を前記第２のサーバに送り、
前記第２のサーバが、前記第１の商品情報に関連付けて前記第２の利用者名前情報および前記第２の利用者住所情報を前記第１の発送処理システムに送ることで、前記第１の商品を前記第２の利用者に送る第４の発送処理を実行することを特徴とする、請求項１から４のいずれかに記載のシステム。
【請求項９】
前記第１のサーバが、前記第１の知人名前情報および前記第２の知人名前情報を、前記第１の情報端末に送り、
前記第１の情報端末が、前記第１の知人名前情報および第２の知人名前情報を表示し、
前記第１の利用者が、前記第１の情報端末に表示された前記第１の知人名前情報を選択し、
前記第１の情報端末が、前記第１の知人の選択情報を前記第１のサーバに送り、
前記第１のサーバが、前記第１の知人住所情報と前記第１の知人名前情報を第２の物品販売サービスを提供する第４のサーバに送り、
前記第４のサーバが、前記第２の物品販売サービスが販売する第３の商品情報および前記第２の物品販売サービスが販売する第４の商品情報を前記第１の情報端末に送り、
前記第１の情報端末が、前記第３の商品情報および前記第４の商品情報を表示し、
前記第１の情報端末が、前記第１の利用者によって選択された前記第３の商品の選択情報を前記第４のサーバに送り、
前記第４のサーバが、前記第３の商品情報に関連付けて前記第１の知人名前情報および前記第１の知人住所情報を第２の発送処理システムに送ることで、前記第３の商品を前記第１の知人に送る第５の発送処理を実行することを特徴とする、請求項１から８のいずれかに記載のシステム。
【請求項１０】
第１の利用者が利用する第１の物品販売サービスの第１のサーバが、前記第１の物品販売サービスが販売する第１の商品の第１の商品情報および前記第１の物品販売サービスが販売する第２の商品の第２の商品情報を、前記第１の利用者の第１の情報端末に送り、
前記第１の情報端末が、前記第１の商品情報および前記第２の商品情報を表示し、
前記第１の情報端末が、前記第１の利用者によって選択された前記第１の商品の第１の選択情報を前記第１のサーバに送り、
前記第１の情報端末が、前記第１の利用者が利用する第１のネットサービスの第２のサーバに、前記第１の利用者を前記第１のネットサービスの利用者の中で一意に特定するための前記第１の利用者の第１のＩＤおよび前記第１の利用者の第１のパスワードを送り、
前記第２のサーバが前記第１のＩＤおよび前記第１のパスワードで前記第１の利用者を認証し、
前記第２のサーバが前記第１のＩＤに関連付けて記憶する、前記第１の利用者の第１の知人の第１の知人名前情報および前記第１の利用者の第２の知人の第２の知人名前情報を、前記第１の利用者の第１の情報端末に送り、
前記第１の情報端末が、前記第１の知人名前情報および第２の知人名前情報を表示し、
前記第１の利用者が、前記第１の情報端末に表示された前記第１の知人名前情報を選択し、
前記第１の情報端末が、前記第１の知人の選択情報を前記第２のサーバに送り、
前記第２のサーバが、前記第１のＩＤに関連付けて記憶する前記第１の知人の第１の知人住所情報と、前記第１の知人名前情報を前記第１のサーバに送り、
前記第１のサーバが、前記第１の商品情報に関連付けて前記第１の知人名前情報および前記第１の知人住所情報を発送処理システムに送ることで、前記第１の商品を前記第１の知人に送る発送処理を実行することを特徴とするシステム。
【請求項１１】
第１の利用者が利用する第１の物品販売サービスの第１のサーバが、前記第１の物品販売サービスが販売する第１の商品の第１の商品情報および前記第１の物品販売サービスが販売する第２の商品の第２の商品情報を、前記第１の利用者の第１の情報端末に送り、
前記第１の情報端末が、前記第１の商品情報および前記第２の商品情報を表示し、
前記第１の情報端末が、前記第１の利用者によって選択された前記第１の商品の第１の選択情報を前記第１のサーバに送り、
前記第１の情報端末が、連携サービスを提供する第２のサーバより、第１のネットサービスの第１のネットサービス情報および第２のネットサービスの第２のネットサービス情報を受信し、
前記第１の利用者が、前記第１の情報端末で前記第１のネットサービス情報を選択し、
前記第１の情報端末が、前記第１のネットサービス情報で特定される前記第１のネットサービスを提供する第３のサーバに、前記第１の利用者を前記第１のネットサービスの利用者の中で一意に特定するための前記第１の利用者の第１のＩＤおよび前記第１の利用者の第１のパスワードを送り、
前記第３のサーバが前記第１のＩＤおよび前記第１のパスワードで前記第１の利用者を認証し、
前記第３のサーバが前記第１のＩＤに関連付けて記憶する、前記第１の利用者の第１の知人の第１の知人名前情報および前記第１の利用者の第２の知人の第２の知人名前情報を、前記第１の利用者の第１の情報端末に送り、
前記第１の情報端末が、前記第１の知人名前情報および第２の知人名前情報を表示し、
前記第１の利用者が、前記第１の情報端末に表示された前記第１の知人名前情報を選択し、
前記第１の情報端末が、前記第１の知人の選択情報を前記第３のサーバに送り、
前記第３のサーバが、前記第１のＩＤに関連付けて記憶する前記第１の知人の第１の知人住所情報と前記第１の知人名前情報とを前記第１のサーバに送り、
前記第１のサーバが、前記第１の商品情報に関連付けて前記第１の知人名前情報および前記第１の知人住所情報を発送処理システムに送ることで、前記第１の商品を前記第１の知人に送る発送処理を実行することを特徴とするシステム。
【請求項１２】
物品販売サービスを提供するサーバであって、
第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを第１のテーブルに記憶し、
前記第１の利用者が第１のネットサービスの第１のネットサービスサーバで記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、
受信した前記第１の知人名前情報、前記第１の知人住所情報、前記第２の知人名前情報および前記第２の知人住所情報を前記第１のテーブルに前記第１の商品ＩＤと関連付けて記憶し、
前記第１の情報端末に前記第１の知人名前情報および前記第２の知人名前情報を送り、
前記第１の情報端末より前記第１の知人の選択情報を受信し、
前記第１の知人名前情報および前記第１の知人住所情報を、商品発送システムに送ることで、前記第１の商品を前記第１の知人に送ることを特徴とするサーバ。
【請求項１３】
物品販売サービスを提供するサーバであって、
第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを第１のテーブルに記憶し、
前記第１の利用者が第１のネットサービスの第１のネットサービスサーバで記憶する、前記第１の利用者の第１の利用者名前情報および第１の利用者住所情報、ならびに前記第１の利用者の第１の知人の第１の知人名前情報および第１の知人住所情報を、前記第１のネットサービスサーバより受信し、
受信した前記第１の利用者名前情報、前記第１の利用者住所情報、前記第１の知人名前情報および前記第１の知人住所情報を前記第１のテーブルに前記第１の商品ＩＤと関連付けて記憶し、
前記第１の情報端末に前記第１の利用者名前情報および前記第１の知人名前情報を送り、
前記第１の情報端末より前記第１の利用者の選択情報を受信し、
前記第１の利用者名前情報および前記第１の利用者住所情報を、商品発送システムに送ることで、前記第１の商品を前記第１の利用者に送ることを特徴とするサーバ。
【請求項１４】
前記サーバはさらに、
第２の利用者の第２の情報端末に、前記第１の商品情報および前記第２の商品情報を送り、
前記第２の情報端末より前記第１の商品の選択情報を受信し、
前記第１の商品ＩＤを第２のテーブルに記憶し、
前記第２の利用者が第２のネットサービスの第２のネットサービスサーバで記憶する、前記第２の利用者の第３の知人の第３の知人名前情報および第３の知人住所情報、ならびに前記第２の利用者の第４の知人の第４の知人名前情報および第４の知人住所情報を、前記第２のネットサービスサーバより受信し、
受信した前記第３の知人名前情報、前記第３の知人住所情報、前記第４の知人名前情報および前記第４の知人住所情報を前記第２のテーブルに前記第１の商品ＩＤと関連付けて記憶し、
前記第２の情報端末に前記第３の知人名前情報および前記第４の知人名前情報を送り、
前記第２の情報端末より前記第３の知人の選択情報を受信し、
前記第３の知人名前情報および前記第３の知人住所情報を、商品発送システムに送ることで、前記第１の商品を前記第３の知人に送ることを特徴とする、請求項１２または１３記載のサーバ。
【請求項１５】
前記サーバはさらに、
第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを第２のテーブルに記憶し、
前記第１の利用者が第２のネットサービスの第２のネットサービスサーバで記憶する、前記第１の利用者の第１の利用者名前情報および前記第１の利用者の第１の利用者住所情報、ならびに前記第１の利用者の第３の知人の第３の知人名前情報および第３の知人住所情報を、前記第２のネットサービスサーバより受信し、
受信した前記第１の利用者名前情報、前記第１の利用者住所情報、前記第３の知人名前情報および前記第３の知人住所情報を前記第２のテーブルに前記第１の商品ＩＤと関連付けて記憶し、
前記第１の情報端末に前記第１の利用者名前情報および前記第３の知人名前情報を送り、
前記第１の情報端末より前記第１の利用者の選択情報を受信し、
前記第１の利用者名前情報および前記第１の利用者住所情報を、商品発送システムに送ることで、前記第１の商品を前記第１の利用者に送ることを特徴とする、請求項１２記載のサーバ。
【請求項１６】
物品販売サービスを提供するサーバであって、
第１の利用者の第１の情報端末に、第１の商品の第１の商品情報および第２の商品の第２の商品情報を送り、
前記第１の情報端末より前記第１の商品の第１の選択情報を受信し、
前記第１の商品を一意に特定する第１の商品ＩＤを第１のテーブルに記憶し、
前記第１の利用者が第１のネットサービスの第１のネットサービスサーバで記憶する前記第１の利用者の第１の利用者名前情報および第１の利用者住所情報を前記第１のネットサービスサーバより受信し、
受信した前記第１の利用者名前情報および前記第１の利用者住所情報を前記第１のテーブルに前記第１の商品ＩＤと関連付けて記憶し、
前記第１の利用者名前情報および第１の利用者住所情報を、商品発送システムに送ることで、前記第１の商品を前記第１の利用者に送る第１の発送処理を実行し、
第２の利用者の第２の情報端末に、前記第１の商品情報および前記第２の商品情報を送り、
前記第２の情報端末より前記第１の商品の第２の選択情報を受信し、
前記第１の商品ＩＤを第２のテーブルに記憶し、
前記第２の利用者が第２のネットサービスの第２のネットサービスサーバで記憶する前記第２の利用者の第２の利用者名前情報および第２の利用者住所情報を前記第２のネットサービスサーバより受信し、
受信した前記第２の利用者名前情報および前記第２の利用者住所情報を前記第２のテーブルに前記第１の商品ＩＤと関連付けて記憶し、
前記第２の利用者名前情報および第２の利用者住所情報を、商品発送システムに送ることで、前記第１の商品を前記第２の利用者に送る第２の発送処理を実行することを特徴とするサーバ。
【請求項１７】
物品販売サービスを提供するサーバであって、
第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを第１のテーブルに記憶し、
前記第１の情報端末に、前記第１の情報端末が連携サービスサーバから第１のネットサービスの第１のネットサービス情報および第２のネットサービスの第２のネットサービス情報を呼び出す要求を送り、
前記要求にしたがって前記連携サービスサーバから前記第１の情報端末に送られた前記第１のネットサービス情報および前記第２のネットサービス情報のなかから、前記第１の利用者が前記第１の情報端末で選択した前記第１のネットサービスの第１のネットサービスサーバで記憶する、前記第１の利用者の第１の知人の第１の知人名前情報および第１の知人住所情報、および前記第１の利用者の第２の知人の第２の知人名前情報および第２の知人住所情報を、前記第１のネットサービスサーバより受信し、
受信した前記第１の知人名前情報、前記第１の知人住所情報、前記第２の知人名前情報、
前記第２の知人住所情報を前記第１のテーブルに前記第１の商品ＩＤと関連付けて記憶し、
前記第１の情報端末に前記第１の知人名前情報および前記第２の知人名前情報を送り、
前記第１の情報端末より前記第１の知人の選択情報を受信し、
前記第１の知人名前情報および前記第１の知人住所情報を、商品発送システムに送ることで、前記第１の商品を前記第１の知人に送ることを特徴とするサーバ。
【請求項１８】
物品販売サービスを提供するサーバであって、
第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを第１のテーブルに記憶し、
連携サービスより第１のネットサービスの第１のネットサービス情報および第２のネットサービスの第２のネットサービス情報を受信し、
前記第１の情報端末に、前記第１のネットサービス情報および前記第２のネットサービス情報を送り、
前記利用者Ａが前記第１の情報端末で選択した前記第１のネットサービスの第１のネットサービスサーバで記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、
受信した前記第１の知人名前情報、前記第１の知人住所情報、前記第２の知人名前情報および前記第２の知人住所情報を前記第１のテーブルに前記第１の商品ＩＤと関連付けて記憶し、
前記第１の情報端末に前記第１の知人名前情報および前記第２の知人名前情報を送り、
前記第１の情報端末より前記第１の知人の選択情報を受信し、
前記第１の知人名前情報および前記第１の知人住所情報を、商品発送システムに送ることで、前記第１の商品を前記第１の知人に送ることを特徴とするサーバ。
【請求項１９】
物品販売サービスを提供するサーバであって、
第１の利用者が第１のネットサービスを提供する第１のネットサービスサーバで記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、
受信した前記第１の知人名前情報、前記第１の知人住所情報、前記第２の知人名前情報、
前記第２の知人住所情報を第１のテーブルに記憶し、
前記第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを前記第１のテーブルに、前記第１の知人名前情報、前記第１の知人住所情報、前記第２の知人名前情報、および前記第２の知人住所情報と関連付けて記憶し、
前記第１の情報端末に前記第１の知人名前情報および前記第２の知人名前情報を送り、
前記第１の情報端末より前記第１の知人の選択情報を受信し、
前記第１の知人名前情報および前記第１の知人住所情報を、商品発送システムに送ることで、前記第１の商品を前記第１の知人に送ることを特徴とするサーバ。
【請求項２０】
物品販売サービスを提供するサーバであって、
第１の利用者が第１のネットサービスを提供する第１のネットサービスサーバで記憶する、前記第１の利用者の第１の利用者名前情報および第１の利用者住所情報、ならびに前記第１の利用者の第１の知人の第１の知人名前情報および第１の知人住所情報を、前記第１のネットサービスサーバより受信し、
受信した前記第１の利用者名前情報、前記第１の利用者住所情報、前記第１の知人名前情報および前記第１の知人住所情報を第１のテーブルに記憶し、
前記第１の利用者の第１の情報端末に、第１の商品の第１の商品情報および第２の商品の第２の商品情報を送り、
前記第１の情報端末より前記第１の商品の選択情報を受信し、
前記第１の商品を一意に特定する第１の商品ＩＤを前記第１のテーブルに、前記第１の利用者名前情報、前記第１の利用者住所情報、前記第１の知人名前情報、および前記第１の知人住所情報と関連付けて記憶し、
前記第１の情報端末に前記第１の利用者名前情報および前記第１の知人名前情報を送り、
前記第１の情報端末より前記第１の利用者の選択情報を受信し、
前記第１の利用者名前情報および前記第１の利用者住所情報を、商品発送システムに送ることで、前記第１の商品を前記第１の利用者に送ることを特徴とするサーバ。
【請求項２１】
前記サーバはさらに、
第２の利用者が第２のネットサービスを提供する第２のネットサービスサーバで記憶する、前記第２の利用者の第３の知人の第３の知人名前情報および第３の知人住所情報、ならびに前記第２の利用者の第４の知人の第４の知人名前情報および第４の知人住所情報を、前記第２のネットサービスサーバより受信し、
受信した前記第３の知人名前情報、前記第３の知人住所情報、前記第４の知人名前情報および前記第４の知人住所情報を第２のテーブルに記憶し、
前記第２の利用者の第２の情報端末に、第１の商品の第１の商品情報および第２の商品の第２の商品情報を送り、
前記第２の情報端末より前記第１の商品の選択情報を受信し、
前記第１の商品を一意に特定する第１の商品ＩＤを前記第２のテーブルに、前記第３の知人名前情報、前記第３の知人住所情報、前記第４の知人名前情報および前記第４の知人住所情報と関連付けて記憶し、
前記第２の情報端末に前記第３の知人名前情報および前記第４の知人名前情報を送り、
前記第２の情報端末より前記第３の知人の選択情報を受信し、
前記第３の知人名前情報および前記第３の知人住所情報を、商品発送システムに送ることで、前記第１の商品を前記第３の知人に送ることを特徴とする請求項１９または２０記載のサーバ。
【請求項２２】
前記サーバはさらに、
第２の利用者が第２のネットサービスを提供する第２のネットサービスサーバで記憶する、前記第２の利用者の第２の利用者名前情報および第２の利用者住所情報、および前記第２の利用者の第３の知人の第３の知人名前情報および第３の知人住所情報を、前記第２のネットサービスサーバより受信し、
受信した前記第２の利用者名前情報、前記第２の利用者住所情報、前記第３の知人名前情報、前記第３の知人住所情報を第２のテーブルに記憶し、
前記第２の利用者の第２の情報端末に、第１の商品の第１の商品情報および第２の商品の第２の商品情報を送り、
前記第２の情報端末より前記第１の商品の選択情報を受信し、
前記第１の商品を一意に特定する第１の商品ＩＤを前記第２のテーブルに、前記第２の利用者名前情報、前記第２の利用者住所情報、前記第３の知人名前情報、および前記第３の知人住所情報と関連付けて記憶し、
前記第２の情報端末に前記第２の利用者名前情報および前記第３の知人名前情報を送り、
前記第２の情報端末より前記第２の利用者の選択情報を受信し、
前記第２の利用者名前情報および前記第２の利用者住所情報を、商品発送システムに送ることで、前記第１の商品を前記第２の利用者に送ることを特徴とする請求項１９記載のサーバ。
【請求項２３】
物品販売サービスを提供するサーバであって、
第１の利用者が第１のネットサービスを提供する第１のネットサービスサーバで記憶する、前記第１の利用者の第１の利用者名前情報および第１の利用者住所情報を前記第１のネットサービスサーバより受信し、
前記第１の利用者の第１の情報端末に、第１の商品の第１の商品情報および第２の商品の第２の商品情報を送り、
前記第１の情報端末より前記第１の商品の第１の選択情報を受信し、
前記第１の利用者名前情報および前記第１の利用者住所情報を、商品発送システムに送ることで、前記第１の商品を前記第１の利用者に送る第１の発送処理を実行し、
第２の利用者が第２のネットサービスを提供する第２のネットサービスサーバで記憶する、前記第２の利用者の第２の利用者名前情報および第２の利用者住所情報を前記第２のネットサービスサーバより受信し、
前記第２の利用者の第２の情報端末に、前記第１の商品情報および前記第２の商品情報を送り、
前記第２の情報端末より前記第１の商品の第２の選択情報を受信し、
前記第２の利用者名前情報および前記第２の利用者住所情報を、商品発送システムに送ることで、前記第１の商品を前記第２の利用者に送る第１の発送処理を実行することを特徴とするサーバ。
【請求項２４】
ネットサービスを提供するサーバであって、
第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末に送り、
前記第１の情報端末より、前記第１の知人の選択情報を受信し、
前記第１の知人名前情報および前記第１のＩＤに関連付けて記憶する前記第１の知人の第１の知人住所情報を、前記第１の利用者が第１の物品販売サービスで販売される商品を前記第１の知人に配送するために、前記第１の物品販売サービスの第１の物品販売サーバに送り、
前記第１の知人名前情報および前記第２の知人名前情報を前記第１の情報端末に送り、
前記第１の情報端末より、前記第２の知人の選択情報を受信し、
前記第２の知人名前情報および前記第１のＩＤに関連付けて記憶する前記第２の知人の第２の知人住所情報を、前記第１の利用者が第２の物品販売サービスで販売される商品を前記第２の知人に配送するために、前記第２の物品販売サービスの第２の物品販売サーバに送ることを特徴とするサーバ。
【請求項２５】
ネットサービスを提供するサーバであって、
第１の利用者を前記ネットサービスの利用者の中で一意に特定する第１のＩＤに関連付けて記憶された、前記第１の利用者の第１の利用者名前情報と、前記第１の利用者の第１の知人の第１の知人名前情報を、前記第１の利用者の第１の情報端末に送り、
前記第１の情報端末より、前記第１の知人の選択情報を受信し、
前記第１の知人名前情報および前記第１のＩＤに関連付けて記憶する前記第１の知人の第１の知人住所情報を、前記第１の利用者が第１の物品販売サービスで販売される商品を前記第１の知人に配送するために、前記第１の物品販売サービスの第１の物品販売サーバに送り、
前記第１の利用者名前情報および前記第１の知人名前情報を前記第１の情報端末に送り、
前記第１の情報端末より、前記第１の利用者の選択情報を受信し、
前記第１の利用者名前情報および前記第１のＩＤに関連付けて記憶する前記第１の利用者の第１の利用者住所情報を、前記第１の利用者が第２の物品販売サービスで販売される商品を前記第１の利用者に配送するために、前記第２の物品販売サービスの第２の物品販売サーバに送ることを特徴とするサーバ。
【請求項２６】
ネットサービスを提供するサーバであって、
第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末に送り、
前記第１の情報端末より、前記第１の知人の選択情報を受信し、
連携サービスの連携サービスサーバより、第１の物品販売サービスの第１の物品販売サービス情報および第２の物品販売サービスの第２の物品販売サービス情報を受信し、
前記第１の情報端末に、前記第１の物品販売サービス情報および前記第２の物品販売サービス情報を送り、
前記第１の情報端末から前記第１の物品販売サービスの選択情報を受信し、
前記第１の知人名前情報および前記第１のＩＤに関連付けて記憶する前記第１の知人の第１の知人住所情報を、前記第１の利用者が前記第１の物品販売サービスで販売される商品を前記第１の知人に配送するために、前記第１の物品販売サービスの第１の物品販売サーバに送り、
前記第１の知人名前情報および前記第２の知人名前情報を前記第１の情報端末に送り、
前記第１の情報端末より、前記第２の知人の選択情報を受信し、
前記連携サービスサーバより、前記第１の物品販売サービス情報および前記第２の物品販売サービス情報を受信し、
前記第１の情報端末に、前記第１の物品販売サービス情報および前記第２の物品販売サービス情報を送り、
前記第１の情報端末から前記第２の物品販売サービスの選択情報を受信し、
前記第２の知人名前情報および前記第１のＩＤに関連付けて記憶する前記第２の知人の第２の知人住所情報を、前記第１の利用者が前記第２の物品販売サービスで販売される商品を前記第２の知人に配送するために、前記第２の物品販売サービスの第２の物品販売サーバに送ることを特徴とするサーバ。
【請求項２７】
ネットサービスを提供するサーバであって、
第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末に送り、
前記第１の情報端末より、前記第１の知人の選択情報を受信し、
前記第１の利用者が、前記第１の情報端末で連携サービスの連携サーバより受信した、第１の物品販売サービスの第１の物品販売サービス情報および第２の物品販売サービスの第２の物品販売サービス情報の２つの中から前記第１の物品販売サービス情報を選択した選択情報を受信し、
前記第１の知人名前情報および前記第１のＩＤに関連付けて記憶する前記第１の知人の第１の知人住所情報を、前記第１の利用者が前記第１の物品販売サービスで販売される商品を前記第１の知人に配送するために、前記第１の物品販売サービスの第１の物品販売サーバに送り、
前記第１の知人名前情報および前記第２の知人名前情報を前記第１の情報端末に送り、
前記第１の情報端末より、前記第２の知人の選択情報を受信し、
前記第１の利用者が、前記第１の情報端末で連携サービスの連携サーバより受信した、前記第１の物品販売サービス情報および前記第２の物品販売サービス情報の２つの中から前記第２の物品販売サービス情報を選択した選択情報を受信し、
前記第２の知人名前情報および前記第１のＩＤに関連付けて記憶する前記第２の知人の第２の知人住所情報を、前記第１の利用者が前記第２の物品販売サービスで販売される商品を前記第２の知人に配送するために、前記第２の物品販売サービスの第２の物品販売サーバに送ることを特徴とするサーバ。
【請求項２８】
商品認識票と商品付加情報とを関連づけて記憶する第一のテーブルを有し第一のＷｅｂサービスを提供する第一のサーバが前記商品認識票を表す画像コードを生成し、
携帯端末が前記第一のＷｅｂサービスおける利用者の第一の利用者認識票を前記第一のサーバに送り、
前記第一のサーバが前記第一の利用者認識票を認証し、
前記携帯端末が前記画像コードを読み取った後に前記商品認識票を前記第一のサーバに送り、
前記第一のサーバが前記商品認識票と前記第一の利用者認識票を第二のサーバに送り、
前記第二のサーバが前記商品認識票と前記第一の利用者認識票を関連づけて第二のテーブルの第一の行に記憶し、
前記携帯端末が第二のＷｅｂサービスにおける前記利用者の第二の利用者認識票を、前記第二のＷｅｂサービスを提供する第三のサーバに送り、
前記第三のサーバが前記第二の利用者認識票を認証し、
前記第三のサーバが記憶する前記利用者の送付先情報を前記携帯端末に送り、
前記携帯端末が前記利用者の送付先情報を表示し、
前記携帯端末が前記利用者の選択した選択済送付先情報を前記第三のサーバに送り、
前記第三のサーバが前記選択済送付情報を前記第二のサーバに送り、
前記第二のサーバは前記選択済送付情報を前記第一の行に前記商品認識票および前記第一の利用者認識票と関連づけて前記第二のテーブルの前記第一の行に記憶し、
前記第二のサーバが前記第一のサーバより決済完了情報を受信すると、前記第二のサーバは前記選択済送付情報を印刷装置に送る処理を実行すること特徴とするシステム。
【請求項２９】
前記第二のサーバが前記選択済送付情報を前記印刷装置に送った後、前記第二のテーブルより前記第一の行を消去すること特徴とする請求項２８記載のシステム。
【請求項３０】
前記システムは前記処理を実行する以前に、
前記第二のサーバが、前記第三のＷｅｂサービスの管理端末より前記第一のＷｅｂサービスを表す第一のサービス認識票を受信し、
前記第二のサーバは、前記第三のＷｅｂサービスを表す第二のサービス認識票と前記第一のサービス認識票を関連づけて第三のテーブルに記憶し、
前記第二のサーバは前記第三のテーブルで前記第一のサービス認識票で表される前記第一のＷｅｂサービスおよび前記第二のサービス認識票で表される前記第三のＷｅｂサービス以外では前記処理を実行しないことを特徴とする請求項２８または２９記載のシステム。
【請求項３１】
第一のサーバより利用者の携帯端末から送られた商品認識票と利用者の第一のＷｅｂサービスにおける利用者認識票を受信し、
前記商品認識票と前記利用者認識票を関連づけてテーブルの行に記憶し、
第二のサーバの記憶する前記利用者の送付先情報の中から、前記利用者の前記携帯端末から前記第二のサーバに送られた送付先選択情報により選択された選択済送付先情報を受信し、
前記選択済送付先情報を、前記商品認識票と前記利用者認識票に関連づけて前記テーブルの前記行に記憶し、
前記第一のサーバより決済完了情報を受信すると、前記選択済送付情報を印刷装置に送ることを特徴とするサーバ。
【請求項３２】
前記サーバはさらに、
前記選択済情報を前記印刷装置に送った後に、前記テーブルより前記行を消去することを特徴とする請求項３１記載のサーバ。
【請求項３３】
第一のＷｅｂサービスに対して利用者の前記第一のＷｅｂサービスにおける第一の認識票と前記利用者の前記第一のＷｅｂサービスにおける第一の認証情報を、前記第一のＷｅｂサービスを提供する第一のサーバに送り、
連携サービスを提供する第二のサーバより、前記第一のＷｅｂサービス以外の複数のＷｅｂサービスを各々示す複数のサービス認識票からなるサービス認識票群を受信し、
前記サービス認識票群から前記利用者が入力手段を用いて選択した第三のＷｅｂサービスを示す特定サービス認識票を前記第二のサーバに送り、
前記第三のＷｅｂサービスを提供する第三のサーバに、前記利用者の前記第三のＷｅｂサービスにおける第二の認識票と前記利用者の前記第三のＷｅｂサービスにおける第二の認証情報を、前記第三のサーバに送り、
前記第三のサーバより、前記第三のサーバが記憶する前記利用者の複数の送付先情報群を受信し、
前記送付先情報群の中から前記利用者が前記入力手段を用いて選択した部分送付先情報群を前記第三のサーバに送り、
前記第一のサーバに対して決済情報を送ることを特徴とする携帯端末。
【発明の詳細な説明】
【技術分野】
【０００１】
本発明は、インターネットを介して販売サービスを提供するためのシステムおよびサーバなどに関する。また、携帯端末とサーバと連携して物品または郵便物などの配送または送付のサービスを提供する情報処理システム、情報処理サーバ、情報処理端末、及び情報処理方法などに関する。
【背景技術】
【０００２】
インターネット利用者の増加にともない、多くの物品販売サービスがインターネット上で提供されるようになった（例えば、特許文献１参照。）。利用者は、検索サービスやポータル、ニュース、ＳＮＳ、チャット、ブログといった様々なネットサービスを経由して、物品販売サービスに移動して物品購入および配送手続きをおこなう。こうしたネットサービスの多くには広告が表示されており、広告媒体としての機能を有している。物品販売サービスにとって、このような様々なネットサービス上の広告は利用者獲得の窓口になっている。物品販売サービスでは、利用者獲得や販売収益実現の報酬を、広告媒体となるネットサービスに支払う。このことで物品販売サービスは収益の増大を、広告媒体となるネットサービスは広告収益の獲得を、各々実現している。【０００３】
ネットサービスにおける広告の報酬制度として多く用いられるのは、クリック報酬または成果報酬である。クリック報酬制度では、利用者がネットサービス上に表示された物品販売サービスの広告を選択し、物品販売サービスに移動するというイベントに対して、物品販売サービスから広告を表示するネットサービスに対して報酬が支払われる。一方、成果報酬制度では、利用者がネットサービス上に表示された物品販売サービスの広告を経由して物品販売サービスで商品を購入した時のみ、物品販売サービスからネットサービスに報酬が支払われる。【０００４】
また、物品販売や商品販売のためのＷｅｂサービスにおいて、利用者は、情報端末に表示されたＷｅｂブラウザのウィンドウを通じて商品を選択し、住所や名前を入力した上で、クレジットカードなどによる決済を実行する。その後、物品販売サービスの事業者が、入力された送付先に物品を配送または送付する。【０００５】
一方、携帯端末のインターネットへのアクセスが一般的になり、携帯端末でも利用可能な商品販売のためのＷｅｂサービスを提供する事業者が増えている。一般には、携帯端末へＵＲＬ（Ｕｎｉｆｏｒｍ  Ｒｅｓｏｕｒｃｅ  Ｌｏｃａｔｏｒ）を入力したり、もしくは携帯端末の画像読取り手段によるバーコードや二次元コードといった画像コードの読み取りをしたりすることによって、販売する商品群を紹介するＷｅｂページを携帯端末に表示させ、商品などの広告宣伝や販売促進が行なわれている。また、利用者が携帯端末に表示された商品群から、購入する商品を選択した上、決済や発送依頼が可能な機能を備えたＷｅｂサービスもある。さらに、携帯端末に表示された商品群から選択し、購入した商品をギフトとして他者に送る機能を有するＷｅｂサービスも存在する。
【先行技術文献】
【特許文献】
【０００６】
【特許文献１】特開２００２−２４５３５１号公報
【特許文献２】米国特許第５８９５４５４号明細書
【特許文献３】米国特許第５７１５３１４号明細書
【発明の概要】
【発明が解決しようとする課題】
【０００７】
このようなネットサービスの広告に係る、物品販売サービスおよび広告媒体となるネットサービス双方の解決すべき最大の課題は、成約率を向上させることである。成約率は、成約数を、閲覧者が広告経由で物品販売サービスに移動した閲覧数で除したものであり、ネットサービス上の広告経由の場合の、成約率１％から５％程度といわれる。これは、広告を通じて物品販売サービスを訪問した利用者のほとんどが、商品を購入せずに離脱していることを意味する。物品販売サービスの事業者は、成約率を向上させるべく、物品販売サービス内のユーザインタフェイスの改善を図っている。たとえば、成約率が２％の物品販売サービスの成約率が１％向上するだけで、物品販売サービスの販売額は１．５倍になる。成約率が低いということは、収益向上の余地が大きいことを意味するため、物品販売サービスにとって成約率の向上は極めて重要な課題となっている。【０００８】
物品販売サービスにおける成約率の向上は、広告を掲載するネットサービスにとっても等しく重要な課題である。ネットサービスが成果報酬制度を採用している場合、物品販売サービス側での成約率の向上は、ネットサービスの報酬増加に直結する。クリック報酬制度を採用している場合、物品販売サービス側での成約率向上と報酬額は直接関係ない。しかし、広告を掲載するネットサービスにおけるクリック総数は有限であるため、ネットサービスの収益向上には、１クリックあたりの報酬額増加が必要である。クリック報酬制度でも、物品販売サービスの販売収益が原資であり、１クリックあたりの報酬増加には、物品販売サービス側での成約率の向上が不可欠である。【０００９】
また、一般に、携帯端末は、据え置き型の端末に比べて、表示手段の表示サイズが小さく、また入力手段にも制約が多い。このため携帯端末では、利用者が表示や入力のステップを多数要する処理が忌避される傾向がある。そのため、商品紹介のためのＷｅｂページの表示であれば、携帯端末に対する入力のステップ数が少なくてもよいので、携帯端末を通じた商品紹介のサービスは広く利用されている。一方で、商品を購入の上、自宅への配送を依頼したりギフトとして他者への配送を依頼したりするＷｅｂサービスでは、商品選択、送付先入力など多数の表示及び入力のステップを必要とするため、携帯端末での利便性が低く、広く利用されるに至っていない。特に、ギフトのためのＷｅｂサイトでは、商品の選択のみならず、複数の送付先の名前および住所を入力する必要がある。このため、表示および入力のステップ数が他のＷｅｂサービスより大きくなる傾向がある。【００１０】
さらに、一般に、利用者は数多くのＷｅｂサービスを利用している。そして、送付先情報は利用者が使う複数のＷｅｂサービスのサーバに分散して記憶されている。たとえば、利用者ＡがＷｅｂサービスＺで販売される商品や郵便物の利用者Ｂへの配送、送付を依頼する際には、利用者Ａの携帯端末の入力手段を使って、利用者Ｂの名前、住所などの送付先情報をＷｅｂサービスＺのサーバに登録する。ＷｅｂサービスＺのサーバでは、これをその後に再利用可能なように、利用者Ａの送付先情報として記憶する。次に、利用者ＡがＷｅｂサービスＹで販売される商品または郵便物の利用者Ｂへの配送、送付を依頼する際には、同じように利用者Ａが携帯端末の入力手段を使って、利用者Ｂの名前、住所などの送付先情報
をＷｅｂサービスＹのサーバに登録する。さらに、利用者ＡがＷｅｂサービスＷで販売される商品または郵便物の利用者Ｂへの配送、送付を依頼する際には、同じように利用者Ａが携帯端末の入力手段を使って、利用者Ｂの名前、住所などの送付先情報をＷｅｂサービスＺのサーバに登録することになる。【００１１】
このように、ギフトやポストカードの配送、送付の依頼をするサービスを提供するＷｅｂサービスにおいて、送付先情報は、どこかのＷｅｂサービスのサーバには記憶されていることが多い。しかし現在の方法またはシステムでは、Ｗｅｂサービスの送付先情報は各々に独立しており、相互に利用ができない。このため、利用者は異なるＷｅｂサービスでギフトを送るために、何度も同じ送付先情報を入力する必要がある。特に携帯端末の場合、入力手段の制限が大きいことから、送付先情報の入力を繰り返す必要があることが、ギフトやポストカードのＷｅｂサービスの普及を阻んできている。
【課題を解決するための手段】
【００１２】
成約率を向上させるための主要な方策は２つある。第１には、利用者が物品販売サービスで、商品を選択し、送付先情報を入力し、決済を実行することで購入処理を完了するまでのステップ数を短くすることである。第２は、ネットサービス側で利用者により高い購入動機を与えた状態で、ネットサービスから物品販売サービスへ利用者を移動させることである。【００１３】
まず、第１のステップ数の短縮について説明する。ほとんどの物品販売サービスでは、その利用者はまず購入する商品を選択する。商品の選択にあたってはショッピングカートモデルが利用され、まず１つまたは複数の商品を選択してショッピングカートに入れた後、まとめて購入処理が実行されることが多い（特許文献１、特許文献２）。通常、商品選択の後、決済処理の前には、商品の配送などの目的で、利用者自身の名前および住所を入力する必要がある。また、商品の送付を物品販売サービスで商品を購入する利用者以外の第三者対して行う場合には、送付先の名前および住所もあわせて入力する。物品販売サービスにおける商品購入処理の中で最もステップ数が多く、また利用者による操作が複雑なのが、利用者が自分の名前や住所を情報端末に入力する処理である。商品を第三者に送付する場合、さらに送付先の名前や住所を入力する処理が加わる。特に複数の商品を複数の送付先に送るギフト送付などでは、この問題はさらに大きくなる。物品販売サービスにおいて、最も多くの利用者が離脱するのが、これらの名前や住所を入力する処理である。【００１４】
この問題を解消するため、多くの物品販売サービスでは、初回利用時に入力した利用者に、会員登録と称してその物品販売サービスで利用者を一意に特定するためのＩＤの取得を促し、ＩＤを取得した利用者については、そのＩＤに関連付けて名前や住所を、物品販売サービスのサーバで記憶しておく機能を提供している。このことで、ＩＤを取得した利用者は、２回目以降の入力ステップを少なくすることでき、成約率の向上が期待できる。しかし、この方法はネットサービス上の広告を経由して初めて物品販売サービスに移動した利用者の成約率向上には寄与しない。本発明で解決すべき課題は、ネットサービスの広告経由で物品販売サービスを訪問した場合の成約率向上であるから、広く行われている会員登録による利用者情報や配送情報の再利用は課題の解決にはならない。逆に、ネットサービスの広告経由で物品販売サービスを訪問した利用者に会員登録処理を促すことで、利用者の離脱率を上げてしまう場合もあり、利用者の名前や住所、送付先の名前や住所といった複雑な入力ステップによる成約率の大幅な低下が解決するには至っていない。【００１５】
また、第２のネットサービス側で購入動機向上について説明する。ネットサービスにおける広告は、物品販売サービスへのリンクを張ったものである。ネットサービスの画面においては、物品販売サービスに移動した後の購入動機向上を目的として、物品販売サービスへのリンクの周辺に販売する商品に関連する情報を掲載するなどしている。ネットサービスが検索サービスを提供している場合は、検索語に関連する物品販売サービスへのリンクを表示する場合がある。これは、検索サービスの利用者が、検索語に係る商品を探している可能性が高いために、利用者が物品販売サービスへ移動する時点での商品購入動機が、一般の広告よりも高いためである。【００１６】
しかし、「商品に関係のある情報に興味がある」や「商品に関係のある情報を探している」ということと、「商品を購入する意思がある」ということには大きな隔たりがあり、このような従来の方法でのネットサービスから物品販売サービスへの移動の時点での、強い商品購入の動機付けは容易ではなかった。【００１７】
本発明はこのような状況に鑑みてなされたものであり、利用者がネットサービスの広告を通じて物品販売サービスに移動した際の、商品の購入および発送処理のステップ数を減少させ、利用者にとっての利便性を向上することができる。さらに、物品販売サービスにおける成約率を有意に向上させ、ネットサービスおよび物品販売サービスの収益をともに増大させるための方法、サーバ、システム、情報端末を提供する。【００１８】
また、本発明は、このような状況に鑑みてなされたものであり、携帯端末を通じて商品または郵便物などの配送、送付をするＷｅｂサービスにおいて、商品や郵便物に関連づけられた画像コードの読み取りと、他のＷｅｂサービスのサーバに記憶された送付先情報の利用によって、利用者の携帯端末への入力ステップを少なくする。また、本発明は、複数のＷｅｂサービスが送付先情報を相互利用することでＷｅｂサービス運営者の収益増大に寄与するための情報処理方法、システム、サーバ、携帯端末、ネットワークなどを提供する。【００１９】
本発明の一実施形態として、第１の利用者（Ａ）が利用する第１のネットサービス（ｓＶ）を提供する第１のサーバ（Ｖ）が、前記第１のネットサービスの利用者の中から前記第１の利用者を一意に特定する第１のＩＤに関連付けて記憶する、前記第１の利用者の第１の知人の第１の知人名前情報および前記第１の利用者の第２の知人の第２の知人名前情報を、前記第１の利用者の第１の情報端末（ｔＡ）に送り、前記第１の情報端末が、前記第１の知人名前情報および第２の知人名前情報を表示し、前記第１の利用者が、前記第１の情報端末に表示された前記第１の知人名前情報を選択し、前記第１の情報端末が、前記第１の知人の選択情報を前記第１のサーバに送り、前記第１のサーバが、前記第１のＩＤに関連付けて記憶する前記第１の知人の第１の知人住所情報と、前記第１の知人名前情報を第１の物品販売サービスを提供する第２のサーバ（Ｘ）に送り、前記第２のサーバが、前記第１の物品販売サービスが販売する第１の商品の第１の商品情報および前記第１の物品販売サービスが販売する第２の商品の第２の商品情報を前記第１の情報端末に送り、前記第１の情報端末が、前記第１の商品情報および前記第２の商品情報を表示し、前記第１の情報端末が、前記第１の利用者によって選択された前記第１の商品の選択情報を前記第２のサーバに送り、前記第２のサーバが、前記第１の商品情報に関連付けて前記第１の知人名前情報および前記第１の知人住所情報を第１の発送処理システムに送ることで、前記第１の商品を前記第１の知人に送る第１の発送処理を実行することを特徴とするシステムを提供する。【００２０】
本発明の一実施形態として、第１の利用者（Ａ）が利用する第１のネットサービス（ｓＶ）を提供する第１のサーバ（Ｖ）が、前記第１のネットサービスの利用者の中から前記第１の利用者を一意に特定する第１のＩＤに関連付けて記憶する、前記第１の利用者の第１の知人の第１の知人名前情報と前記第１の利用者の第２の知人の第２の知人名前情報とを前記第１の利用者の第１の情報端末（ｔＡ）に送り、前記第１の情報端末が、前記第１の知人名前情報および第２の知人名前情報を表示し、前記第１の利用者が前記第１の情報端末に表示された前記第１の知人名前情報および前記第２の知人名前情報を選択し、前記第１の情報端末が、前記第１の知人および前記第２の知人の選択情報を前記第１のサーバに送り、前記第１のサーバが、前記第１の知人名前情報および前記第１のサーバが前記第１のＩＤに関連付けて記憶する前記第１の知人の第１の知人住所情報と、前記第２の知人名前情報および前記第１のサーバが前記第１のＩＤに関連付けて記憶する前記第２の知人の第２の知人住所情報を、第１の物品販売サービスを提供する第２のサーバ（Ｘ）に送り、前記第２のサーバが、前記第１の物品販売サービスが販売する第１の商品の第１の商品情報および前記第１の物品販売サービスが販売する第２の商品の第２の商品情報を前記第１の情報端末に送り、前記第１の情報端末が、前記第１の商品情報および前記第２の商品情報を表示し、前記第１の情報端末が、前記第１の利用者によって選択された前記第１の商品の選択情報を前記第２のサーバに送り、前記第２のサーバが、前記第１の商品情報に関連付けて前記第１の知人名前情報および前記第２の知人名前情報を前記第１の情報端末に送り、前記第１の情報端末が前記第１の商品情報に関連付けた状態で前記第１の知人名前情報および前記第２の知人名前情報を表示し、前記第１の利用者が前記第１の知人名前情報を選択し、前記第１の情報端末が、前記第１の知人の選択情報を前記第２のサーバに送り、前記第２のサーバが、前記第１の商品情報に関連付けて前記第１の知人名前情報および前記第１の知人住所情報を第１の発送処理システムに送ることで、前記第１の商品を前記第１の知人に送る第１の発送処理を実行する特徴とするシステムを提供する。【００２１】
本発明の一実施形態として、第１の利用者（Ａ）が利用する第１のネットサービス（ｓＶ）を提供する第１のサーバ（Ｖ）が、前記第１のネットサービスの利用者の中から前記第１の利用者を一意に特定する第１のＩＤに関連付けて記憶する、前記第１の利用者の第１の知人の第１の知人名前情報および前記第１の利用者の第１の利用者名前情報を、前記第１の利用者の第１の情報端末（ｔＡ）に送り、前記第１の情報端末が、前記第１の知人名前情報および第１の利用者名前情報を表示し、前記第１の利用者が、前記第１の情報端末に表示された前記第１の利用者名前情報を選択し、前記第１の情報端末が、前記第１の利用者名前情報の選択情報を前記第１のサーバに送り、前記第１のサーバが、前記第１のＩＤに関連付けて記憶する前記第１の利用者の第１の利用者住所情報と、前記第１の利用者名前情報を、第１の物品販売サービスを提供する第２のサーバ（Ｘ）に送り、前記第２のサーバが、前記第１の物品販売サービスが販売する第１の商品の第１の商品情報および前記第１の物品販売サービスが販売する第２の商品の第２の商品情報を前記第１の情報端末に送り、前記第１の情報端末が、前記第１の商品情報および前記第２の商品情報を表示し、前記第１の情報端末が、前記第１の利用者によって選択された前記第１の商品の選択情報を前記第２のサーバに送り、前記第２のサーバが、前記第１の商品情報に関連付けて前記第１の利用者名前情報および前記第１の利用者住所情報を第１の発送処理システムに送ることで、前記第１の商品を前記第１の利用者に送る第２の発送処理を実行することを特徴とするシステムを提供する。【００２２】
本発明の一実施形態として、第１の利用者（Ａ）が利用する第１の物品販売サービスの第１のサーバ（Ｘ）が、前記第１の物品販売サービスが販売する第１の商品の第１の商品情報および前記第１の物品販売サービスが販売する第２の商品の第２の商品情報を、前記第１の利用者の第１の情報端末に送り、前記第１の情報端末が、前記第１の商品情報および前記第２の商品情報を表示し、前記第１の情報端末が、前記第１の利用者によって選択された前記第１の商品の第１の選択情報を前記第１のサーバに送り、前記第１の情報端末が、前記第１の利用者が利用する第１のネットサービスの第２のサーバ（Ｖ）に、前記第１の利用者を前記第１のネットサービスの利用者の中で一意に特定するための前記第１の利用者の第１のＩＤおよび前記第１の利用者の第１のパスワードを送り、前記第２のサーバが前記第１のＩＤおよび前記第１のパスワードで前記第１の利用者を認証し、前記第２のサーバが前記第１のＩＤに関連付けて記憶する、前記第１の利用者の第１の知人の第１の知人名前情報および前記第１の利用者の第２の知人の第２の知人名前情報を、前記第１の利用者の第１の情報端末（Ａ）に送り、前記第１の情報端末が、前記第１の知人名前情報および第２の知人名前情報を表示し、前記第１の利用者が、前記第１の情報端末に表示された前記第１の知人名前情報を選択し、前記第１の情報端末が、前記第１の知人の選択情報を前記第２のサーバに送り、前記第２のサーバが、前記第１のＩＤに関連付けて記憶する前記第１の知人の第１の知人住所情報と、前記第１の知人名前情報を前記第１のサーバ（Ｘ）に送り、前記第１のサーバが、前記第１の商品情報に関連付けて前記第１の知人名前情報および前記第１の知人住所情報を発送処理システムに送ることで、前記第１の商品を前記第１の知人に送る発送処理を実行することを特徴とするシステムを提供する。【００２３】
本発明の一実施形態として、第１の利用者（Ａ）が利用する第１の物品販売サービスの第１のサーバ（Ｘ）が、前記第１の物品販売サービスが販売する第１の商品の第１の商品情報および前記第１の物品販売サービスが販売する第２の商品の第２の商品情報を、前記第１の利用者の第１の情報端末（Ａ）に送り、前記第１の情報端末が、前記第１の商品情報および前記第２の商品情報を表示し、前記第１の情報端末が、前記第１の利用者によって選択された前記第１の商品の第１の選択情報を前記第１のサーバに送り、前記第１の情報端末が、連携サービスを提供する第２のサーバ（Ｐ）より、第１のネットサービス（ｓＶ）の第１のネットサービス情報および第２のネットサービス（ｓＷ）の第２のネットサービス情報を受信し、前記第１の利用者が、前記第１の情報端末で前記第１のネットサービス情報を選択し、前記第１の情報端末が、前記第１のネットサービス情報で特定される前記第１のネットサービスを提供する第３のサーバ（Ｖ）に、前記第１の利用者を前記第１のネットサービスの利用者の中で一意に特定するための前記第１の利用者の第１のＩＤおよび前記第１の利用者の第１のパスワードを送り、前記第３のサーバが前記第１のＩＤおよび前記第１のパスワードで前記第１の利用者を認証し、前記第３のサーバが前記第１のＩＤに関連付けて記憶する、前記第１の利用者の第１の知人の第１の知人名前情報および前記第１の利用者の第２の知人の第２の知人名前情報を、前記第１の利用者の第１の情報端末に送り、前記第１の情報端末が、前記第１の知人名前情報および第２の知人名前情報を表示し、前記第１の利用者が、前記第１の情報端末に表示された前記第１の知人名前情報を選択し、前記第１の情報端末が、前記第１の知人の選択情報を前記第３のサーバに送り、前記第３のサーバが、前記第１のＩＤに関連付けて記憶する前記第１の知人の第１の知人住所情報と、前記第１の知人名前情報を前記第１のサーバ（Ｘ）に送り、前記第１のサーバが、前記第１の商品情報に関連付けて前記第１の知人名前情報および前記第１の知人住所情報を発送処理システムに送ることで、前記第１の商品を前記第１の知人に送る発送処理を実行することを特徴とするシステムを提供する。【００２４】
本発明の一実施形態として、物品販売サービスを提供するサーバであって、第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを第１のテーブルに記憶し、前記第１の利用者が第１のネットサービスの第１のネットサービスサーバ（Ｖ）で記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、受信した前記第１の知人名前情報、前記第１の知人住所情報、前記第２の知人名前情報、前記第２の知人住所情報を前記第１のテーブルに前記第１の商品ＩＤと関連付けて記憶し、前記第１の情報端末に前記第１の知人名前情報および前記第２の知人名前情報を送り、前記第１の情報端末より前記第１の知人の選択情報を受信し、前記第１の知人名前情報および前記第１の知人住所情報を、商品発送システムに送ることで、前記第１の商品を前記第１の知人に送ることを特徴とするサーバを提供する。【００２５】
本発明の一実施形態として、物品販売サービスを提供するサーバであって、第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを第１のテーブルに記憶し、前記第１の利用者が第１のネットサービスの第１のネットサービスサーバ（Ｖ）で記憶する、前記第１の利用者の第１の利用者名前情報および第１の利用者住所情報、ならびに前記第１の利用者の第１の知人の第１の知人名前情報および第１の知人住所情報を、前記第１のネットサービスサーバより受信し、受信した前記第１の利用者名前情報、前記第１の利用者住所情報、前記第１の知人名前情報、前記第１の知人住所情報を前記第１のテーブルに前記第１の商品ＩＤと関連付けて記憶し、前記第１の情報端末に前記第１の利用者名前情報および前記第１の知人名前情報を送り、前記第１の情報端末より前記第１の利用者の選択情報を受信し、前記第１の利用者名前情報および前記第１の利用者住所情報を、商品発送システムに送ることで、前記第１の商品を前記第１の利用者に送ることを特徴とするサーバを提供する。【００２６】
本発明の一実施形態として、物品販売サービスを提供するサーバであって、第１の利用者の第１の情報端末に、第１の商品の第１の商品情報および第２の商品の第２の商品情報を送り、前記第１の情報端末より前記第１の商品の第１の選択情報を受信し、前記第１の商品を一意に特定する第１の商品ＩＤを第１のテーブルに記憶し、前記第１の利用者が第１のネットサービスの第１のネットサービスサーバ（Ｖ）で記憶する前記第１の利用者の第１の利用者名前情報および第１の利用者住所情報を前記第１のネットサービスサーバより受信し、受信した前記第１の利用者名前情報および前記第１の利用者住所情報を前記第１のテーブルに前記第１の商品ＩＤと関連付けて記憶し、前記第１の利用者名前情報および第１の利用者住所情報を、商品発送システムに送ることで、前記第１の商品を前記第１の利用者に送る第１の発送処理を実行し、第２の利用者の第２の情報端末に、前記第１の商品情報および前記第２の商品情報を送り、前記第２の情報端末より前記第１の商品の第２の選択情報を受信し、前記第１の商品ＩＤを第２のテーブルに記憶し、前記第２の利用者が第２のネットサービスの第２のネットサービスサーバ（Ｗ）で記憶する前記第２の利用者の第２の利用者名前情報および第２の利用者住所情報を前記第２のネットサービスサーバより受信し、受信した前記第２の利用者名前情報および前記第２の利用者住所情報を前記第２のテーブルに前記第１の商品ＩＤと関連付けて記憶し、前記第２の利用者名前情報および第２の利用者住所情報を、商品発送システムに送ることで、前記第１の商品を前記第２の利用者に送る第２の発送処理を実行することを特徴とするサーバを提供する。【００２７】
本発明の一実施形態として、物品販売サービスを提供するサーバであって、第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを第１のテーブルに記憶し、前記第１の情報端末に、前記第１の情報端末が連携サービスサーバから第１のネットサービスの第１のネットサービス情報および第２のネットサービスの第２のネットサービス情報を呼び出す要求を送り、前記要求にしたがって前記連携サービスサーバから前記第１の情報端末に送られた前記第１のネットサービス情報および前記第２のネットサービス情報のなかから、前記第１の利用者が前記第１の情報端末で選択した前記第１のネットサービスの第１のネットサービスサーバ（Ｖ）で記憶する、前記第１の利用者の第１の知人の第１の知人名前情報および第１の知人住所情報、および前記第１の利用者の第２の知人の第２の知人名前情報および第２の知人住所情報を、前記第１のネットサービスサーバより受信し、受信した前記第１の知人名前情報、前記第１の知人住所情報、前記第２の知人名前情報、前記第２の知人住所情報を前記第１のテーブルに前記第１の商品ＩＤと関連付けて記憶し、前記第１の情報端末に前記第１の知人名前情報および前記第２の知人名前情報を送り、前記第１の情報端末より前記第１の知人の選択情報を受信し、前記第１の知人名前情報および前記第１の知人住所情報を、商品発送システムに送ることで、前記第１の商品を前記第１の知人に送ることを特徴とするサーバを提供する。【００２８】
本発明の一実施形態として、物品販売サービスを提供するサーバであって、第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを第１のテーブルに記憶し、連携サービスより第１のネットサービスの第１のネットサービス情報および第２のネットサービスの第２のネットサービス情報を受信し、前記第１の情報端末に、前記第１のネットサービス情報および前記第２のネットサービス情報を送り、前記利用者Ａが前記第１の情報端末で選択した前記第１のネットサービスの第１のネットサービスサーバ（Ｖ）で記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、受信した前記第１の知人名前情報、前記第１の知人住所情報、前記第２の知人名前情報、前記第２の知人住所情報を前記第１のテーブルに前記第１の商品ＩＤと関連付けて記憶し、前記第１の情報端末に前記第１の知人名前情報および前記第２の知人名前情報を送り、前記第１の情報端末より前記第１の知人の選択情報を受信し、前記第１の知人名前情報および前記第１の知人住所情報を、商品発送システムに送ることで、前記第１の商品を前記第１の知人に送ることを特徴とするサーバを提供する。【００２９】
本発明の一実施形態として、物品販売サービスを提供するサーバであって、第１の利用者が第１のネットサービスを提供する第１のネットサービスサーバ（Ｖ）で記憶する、前記第１の利用者の第１の知人の第１の知人名前情報および第１の知人住所情報、ならびに前記第１の利用者の第２の知人の第２の知人名前情報および第２の知人住所情報を、前記第１のネットサービスサーバより受信し、受信した前記第１の知人名前情報、前記第１の知人住所情報、前記第２の知人名前情報、前記第２の知人住所情報を第１のテーブルに記憶し、前記第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを前記第１のテーブルに、前記第１の知人名前情報、前記第１の知人住所情報、前記第２の知人名前情報、および前記第２の知人住所情報と関連付けて記憶し、前記第１の情報端末に前記第１の知人名前情報および前記第２の知人名前情報を送り、前記第１の情報端末より前記第１の知人の選択情報を受信し、前記第１の知人名前情報および前記第１の知人住所情報を、商品発送システムに送ることで、前記第１の商品を前記第１の知人に送ることを特徴とするサーバを提供する。【００３０】
本発明の一実施形態として、物品販売サービスを提供するサーバであって、第１の利用者が第１のネットサービスを提供する第１のネットサービスサーバ（Ｖ）で記憶する、前記第１の利用者の第１の利用者名前情報および第１の利用者住所情報、ならびに前記第１の利用者の第１の知人の第１の知人名前情報および第１の知人住所情報を、前記第１のネットサービスサーバより受信し、受信した前記第１の利用者名前情報、前記第１の利用者住所情報、前記第１の知人名前情報および前記第１の知人住所情報を第１のテーブルに記憶し、前記第１の利用者の第１の情報端末に、第１の商品の第１の商品情報および第２の商品の第２の商品情報を送り、前記第１の情報端末より前記第１の商品の選択情報を受信し、前記第１の商品を一意に特定する第１の商品ＩＤを前記第１のテーブルに、前記第１の利用者名前情報、前記第１の利用者住所情報、前記第１の知人名前情報、および前記第１の知人住所情報と関連付けて記憶し、前記第１の情報端末に前記第１の利用者名前情報および前記第１の知人名前情報を送り、前記第１の情報端末より前記第１の利用者の選択情報を受信し、前記第１の利用者名前情報および前記第１の利用者住所情報を、商品発送システムに送ることで、前記第１の商品を前記第１の利用者に送ることを特徴とするサーバを提供する。【００３１】
本発明の一実施形態として、物品販売サービスを提供するサーバであって、第１の利用者が第１のネットサービスを提供する第１のネットサービスサーバ（Ｖ）で記憶する、前記第１の利用者の第１の利用者名前情報および第１の利用者住所情報を前記第１のネットサービスサーバより受信し、前記第１の利用者の第１の情報端末に、第１の商品の第１の商品情報および第２の商品の第２の商品情報を送り、前記第１の情報端末より前記第１の商品の第１の選択情報を受信し、前記第１の利用者名前情報および前記第１の利用者住所情報を、商品発送システムに送ることで、前記第１の商品を前記第１の利用者に送る第１の発送処理を実行し、第２の利用者が第２のネットサービスを提供する第２のネットサービスサーバ（Ｗ）で記憶する、前記第２の利用者の第２の利用者名前情報および第２の利用者住所情報を前記第２のネットサービスサーバより受信し、前記第２の利用者の第２の情報端末に、前記第１の商品情報および前記第２の商品情報を送り、前記第２の情報端末より前記第１の商品の第２の選択情報を受信し、前記第２の利用者名前情報および前記第２の利用者住所情報を、商品発送システムに送ることで、前記第１の商品を前記第２の利用者に送る第１の発送処理を実行することを特徴とするサーバを提供する。【００３２】
本発明の一実施形態として、ネットサービスを提供するサーバ（Ｖ）であって、第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末（Ａ）に送り、前記第１の情報端末より、前記第１の知人の選択情報を受信し、前記第１の知人名前情報および前記第１のＩＤに関連付けて記憶する前記第１の知人の第１の知人住所情報を、前記第１の利用者が第１の物品販売サービス（Ｘ）で販売される商品を前記第１の知人に配送するために、前記第１の物品販売サービスの第１の物品販売サーバに送り、前記第１の知人名前情報および前記第２の知人名前情報を前記第１の情報端末に送り、前記第１の情報端末より、前記第２の知人の選択情報を受信し、前記第２の知人名前情報および前記第１のＩＤに関連付けて記憶する前記第２の知人の第２の知人住所情報を、前記第１の利用者が第２の物品販売サービス（Ｙ）で販売される商品を前記第２の知人に配送するために、前記第２の物品販売サービスの第２の物品販売サーバに送ることを特徴とするサーバを提供する。【００３３】
本発明の一実施形態として、ネットサービスを提供するサーバ（Ｖ）であって、第１の利用者を前記ネットサービスの利用者の中で一意に特定する第１のＩＤに関連付けて記憶された、前記第１の利用者の第１の利用者名前情報と、前記第１の利用者の第１の知人の第１の知人名前情報を、前記第１の利用者の第１の情報端末（Ａ）に送り、前記第１の情報端末より、前記第１の知人の選択情報を受信し、前記第１の知人名前情報および前記第１のＩＤに関連付けて記憶する前記第１の知人の第１の知人住所情報を、前記第１の利用者が第１の物品販売サービス（Ｘ）で販売される商品を前記第１の知人に配送するために、前記第１の物品販売サービスの第１の物品販売サーバに送り、前記第１の利用者名前情報および前記第１の知人名前情報を前記第１の情報端末に送り、前記第１の情報端末より、前記第１の利用者の選択情報を受信し、前記第１の利用者名前情報および前記第１のＩＤに関連付けて記憶する前記第１の利用者の第１の利用者住所情報を、前記第１の利用者が第２の物品販売サービス（Ｙ）で販売される商品を前記第１の利用者に配送するために、前記第２の物品販売サービスの第２の物品販売サーバに送ることを特徴とするサーバを提供する。【００３４】
本発明の一実施形態として、ネットサービスを提供するサーバ（Ｖ）であって、第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末（Ａ）に送り、前記第１の情報端末より、前記第１の知人の選択情報を受信し、連携サービスの連携サービスサーバより、第１の物品販売サービスの第１の物品販売サービス情報および第２の物品販売サービスの第２の物品販売サービス情報を受信し、前記第１の情報端末に、前記第１の物品販売サービス情報および前記第２の物品販売サービス情報を送り、前記第１の情報端末から前記第１の物品販売サービスの選択情報を受信し、前記第１の知人名前情報および前記第１のＩＤに関連付けて記憶する前記第１の知人の第１の知人住所情報を、前記第１の利用者が前記第１の物品販売サービスで販売される商品を前記第１の知人に配送するために、前記第１の物品販売サービスの第１の物品販売サーバに送り、前記第１の知人名前情報および前記第２の知人名前情報を前記第１の情報端末に送り、前記第１の情報端末より、前記第２の知人の選択情報を受信し、前記連携サービスサーバより、前記第１の物品販売サービス情報および前記第２の物品販売サービス情報を受信し、前記第１の情報端末に、前記第１の物品販売サービス情報および前記第２の物品販売サービス情報を送り、前記第１の情報端末から前記第２の物品販売サービスの選択情報を受信し、前記第２の知人名前情報および前記第１のＩＤに関連付けて記憶する前記第２の知人の第２の知人住所情報を、前記第１の利用者が前記第２の物品販売サービスで販売される商品を前記第２の知人に配送するために、前記第２の物品販売サービスの第２の物品販売サーバに送ることを特徴とするサーバを提供する。【００３５】
本発明の一実施形態として、ネットサービスを提供するサーバ（Ｖ）であって、第１の利用者を前記ネットサービスの利用者の中で一意に特定する第１のＩＤに関連付けて記憶された、前記第１の利用者の第１の知人の第１の知人名前情報および前記第１の利用者の第２の知人の第２の知人名前情報を、前記第１の利用者の第１の情報端末（Ａ）に送り、前記第１の情報端末より、前記第１の知人の選択情報を受信し、前記第１の利用者が、前記第１の情報端末で連携サービスの連携サーバより受信した、第１の物品販売サービスの第１の物品販売サービス情報および第２の物品販売サービスの第２の物品販売サービス情報の２つの中から前記第１の物品販売サービス情報を選択した選択情報を受信し、前記第１の知人名前情報および前記第１のＩＤに関連付けて記憶する前記第１の知人の第１の知人住所情報を、前記第１の利用者が前記第１の物品販売サービスで販売される商品を前記第１の知人に配送するために、前記第１の物品販売サービスの第１の物品販売サーバに送り、前記第１の知人名前情報および前記第２の知人名前情報を前記第１の情報端末に送り、前記第１の情報端末より、前記第２の知人の選択情報を受信し、前記第１の利用者が、前記第１の情報端末で連携サービスの連携サーバより受信した、前記第１の物品販売サービス情報および前記第２の物品販売サービス情報の２つの中から前記第２の物品販売サービス情報を選択した選択情報を受信し、前記第２の知人名前情報および前記第１のＩＤに関連付けて記憶する前記第２の知人の第２の知人住所情報を、前記第１の利用者が前記第２の物品販売サービスで販売される商品を前記第２の知人に配送するために、前記第２の物品販売サービスの第２の物品販売サーバに送ることを特徴とするサーバを提供する。【００３６】
本発明の一実施形態においては、一度あるＷｅｂサービスで入力した送付先情報を、別のＷｅｂサービスでも再利用可能とする。これにより、携帯端末で利用者がギフトやポストカードのＷｅｂサービスを利用する際の、表示および入力のステップを減少させることができ、携帯端末を使ったギフトやポストカードのＷｅｂサービスの普及を促進することができる。【００３７】
これまで、利用者があるＷｅｂサービスに記憶した送付先情報を、他のＷｅｂサービスの送付先情報として利用することは実現も想到もされていない。その理由は、Ｗｅｂサービスの運営者にとって、利用者の送付先情報は収益の源泉、もしくは競合事業者に対する差別化の道具と考えられているため、実現や想到に対する阻害要因があるからである。たとえば上記の例で、利用者Ａの送付先情報である名前や住所などが、ＷｅｂサービスＺのサーバに記憶され、利用者ＡがＷｅｂサービスＺを使う時のみに、この送付先情報を再利用して、携帯端末への入力を省略できるとする。この携帯端末への入力の省略という利便性によって、利用者ＡはＷｅｂサービスＺでギフトやポストカードの配送、送付の依頼を行う可能性が高まる。【００３８】
ＷｅｂサービスＺのサーバに記憶された利用者Ａの送付先情報を、利用者ＡがＷｅｂサービスＹからも利用できるようにするためには、これまでの方法またはシステムによれば、ＷｅｂサービスＺに記憶された利用者Ａの送付先情報をＷｅｂサービスＹのサーバに送り、そこで記憶する必要がある。このことは、利用者ＡにとってのＷｅｂサービスＹに対するＷｅｂサービスＺの競争優位を消失させるため、ＷｅｂサービスＺはそのサーバで記憶する利用者の送付先情報を、他のＷｅｂサービスのサーバに送ることはなかった。【００３９】
本発明の発明者は別の特許出願において、異なるＷｅｂサービスで、知人情報を相互利用する方法を提案している。しかし、携帯端末を利用したギフトのためのＷｅｂサービスにおいて、利用者の入力ステップ数を減少させ、利用を促進するための、送付先の相互利用のための方法およびシステムは存在しなかった。【００４０】
本発明の一実施形態として、商品認識票（商品ＩＤ）と商品付加情報とを関連づけて記憶する第一のテーブル（商品ＵＲＬテーブル）を有し第一のＷｅｂサービス（サービスＹ）を提供する第一のサーバ（Ｙ）が前記商品認識票を表す画像コードを生成し、携帯端末が前記第一のＷｅｂサービス（サービスＹ）における利用者（Ａ）の第一の利用者認識票（ＩＤｙａ）を前記第一のサーバ（Ｙ）に送り、前記第一のサーバ（Ｙ）が前記第一の利用者認識票（ＩＤｙａ）を認証し、前記携帯端末が前記画像コードを読み取った後に前記商品認識票を前記第一のサーバ（Ｙ）に送り、前記第一のサーバ（Ｙ）が前記商品認識票（商品ＩＤ）と前記第一の利用者認識票（ＩＤｙａ）を第二のサーバ（Ｘ）に送り、前記第二のサーバ（Ｘ）が前記商品認識票（商品ＩＤ）と前記第一の利用者認識票（ＩＤｙａ）を関連づけて第二のテーブル（商品送付情報一時記憶テーブル）の第一の行に記憶し、前記携帯端末が第二のＷｅｂサービス（サービスＺ）における前記利用者の第二の利用者認識票（ＩＤｚａ）を、前記第二のＷｅｂサービス（サービスＺ）を提供する第三のサーバ（Ｚ）に送り、前記第三のサーバ（Ｚ）が前記第二の利用者認識票（ＩＤｚａ）を認証し、前記第三のサーバ（Ｚ）が記憶する前記利用者の送付先情報を前記携帯端末に送り、前記携帯端末が前記利用者の送付先情報を表示し、前記携帯端末が前記利用者の選択した選択済送付先情報を前記第三のサーバ（Ｚ）に送り、前記第三のサーバ（Ｚ）が前記選択済送付情報を前記第二のサーバ（Ｘ）に送り、前記第二のサーバ（Ｘ）は前記選択済送付情報を前記第一の行に前記商品認識票（商品ＩＤ）および前記第一の利用者認識票（ＩＤｙａ）と関連づけて前記第二のテーブルの前記第一の行に記憶し、前記第二のサーバ（Ｘ）が前記第一のサーバ（Ｙ）より決済完了情報を受信すると、前記第二のサーバ（Ｘ）は前記選択済送付情報を印刷装置（送付先印刷装置）に送る処理を実行すること特徴とするシステムが開示される。【００４１】
本発明の一実施形態として、第一のサーバ（Ｙ）より利用者の携帯端末から送られた商品認識票と利用者の第一のＷｅｂサービスにおける利用者認識票（ＩＤｙａ）を受信し、前記商品認識票と前記利用者認識票を関連づけてテーブル（商品送付情報一時記憶テーブル）の行に記憶し、第二のサーバ（Ｚ）の記憶する前記利用者の送付先情報の中から、前記利用者の前記携帯端末から前記第二のサーバ（Ｚ）に送られた送付先選択情報により選択された選択済送付先情報を受信し、前記選択済送付先情報を、前記商品認識票と前記利用者認識票（ＩＤｙａ）に関連づけて前記テーブルの前記行に記憶し、前記第一のサーバ（Ｙ）より決済完了情報を受信すると、前記選択済送付情報を印刷装置に送ることを特徴とするサーバが開示される。【００４２】
本発明の一実施形態として、第一のＷｅｂサービス（サービスＹ）に対して利用者の前記第一のＷｅｂサービスにおける第一の認識票と前記利用者の前記第一のＷｅｂサービス（サービスＹ）における第一の認証情報（ＩＤｘａ）を、前記第一のＷｅｂサービス（サービスＹ）を提供する第一のサーバ（Ｙ）に送り、連携サービス（Ｘ）を提供する第二のサーバ（Ｘ）より、前記第一のＷｅｂサービス（サービスＹ）以外の複数のＷｅｂサービスを各々示す複数のサービス認識票からなるサービス認識票群を受信し、前記サービス認識票群から前記利用者が入力手段を用いて選択した第三のＷｅｂサービス（サービスＺ）を示す特定サービス認識票を前記第二のサーバ（Ｘ）に送り、前記第三のＷｅｂサービス（サービスＺ）を提供する第三のサーバ（Ｚ）に、前記利用者の前記第三のＷｅｂサービス（サービスＺ）における第二の認識票と前記利用者の前記第三のＷｅｂサービス（サービスＺ）における第二の認証情報（ＩＤｚａ）を、前記第三のサーバに送り、前記第三のサーバ（Ｚ）より、前記第三のサーバ（Ｚ）が記憶する前記利用者の複数の送付先情報群を受信し、前記送付先情報群の中から前記利用者が前記入力手段を用いて選択した部分送付先情報群を前記第三のサーバ（Ｚ）に送り、前記第一のサーバ（Ｙ）に対して決済情報を送ることを特徴とする携帯端末が開示される。
【発明の効果】
【００４３】
本発明によれば、利用者がネットサービスの広告を通じて物品販売サービスに移動した際の、商品の購入および発送処理のステップ数を減少させ、利用者にとっての利便性を向上することができる。さらに、物品販売サービスにおける成約率を有意に向上させ、ネットサービスおよび物品販売サービスの収益をともに増大させることができる。【００４４】
また、本発明によれば、利用者が携帯端末を利用して、あるＷｅｂサービスで物品または郵便物を購入し配送、送付を依頼する際に、他のＷｅｂサービスのサーバに記憶させた送付先情報である名前や住所などを、このＷｅｂサービスで物品または郵便物を送る配送先、送付先として利用することができる。このことで、従来の方法やシステムによるＷｅｂサービスより、表示および入力のステップ数を減少させることができ、利用者の利便性が向上する。また、本発明では、この効果を実現するにもかかわらず、他のＷｅｂサービスのサーバに記憶させた利用者の送付先情報を、あるＷｅｂサービスのサーバに送る必要がなく、あるＷｅｂサービスの運営者がこの送付先情報を利用することができない。また、あるＷｅｂサービスのサーバは、このＷｅｂサービスの送付先情報を受信する必要がないので、あるＷｅｂサービスの運営者は個人情報漏洩リスクの低減を図ることができる。さらに本発明では、他のＷｅｂサービスの運営者は、特定のＷｅｂサービスに対してのみ、他のＷｅｂサービスのサーバに記憶されている利用者の送付先情報の利用を許可することができる。これらの効果の結果として、携帯端末による複数のＷｅｂサービス間での、送付先情報の相互利用が促進され、利用者にとっての利便性と、本発明を使って連携するすべてのＷｅｂサービス運営者の収益性がともに向上する。
【図面の簡単な説明】
【００４５】
【図１】本発明の一実施形態に係る物品発送処理システムの概略構成図
【図２】本発明の一実施形態に係る連携サービスＸのサーバの概略構成の一例図
【図３】本発明の一実施形態に係る送付先印刷装置の概略構成の一例図
【図４】本発明の一実施形態に係るＷｅｂサービスＹのサーバの概略構成の一例図
【図５】本発明の一実施形態に係るＷｅｂサービスＺのサーバの概略構成の一例図
【図６】本発明の一実施形態に係る利用者Ａの携帯端末の概略構成の一例図
【図７】本発明の一実施形態に係るＷｅｂサービスＹの管理端末およびＷｅｂサービスＺの概略構成の一例図
【図８】本発明の一実施形態に係る連携サービスＸにおけるアクセス制御処理のフロー図
【図９】本発明の一実施形態に係る管理端末に表示されるアクセス制御画面の一例図
【図１０】本発明の一実施形態に係るアクセス制御テーブルの一例図
【図１１】本発明の一実施形態においてＷｅｂサービスＹで販売される商品をギフトなどとして送る処理のフロー図
【図１２】本発明の一実施形態における商品ＵＲＬテーブルの一例図
【図１３】本発明の一実施形態における商品ＵＲＬを表わす画像コードの一例図
【図１４】本発明の一実施形態における商品確認画面の一例図
【図１５】本発明の一実施形態における認証画面の一例図
【図１６】本発明の一実施形態における利用者テーブルの一例図
【図１７】本発明の一実施形態に係るサーバＸにおける送付処理のフロー図
【図１８】本発明の一実施形態における商品送付一時記憶テーブルの一例図
【図１９】本発明の一実施形態におけるサービス連携画面の一例図
【図２０】本発明の一実施形態に係るＷｅｂサービスＺの認証画面の一例図
【図２１】本発明の一実施形態に係るＷｅｂサービスＺの利用者テーブルの一例図
【図２２】本発明の一実施形態に係るＷｅｂサービスＺにおける送付先テーブルの一例図
【図２３】本発明の一実施形態に係るＷｅｂサービスＺに記憶されている送付先リストの表示の一例図
【図２４】本発明の一実施形態における商品送付情報一時記憶テーブルの一例図
【図２５】本発明の一実施形態において、商品の送付先をＷｅｂサービスＹの送付先リストの中から選択する処理のフロー図
【図２６】本発明の一実施形態における利用者テーブルの一例図
【図２７】本発明の一実施形態に係るＷｅｂサービスＺにおける送付先テーブルの一例図
【図２８】本発明の一実施形態に係るＷｅｂサービスＹの送付先リストの表示の一例図
【図２９】本発明の一実施形態における商品送付情報一時記憶テーブルの一例図
【図３０】本発明の一実施形態において、選択された商品を送付先に発送するまでの処理のフロー図
【図３１】本発明の一実施形態における発送伝票画像の一例図
【図３２】本発明の一実施形態に係る物品販売システムの概略構成図である。
【図３３】本発明の一実施形態に係る情報端末の概略構成図である。
【図３４】本発明の一実施形態に係る連携サービスのサーバの概略構成図である。
【図３５】本発明の一実施形態に係る物品サービスのサーバの概略構成図である。
【図３６】本発明の一実施形態に係るネットサービスの概略構成図である。
【図３７】本発明の一実施形態に係る発送情報処理装置の概略構成図である。
【図３８】本発明の一実施形態に係るネットサービスと物品販売の連携処理のフローチャートである。
【図３９】本発明の一実施形態に係る知人情報テーブルの一例図である。
【図４０】本発明の一実施形態に係るネットサービスにおける利用者の知人情報表示画面の一例図である。
【図４１】本発明の一実施形態に係るネットサービスのサーバ内の記憶手段に作られた一時記憶テーブルの構造図である。
【図４２】本発明の一実施形態に係るネットサービスのサーバ内の記憶手段に作られた一時記憶テーブルの一例図である。
【図４３】本発明の一実施形態に係るネットサービスにおける物販サービス選択画面の一例図である。
【図４４】本発明の一実施形態に係るネットサービステーブルの一例図である。
【図４５】本発明の一実施形態に係る物品販売サービスで利用者が物品を知人に送るための処理のフローチャートである。
【図４６】本発明の一実施形態に係る物品販売サービスで利用者が物品を知人に送るための処理において生成されるテーブルの構造を示す図である。
【図４７】本発明の一実施形態に係る商品選択画面の一例図である。
【図４８】本発明の一実施形態に係る利用者情報画面の一例図である。
【図４９】本発明の一実施形態に係る送付先選択画面の一例図である。
【図５０】本発明の一実施形態に係る送付先選択画面の一例図である。
【図５１】本発明の一実施形態に係る知人情報表示画面の一例図である。
【図５２】本発明の一実施形態に係るサーバの一時記憶テーブルの一例図である。
【図５３】本発明の一実施形態に係る物販サービス選択画面の一例図である。
【図５４】本発明の一実施形態に係るサーバの一時記憶テーブルの一例図である。
【図５５】本発明の一実施形態に係る利用者情報画面の一例図である。
【図５６】本発明の一実施形態に係る送付先選択画面の一例図である。
【図５７】本発明の一実施形態に係る送付先選択画面の一例図である。
【図５８】本発明の一実施形態に係る処理のフローチャートである。
【図５９】本発明の一実施形態に係る利用者情報画面の一例図である。
【図６０】本発明の一実施形態に係る認証画面の一例図である。
【発明を実施するための形態】
【００４６】
以下に本発明を実施するための、現在考えられる最善の形態について説明する。なお、本発明の範囲は、添付特許請求の範囲によって明確に定義されているため、この説明は限定的な意味に解釈すべきではなく、単に発明の一般原理を例示する目的で行う。
【００４７】
（実施形態１）
図１は、本発明の実施形態１に係る物品発送処理システムの概略構成図である。本実施形態に係る物品発想処理システムは、連携サービスＸのサーバ１００、送付先印刷装置１２０、ＷｅｂサービスＹのサーバ１４０、ＷｅｂサービスＺのサーバ１６０、利用者Ａの携帯端末１７０、ＷｅｂサービスＹの管理端末１８０、およびＷｅｂサービスＺの管理端末１８５を有し、これらがネットワークを通じて接続されている。また、画像コード印刷・表示装置１５０はＷｅｂサービスＹのサーバ１４０に接続されている。この接続は、直接的なものであってもネットワーク１９０や他のネットワークを介するものであってもよい。
【００４８】
図２は、連携サービスＸのサーバ１００の概略構成の一例図である。連携サービスのサーバ１００は、送受信手段１０１、ＨＴＭＬ生成手段１０２、不揮発記憶手段１０３、一時記憶手段１０６、検索手段１１０、発送番号生成手段１１１、印刷情報生成手段１１２、およびアクセス制御手段１１３を有する。不揮発記憶手段１０３はアクセス制御テーブル１０４を有する。一時記憶手段１０６は、一時記憶領域１０７、および商品送付情報一時記憶テーブル１０８を有する。
【００４９】
図３は、送付先印刷装置１２０の概略構成の一例図である。送付先印刷装置１２０は、送受信手段１２１、および印刷手段１２２を有する。
【００５０】
図４は、ＷｅｂサービスＹのサーバ１４０の概略構成の一例図である。ＷｅｂサービスＹのサーバ１４０は、送受信手段１４１、ＨＴＭＬ生成手段１４２、認証手段１４３、記憶手段１４４、検索手段１４８、画像コード生成手段１４９、および決済手段１２７を有する。また記憶手段１４４は、商品ＵＲＬテーブル１４５、送付先テーブル群１４６、利用者テーブル１４７、および選択商品記憶領域１２５を有する。
【００５１】
図５は、ＷｅｂサービスＺのサーバ１６０の概略構成の一例図である。ＷｅｂサービスＺのサーバ１６０は、送受信手段１６１、ＨＴＭＬ生成手段１６２、認証手段１６３、記憶手段１６４、検索手段１６８、画像コード生成手段１６９、および決済手段１２８を有する。また記憶手段１６４は、商品ＵＲＬテーブル１６５、送付先テーブル群１６６、利用者テーブル１６７、および選択商品記憶領域１２６を有する。
【００５２】
図６は、利用者Ａの携帯端末１７０の概略構成の一例図である。利用者Ａの携帯端末１７０は、送受信手段１７１、ＨＴＭＬ解析手段１７２、表示手段１７３、入力手段１７４、画像読取り手段１７５、画像コード解析手段１７６、および記憶手段１７７を有する。
【００５３】
図７は、ＷｅｂサービスＹの管理端末１８０、およびＷｅｂサービスＺの概略構成の一例図である。ＷｅｂサービスＹの管理端末１８０は、送受信手段１８１、ＨＴＭＬ解析手段１８２、表示手段１８３、および入力手段１８４を有する。ＷｅｂサービスＺの管理端末
１８５は送受信手段１８６、ＨＴＭＬ解析手段１８７、表示手段１８８、および入力手段１８９を有する。
【００５４】
次に、図８に示すフロー図を用いて、連携サービスＸにおけるアクセス制御について説明する。連携サービスＸにおけるアクセス制御とは、他のＷｅｂサービスのサーバが記憶する利用者の送付先情報を、その利用者が別のＷｅｂサービスを通じて利用してもよいか否かを、他のＷｅｂサービスの運営者及び／又は他のＷｅｂサービスの利用者が選択することである。たとえば、ＷｅｂサービスＺで管理する利用者Ａの送付先情報を、利用者ＡがＷｅｂサービスＹを通じて利用できるか否かを、ＷｅｂサービスＺの管理者が設定することができる。本実施形態では、ＷｅｂサービスＹは物品や印刷物などを利用者に販売し利用者が配送を依頼するサービスとする。またＷｅｂサービスＺは物品や印刷物などを利用者に販売し利用者が配送するサービス、またはＳＮＳ、メール、チャット、音声通話などを提供するＷｅｂサービスであるとする。またＷｅｂサービスＹやＷｅｂサービスＺはどのようなＷｅｂサービスであってもよい。ＷｅｂサービスＹは、ウェブサービスＹのサーバ１４０によって提供される。またＷｅｂサービスＺは、ウェブサービスＺのサーバ１６０によって提供される。以下では連携サービスＸのサーバ１００をサーバＸ、ＷｅｂサービスＹのサーバ１４０をサーバＹ、ＷｅｂサービスＺのサーバ１６０をサーバＺと各々略記する。また、以下のフロー図中では、ＷｅｂサービスＺの管理端末１８５を管理端末Ｚ、またＷｅｂサービスＹの管理端末１８０を管理端末Ｙと各々略記する。
【００５５】
はじめに、ＷｅｂサービスＺの管理者が、管理端末Ｚ１８５から、サーバＺに認証を要求する（ステップＳ８０１）。この認証は、管理者ＩＤとパスワードの組み合わせなどで実現しても、他の方法で認証を実現してもよい。また管理端末Ｚ１８５が認証を要求する場合の発信元ＩＰアドレスを用いて認証してもよい。サーバＺの認証手段１６３が、サービスＺの管理端末を認証すると、サービスＺの管理端末の接続は、サーバＸにリダイレクトされる。次に、サーバＸのＨＴＭＬ生成手段１０２が、連携サービスのアクセス制御画面のＨＴＭＬコードを生成し、送受信手段１０１がこれを、ネットワーク１９０を通じて管理端末Ｚ１８５に送る（ステップＳ８０２）。管理端末Ｚ１８５の送受信手段１８６がこれを受信すると、ＨＴＭＬ解析手段１８７が解析した後、アクセス制御画面を表示手段１８８に表示する。
【００５６】
図９には、管理端末Ｚ１８５の表示手段１８８に表示された、アクセス制御画面の一例を示す。そのアクセス制御画面は、別のＷｅｂサービスにおいて利用者が配送を依頼する場合、サーバＺが記憶するＷｅｂサービスＺの利用者の送付先情報の利用を許可したり不許可にしたりする制御をする画面である。また、そのアクセス制御画面は、図９に示すように、送付先情報の利用を制御する画面であることを示す表示９００を有していてもよい。また、そのアクセス制御画面には、ＷｅｂサービスＺが連携可能な、別のＷｅｂサービスのリストが表示されている。サーバＺによって認証を受けたＷｅｂサービスＺの管理者は、入力手段１８９によりＷｅｂサービスのリストに表示されているチェックボックスを選択してオンにすることで、連携するＷｅｂサービスを選択することができる。図９に示す一例では、ＷｅｂサービスＺの管理者は、ＷｅｂサービスＹのチェックボックス９０１をオンにする。図９の一例でたとえば、チェックボックス９０１をオンにする操作は、ＷｅｂサービスＹの利用者が、サーバＺが記憶している利用者の送付先情報を、ＷｅｂサービスＹから利用できるようにすることである（ステップＳ８０３）。言い換えると、ＷｅｂサービスＹにて利用者が物品などの配送などを依頼する場合、サーバＺが記憶している送付先情報を用いることができるようにすることである。
【００５７】
次に、管理端末Ｚ１８５の送受信手段１８６が、ＷｅｂサービスＹを示す情報を、ネットワーク１９０を通じてサーバＸ１００に送る（ステップＳ８０４）。サーバＸの送受信手段１０１がこれを受信すると、不揮発記憶手段１０３の有するアクセス制御テーブル１０４に、新たな行を追加して、ＷｅｂサービスＹを示す情報を記憶する。図１０には、アクセス制御テーブル１０４の一例を示す。アクセス制御テーブルは、サービス認識票の列１０１０、および連携許可サービス認識票１０２０の列を有する。連携許可サービス認識票の各フィールドは不定長である。
【００５８】
ステップＳ８０４でアクセス制御を設定したＷｅｂサービスＺの認識票Ｚ．ｃｏｍ１０１１を有する行が追加され、ウェブサービスＺの連携許可サービスとしてＷｅｂサービスＹを示す認識票Ｙ．ｃｏｍ１０２１が記憶される（ステップＳ８０５）。なお、ステップＳ８０１からステップＳ８０５までの処理は、ＷｅｂサービスＺの管理者が、ＷｅｂサービスＺの利用者が、サーバＺに記憶されているその送付先情報を、ＷｅｂサービスＹを通じて利用可能になる設定を行なう処理に対応する。ここでＷｅｂサービスＺの利用者がサーバＺで記憶させている送付先情報は、送付先テーブル群１６６に記憶されている。
【００５９】
Ｗｅｂサービスの管理者はすべて、連携サービスＸにアクセスすることにより、相互に、このようなアクセス制御を設定することができる。たとえば図１０に示す一例では、ＷｅｂサービスＹの管理者はその管理端末Ｙ１８０から、アクセス制御テーブル１０４にＷｅｂサービスＹ１０１３の行を追加することで、ＷｅｂサービスＹの利用者がサーバＹで記憶させている送付先情報を、ＷｅｂサービスＺ１０２３、ＷｅｂサービスＷ１０３３、およびＷｅｂサービスＶ１０４３を通じて利用できるように設定することができる。このための処理は、上記ステップ８０１からＳ８０５と同様なので詳細は省略する。図１０に示す設定は、ＷｅｂサービスＹの管理者が、アクセス制御画面で連携対象サービスとしてＷｅｂサービスＺ、Ｗ、およびＶを選択することで実現される。このように、本実施形態では、Ｗｅｂサービスの管理者は、そのＷｅｂサービスの利用者が、そのＷｅｂサービスのサーバに記憶させている送付先情報を、他のＷｅｂサービスを通じて利用可能とするかどうかを設定できる。
【００６０】
任意の２つのＷｅｂサービスは、相互に他のＷｅｂサービスのサーバが記憶する送付先情報の利用を許可し合ってもよいし、そうでなくてもよい。たとえば図１０に示す一例では、ＷｅｂサービスＷ１０１２の利用者がそのサーバで記憶する送付先情報は、ＷｅｂサービスＶ１０２２を通じて利用可能であるが、ＷｅｂサービスＶ１０１４の利用者がそのサーバで記憶する送付先情報は、ＷｅｂサービスＷを通じて利用可能ではない。
【００６１】
次に、図１１に示すフロー図を用いて、利用者Ａが、ＷｅｂサービスＹで販売される商品を、ＷｅｂサービスＺのサーバ１６０に記憶されている送付先情報として登録されている利用者Ｂに、ギフトとして送る依頼を行なう処理を説明する。利用者Ｂへの送付先情報は、利用者ＡがＷｅｂサービスＺのサーバ１６０に記憶させたものである。あるいは、利用者Ｂへの送付先情報は、利用者Ａ以外の利用者がＷｅｂサービスＺのサーバ１６０に記憶させたものであってもよい。
【００６２】
なお、以下では、利用者Ａの携帯端末を携帯端末Ａと略記する。サーバＹの記憶手段１４４は商品ＵＲＬテーブル１４５を有し、商品に関連づけられた商品ＵＲＬと商品付加情報が記憶されているとする。図１２に、商品ＵＲＬテーブルの一例を示す。図１２に示す商品ＵＲＬの一例では、ＷｅｂサービスＹで販売される商品を一意に特定可能なＵＲＬに、商品名１２２０、商品価格１２３０、商品画像１２４０の３つの商品付加情報が関連づけられて記憶されている。商品ＵＲＬに関連づけられて記憶される商品付加情報は、いくつでもよく、またどのような情報でもよい。
【００６３】
まず、サーバＹの画像コード生成手段１４９は個々の商品ＵＲＬと１対１で対応した画像コードを生成し、画像コード印刷・表示装置がその画像コードを印刷または表示する（ステップＳ１１０１）。図１では、画像コード印刷・表示装置１５０とサーバＹ１４０とは接続されているが、これはネットワークを介した接続でもよい。また、サーバＹの画像コード生成手段により生成された画像コードは、たとえばテレビ受像器のような装置に表示されてもよい。また印刷コード印刷・表示装置はサーバＹと接続されておらず、サーバＹで生成された画像コードが記憶媒体に記憶され、画像コード印刷・表示装置により読み出された上で印刷されてもよい。さらに、画像コード生成手段は、サーバＹが有するのではなく、画像コード印刷・表示装置が有しており、画像コードの生成および印刷または表示が実行されるようになっていてもよい。
【００６４】
図１３に、商品ＵＲＬテーブルの商品ＵＲＬ９１１の画像コードの一例を示す。図１３に示す一例は、商品ＵＲＬ１２１１を二次元コード（例えばＩＳＯ／ＩＥＣ  １８００４規格）に従って画像コード１３００に変換したものである。画像コード１３００は、商品ＵＲＬを一意に決める画像であれば何でもよい。
【００６５】
本実施形態では、商品を利用者Ｂに送る際に必要な利用者Ｂの住所情報は、サーバＹには記憶されておらず、サーバＺの記憶手段１６４にある送付先テーブル１６６に記憶されていてもよい。すなわち本実施形態では、ＷｅｂサービスＹで販売される商品を、ＷｅｂサービスＺの送付先テーブルに記憶されている住所情報を用いて、利用者Ｂに送ることができる。この際、本実施形態によれば、サーバＺに記憶されている利用者Ｂの住所情報を、ＷｅｂサービスＹの運営者がそのサーバにデータベースとして記憶する必要がない。
【００６６】
次に、画像コード印刷・表示装置によって印刷または表示された画像コード１３００を、携帯端末Ａの画像読取り手段１７５が読み取とり、画像コード解析手段１７６が画像コード１３００を解析する。そして、画像コード１３００が表す商品ＵＲＬを抽出し、商品ＵＲＬを記憶手段１７７に記憶する。図１３に示す一例では、抽出された商品ＵＲＬはｈｔｔｐ：／／ｅｘａｍｐｌｅ．ｃｏｍ／ＴＢＬＷである。次に、送受信手段１７１がこの商品ＵＲＬを、ネットワーク１９０を通じてサーバＹ１４０に送る（ステップＳ１１０２）。
【００６７】
サーバＹの送受信手段１４１は、利用者Ａの携帯端末からこの商品ＵＲＬを受信する。次に、検索手段１４８が受信したこの商品ＵＲＬを検索キーとして、商品ＵＲＬテーブルを検索し、商品ＵＲＬ１２１１に関連づけて記憶されている商品付加情報を得る（ステップＳ１１０３）。次に、ＨＴＭＬ生成手段１４２が商品付加情報を含む、商品確認画面のＨＴＭＬコードを生成し、送受信手段１４１がこれを、ネットワーク１９０を通じて携帯端末Ａに送る（ステップＳ１１０４）。携帯端末Ａの送受信手段１７１がこのＨＴＭＬコードを受信すると、ＨＴＭＬ解析手段１７２がこれを解析し、表示手段１７３に表示する。図１４には、商品確認画面の一例を示す。
【００６８】
図１４において、携帯端末Ａの表示手段１７３には、表示されている画面がＷｅｂサービスＹの画面であることを示す表示１４００、サーバＹから携帯端末Ａが受信した商品付加情報が表示されている。図１４に示す商品付加情報１４０１および商品付加情報１４０２は各々、図１２に示す商品ＵＲＬテーブルの商品付加情報１２２１および商品付加情報１２３１に相当する。また図１４に示す商品付加情報１４０３は、図１２に示す商品ＵＲＬテーブルの商品付加情報１２４１のファイル名が表す画像ファイルである。次に、利用者Ａが携帯端末Ａの入力手段１７４を操作することで、表示手段１７３に表示された確認ボタン１４０４を選択する。すると、送受信手段１７１が、確認ボタンが選択されたことを示す情報を、ネットワーク１９０を通じてサーバＹ１４０に送る（ステップＳ１１０５）。
【００６９】
送受信手段１４１が、確認ボタンが選択されたことを示す情報を受信すると、選択商品記憶領域１２５にステップＳ１１０５で選択が確認された商品の商品ＵＲＬを記憶する。ＨＴＭＬ生成手段１４２が認証画面を表示するためのＨＴＭＬコードを生成し、送受信手段１４１がこのＨＴＭＬコードを、ネットワーク１９０を通じて携帯端末Ａに送る。携帯端末Ａの送受信手段１７１がこのＨＴＭＬコードを受信すると、ＨＴＭＬ解析手段１７２が解析し、その結果として認証画面が表示手段１７３に表示される。
【００７０】
図１５に、認証画面の一例を示す。利用者Ａは、入力手段１７４を利用して、ＷｅｂサービスＹにおけるＩＤをＩＤ入力欄１５０１に、またＷｅｂサービスＹにおけるパスワードをパスワード入力欄１５０２に各々入力した上、ログインボタン１５０３を選択する。図１５の一例では、ＩＤとして「ｂｅｔｔｙ＠ｅｘａｍｐｌｅ．ｃｏｍ」が、またパスワードとして「ｓｔｏｍｅ１２３」が各々入力されたとする。すると送受信手段１７１が入力されたＩＤおよびパスワードを、ネットワーク１９０を通じてサーバＹ１４０に送る。
【００７１】
サーバＹの送受信手段１４１がＩＤおよびパスワードを受信すると、受信したＩＤを検索キーとして検索手段１４８が記憶手段にある利用者テーブル１４７を検索する。この検索の結果、受信したＩＤと関連づけて利用者テーブルに記憶されているパスワードと、受信したパスワードが一致すると利用者Ａの認証が完了する（ステップＳ１１０７）。図１６に示す利用者テーブルの一例は、利用者ＩＤ１６１０、パスワード１６２０、付加情報１６３０、および送付先テーブル１６４０の各列を有する。利用者付加情報は複数あってもよく、また利用者の名前、住所など何であってもよい。
【００７２】
図１６に示す一例では、受信した「ｂｅｔｔｙ＠ｅｘａｍｐｌｅ．ｃｏｍ」を検索キーとして検索したパスワード「ｓｔｏｎｅ１３２」１６２１と、携帯端末Ａから受信したパスワードの一致を検出することで、利用者Ａを認証する。なおこの携帯端末ＡからサーバＹに送られる情報は、サーバＹが利用者Ａを認証可能な情報であれば何でもよい。たとえば、携帯端末Ａに記憶された携帯端末の識別子でもよく、また携帯端末Ａの画像読取り手段で読み取った利用者Ａの生体情報でもよい。
【００７３】
サーバＹによって利用者Ａが認証されると、サーバＹの送受信手段１４１は、ステップＳ１１０５の後に選択商品記憶領域１２５に記憶された商品ＵＲＬ、利用者ＡのＷｅｂサービスＹにおけるＩＤ、利用者Ａの利用者付加情報、およびＷｅｂサービスＹを示すサービス認識票をサーバＸ１００に送る（ステップＳ１１０８）。これは、送付元になる利用者Ａの情報と利用者Ａが送る商品を関連づけた状態でサーバＸに送ることを意味する。この時点で送付元が利用者Ａであることは確定しているが、受領者は未確定である。なお、ここでサーバＹからサーバＸに送られる利用者Ａの利用者ＩＤはサーバＹにおいて利用者Ａを一意に特定可能なＩＤであれば何でもよい。たとえば図１６に示す利用者テーブルに加えて、さらに一時ＩＤの列を持ち、一時ＩＤを利用者ＡのＩＤ１６１１と関連づけて記憶しておき、サーバＹにはＩＤ１６１１ではなく、これに関連づけた一時ＩＤを送ってもよい。このようにすることで、発送処理サービスＸの運営者に、利用者ＡのＷｅｂサービスＹにおけるＩＤを知られることなく、本発明の効果を得ることができる。
【００７４】
次に、図１７に示すフロー図を用いて、サーバＸにおける送付処理およびサービス連携のステップを説明する。サーバＸの送受信手段１０１がステップＳ１１０８でサーバＹから送られたス商品ＵＲＬ、利用者ＡのＷｅｂサービスＹにおけるＩＤ、利用者Ａの利用者付加情報、およびＷｅｂサービスＹを示すサービス認識票を、商品送付情報一時記憶テーブル１０８に記憶する（ステップＳ１７００）。図１８に、商品送付一時記憶テーブル１０８の一例を示す。商品送付一時記憶テーブルは、商品ＵＲＬの列１８１０、商品提供サービスの列１８２０、送付元名前の列１８３０、発送番号の列１８４０、送付先名前の列１８５０、および送付先住所の列１８６１を有する。商品送付一時記憶テーブルは、この他に、送付元の付加情報、送付先の付加情報などの列を有していてもよい。図１８に示す一例では、商品送付情報一時記憶テーブル１０８に行を追加した上で、その行にステップＳ１７００でサーバＹより受信した商品ＵＲＬ１８１１、利用者ＡのＷｅｂサービスにおけるＩＤ１８２１、商品提供サービスであるＷｅｂサービスＹのサービス認識票１８３１、および送付元である利用者ＡのＷｅｂサービスＹにおける付加情報である名前１８４１が関連づけられて記憶されている。この行の発送番号１８５１、送付先名前１８６１、送付先住所１８７１は、ステップＳ１７１０が実行されるまでは空である（あるいは、例えば空値が記憶される）。
【００７５】
次に、携帯端末Ａの接続が、サーバＹからサーバＸにリダイレクトされる（ステップＳ１７０１）。次に、サーバＸのＨＴＭＬ生成手段１０２が、サービス連携画面を表示するためのＨＴＭＬコードを生成し、送受信手段１０１がネットワークを通じて携帯端末Ａに送る。次に、携帯端末Ａの送受信手段１７１がこのＨＴＭＬコードを受信し、ＨＴＭＬ解析手段１７２がこれを解析した後、表示手段１７３がサービス連携画面を表示する（ステップＳ１７０２）。
【００７６】
図１９は、サービス連携画面１９００の一例を示す。図１９においては、携帯端末Ａの表示手段に表示されたサービス連携画面１９００は、これがＷｅｂサービスＹの画面であることを示す表示１９０１を有する。このサービス連携画面１９００は、サーバＸより携帯端末Ａに送られるが、図１９に示すように、携帯端末Ａの表示手段１７３には、ＷｅｂサービスＹのサービスとして表示されてもよい。次に、利用者Ａは入力手段１７４を利用して、サービス連携画面の「ＷｅｂサービスＺ住所録の人に送る」１９２４を選択（ステップＳ１７０３）すると、送受信手段１７１が、ＷｅｂサービスＺのサーバ１６０が記憶する送付先情報の取得要求を、ネットワークを通じてサーバＸに送る。
【００７７】
次に、携帯端末ＡのサーバＸとの接続が、サーバＺにリダイレクトされる（ステップＳ１７０４）。サーバＺのＨＴＭＬ生成手段１６２は、ＷｅｂサービスＺの認証画面のＨＴＭＬコードを生成し、送受信手段１６１がネットワーク１９０を通じて携帯端末Ａに送る（ステップＳ１７０５）。携帯端末Ａの送受信手段１７１がこれを受信し、ＨＴＭＬ解析手段１７２が解析した後、表示手段１７３がＷｅｂサービスＺの認証画面を表示する。図２０にＷｅｂサービスＺの認証画面の一例を示す。この実施形態では、利用者ＡはＷｅｂサービスＹの利用者であると同時にＷｅｂサービスＺの利用者でもあるとする。利用者Ａは、入力手段１７４を利用して、ＷｅｂサービスＺにおけるＩＤをＩＤ入力欄２００１に、またＷｅｂサービスＺにおけるパスワードをパスワード入力欄２００２に各々入力した上、認証ボタン２００３を選択する。図２０の一例では、ＩＤとして「ｔｈｏｍａｓ＠ｅｘａｍｐｌｅ．ｃｏｍ」が、またパスワードとして「ａｂｃ１２１２３」が各々入力された。すると送受信手段１７１が入力されたＩＤおよびパスワードを、ネットワーク１９０を通じてサーバＺ１６０に送る。
【００７８】
サーバＺの送受信手段１６１がＩＤおよびパスワードを受信すると、受信したＩＤを検索キーとして検索手段１６８が記憶手段にある利用者テーブル１６７を検索する。この検索の結果、受信したＩＤと関連づけて利用者テーブルに記憶されたパスワードと、受信したパスワードとが一致すると利用者Ａの認証が完了する（ステップＳ１７０６）。図２１に示すＷｅｂサービスＺの利用者テーブルの一例は、利用者ＩＤ２１１０、パスワード２１２０、付加情報２１３０、および送付先テーブル２１４０の各列を有する。利用者付加情報は複数あってもよく、また利用者の名前、住所など何であってもよい。図２１に示す一例では、受信した「ｔｈｏｍａｓ＠ｅｘａｍｐｌｅ．ｃｏｍ」を検索キーとして検索したパスワード「ａｂｃ１２１２３」２１２１と、携帯端末Ａから受信したパスワードとの一致を検出することで、利用者Ａを認証する。なおこの携帯端末ＡからサーバＺに送られる情報は、サーバＺが利用者Ａを認証可能な情報であれば何でもよい。たとえば、携帯端末Ａに記憶された携帯端末の識別子でもよく、また携帯端末Ａの画像読取り手段で読み取った利用者Ａの生体情報でもよい。
【００７９】
サーバＺによって利用者Ａが認証されるとサーバＺの検索手段が、利用者ＡのＩＤに関連づけて利用者テーブル１６７に関連づけられて記憶された送付先テーブルを、送付先テーブル群１６６より読み出す。図２１に示す利用者テーブルの一例では、利用者ＡのＩＤ２１１１に関連づけられた送付先テーブル番号２１４１が記憶手段に送付先テーブル群１６６より読み出される。
【００８０】
図２２には、利用者ＡのＷｅｂサービスＺにおける送付先テーブルの一例２２００を示す。送付先テーブル２２００は送付先テーブル番号２２０１を有する。また送付先テーブル２２００は、名前の列２２１０および住所の列２２２０を有する。この他に送付先に関する付加情報の列を有していてもよい。図２２の一例では、送付先テーブルの一例２２００は、４名の名前と、各々に関連づけられた住所情報を格納している。呼び出された送付先テーブルの情報は、ＨＴＭＬ生成手段１６２によってＨＴＭＬコードに変換された後、送受信手段１６１がネットワーク１９１を通じて携帯端末Ａ１７０に送信する。また、送付先には、利用者Ａ自身の名前および住所が登録されていてもよい。送付先として利用者Ａ自身の情報を選択するには、ステップＳ１７０３で、携帯端末Ａの表示手段に表示された連携画面１９００において、自宅で受け取る１９１１を選択することができる。
【００８１】
携帯端末Ａでは、送受信手段１７１がＨＴＭＬコードを受信し、ＨＴＭＬ解析手段１７２による解析の後、表示手段１７３が送付先リストを表示する（ステップＳ１７０７）。図２３には、表示手段１７３に表示されたＷｅｂサービスＺの送付先リストの一例２３００を示す。送付先リスト２３００は、これがＷｅｂサービスＺの送付先情報である旨の表示２３０１、および利用者Ａの送付先テーブル２２００にある送付先の名前と、各々の名前に関連づけられたチェックボックスを有する。各々の名前に関連づけられた表示はチェックボックスでなくとも、各々の名前を選択したことを表す表示であれば何でもよい。
【００８２】
次に利用者Ａは入力手段１７４を利用して、利用者Ａが前記ステップＳ１１０５で確認した商品の送付先を選択する。図２３に示す一例では、図２２に示す送付先テーブルにある送付先のうちで、Ｌａｕｒａ  Ｃｈｅｎのチェックボックス２３１１とＤｏｎ  Ｆｏｘのチェックボックス２３１２が選択されている。これは、利用者ＡであるＢｅｔｔｙ  Ｔｈｏｍａｓが、ステップＳ１１０５で選択された商品を、Ｌａｕｒａ  ＣｈｅｎとＤｏｎ  Ｆｏｘに送るという入力を、携帯端末Ａに対して実行したことに相当する。次に送受信手段１７１が選択された送付先を、ネットワーク１９０を通じてサーバＺに送る（ステップＳ１７０８）。
【００８３】
サーバＺの送受信手段１６１が選択された送付先を受信すると、検索手段が送付先テーブル２２００から、前記ステップＳ１７０８で選択された送付先の住所を検索する。そして送受信手段１６１が前記ステップＳ１７０８で選択された送付先の名前および住所を、ネットワーク１９０を通じてサーバＸに送る（ステップＳ１７０９）。ここで送付先テーブルには、図２２に例示した列に加えて送付先に関する何らかの付加情報を有していても良い。この場合、サーバＺはこのステップＳ１７０９で選択された送付先の名前および住所に加えて付加情報をサーバＸに送ってもよい。
【００８４】
次にサーバＸの送受信手段１０１はステップＳ１７０８で選択された送付先の名前と住所を受信し、これらを商品送付情報一時記憶テーブル１０８に、ステップＳ１７００で記憶した商品ＵＲＬに関連づけて記憶する（ステップＳ１７１０）。図２４に、ステップＳ１７１０が実行された後の商品送付情報一時記憶テーブル１０８の一例を示す。ステップＳ１７１０でサーバＸより受信した送付先は２名分なので、商品送付情報一時記憶テーブルには行２４１２が追加され、ステップＳ１７００で記憶された商品ＵＲＬ、利用者ＡのＷｅｂサービスＹにおける利用者ＩＤ、商品提供サービスであるＷｅｂサービスＹの認識票、および送付元である利用者Ａの名前がこの行２４１２にコピーされる。さらに行１８１１および行２４２１に発送番号生成手段１１１が生成した発送番号を付与する。さらにサーバＹより受信した送付先の名前および送付先の住所を列１８６０および列１８７０に各々記憶する。
【００８５】
図２４の一例では、発送番号０００１に関連づけて名前Ｌａｕｒａ  Ｃｈｅｎ２４６１およびその住所２４７１が、また発送番号０００２に関連づけて名前Ｄｏｎ  Ｆｏｘ２４６２およびその住所２４７２が、各々記憶された。次に、携帯端末ＡのサーバＺへの接続はサーバＸにリダイレクトされる（ステップＳ１７１１）。
【００８６】
続いて、図２５に示すフロー図を用いて、利用者Ａが選択した商品の送付先を、ＷｅｂサービスＹの送付先リストの中から選択する処理を説明する。次に、サーバＸのＨＴＭＬ生成手段１０２が、サービス連携画面を表示するためのＨＴＭＬコードを生成し、送受信手段１０１がネットワークを通じて携帯端末Ａに送る。次に、携帯端末Ａの送受信手段１７１がこれを受信し、ＨＴＭＬ解析手段１７２がこれを解析した後、表示手段１７３がサービス連携画面を表示する（ステップＳ２５０１）。表示手段１７３には、図１９に一例として示されているサービス連携画面１９００が再び表示される。次に、利用者Ａは入力手段１７４を利用して、サービス連携画面の「ＷｅｂサービスＹ送付先情報の人に送る」１９２３を選択（ステップＳ２５０２）すると、送受信手段１７１が、ＷｅｂサービスＹのサーバ１４０が記憶する送付先情報の取得要求を、ネットワークを通じてサーバＸに送る。次に、携帯端末ＡのサーバＸとの接続が、サーバＹにリダイレクトされる（ステップＳ２５０３）。
【００８７】
図１７に示す処理においては、ＷｅｂサービスＺに記憶されている送付先情報の送付先に配送を要求する場合には、サーバＺによる利用者Ａの認証処理を経る。一方、本実施形態では、ステップＳ１１０７で既に情報端末Ａを通じて利用者ＡはサーバＹより既に認証を受けている。このため、サーバＹによる認証処理は不要である。ただし、もし、この時点でまだ利用者ＡがサーバＹからの認証を受けていない場合には、ステップＳ１７０５およびＳ１７０５に相当するサーバＹによる認証処理を実行する必要がある。
【００８８】
次に、サーバＹの検索手段が、利用者ＡのＩＤに関連づけて利用者テーブル１４７に関連づけられて記憶されている送付先テーブルを、送付先テーブル群１４６より読み出す。図２６に示す利用者テーブルの一例では、利用者ＡのＩＤ２６１１に関連づけられている送付先テーブル番号２６４１が記憶手段に送付先テーブル群１４６より読み出される。
【００８９】
図２７には、利用者ＡのＷｅｂサービスＺにおける送付先テーブルの一例２７００を示す。送付先テーブル２７００は送付先テーブル番号２７０１を有する。また送付先テーブル２７００は、名前の列２７１０および住所の列２７２０を有する。この他に送付先に関する付加情報の列を有していてもよい。図２７に示す一例では、送付先テーブルの一例２７００は、３名の名前と、各々に関連づけられた住所情報を格納している。読み出された送付先テーブルの情報は、ＨＴＭＬ生成手段１４２によってＨＴＭＬコードに変換された後、送受信手段１４１がネットワーク１９１を通じて携帯端末Ａに送信する。ここでＨＴＭＬコードに含まれる送付先情報には、利用者Ａ自身の名前および住所が含まれていてもよい。送付先情報として利用者Ａの情報を選択するには、ステップＳ２５０２で、携帯端末Ａの表示手段に表示された連携画面１９００において、自宅で受け取る１９１１を選択することもできる。
【００９０】
携帯端末Ａでは、送受信手段１７１がＨＴＭＬコードを受信し、ＨＴＭＬ解析手段１７２による解析の後、表示手段１７３が送付先リストを表示する（ステップＳ２５０４）。図２８には、表示手段１７３に表示されるＷｅｂサービスＹの送付先リストの一例２８００を示す。図２８においては、送付先リスト２８００は、これがＷｅｂサービスＹの送付先情報である旨の表示２８０１、および利用者Ａの送付先テーブル２８００にある送付先の名前と、各々の名前に関連づけられたチェックボックスを有する。各々の名前に関連づけられた表示はチェックボックスでなくとも、各々の名前を選択したことを表す表示であれば何でもよい。
【００９１】
次に利用者Ａは入力手段１７４を利用して、利用者Ａが前記ステップＳ１１０５にて確認ボタンなどにより選択した商品の送付先を選択する。図２８に示す一例では、図２７に示す送付先テーブル２７００にある送付先のうちで、Ｊｏｅ  Ｋａｒｐのチェックボックス２８１１が選択されている。これは、利用者ＡであるＢｅｔｔｙ  Ｔｈｏｍａｓが、ステップＳ１１０５で選択された商品を、Ｊｏｅ  Ｋａｒｐに送るという入力を、携帯端末Ａに対して実行したことに相当する。利用者Ａが入力手段１７４を通じて商品を送る人の選択を完了のボタン２８２０を選択すると、送受信手段１７１が選択された送付先を、ネットワーク１９０を通じてサーバＹに送る（ステップＳ２５０５）。
【００９２】
サーバＹの送受信手段１４１が選択された送付先を受信すると、検索手段が送付先テーブル２７００から、前記ステップＳ２５０５で選択された送付先の住所を検索する。そして送受信手段１４１が前記ステップＳ２５０５で選択された送付情報に含まれる名前および住所を、ネットワーク１９０を通じてサーバＸに送る（ステップＳ２５０６）。ここで送付先テーブルには、図２７に例示した列に加えて送付先に関する何らかの付加情報を有していても良い。この場合、サーバＺはこのステップＳ２５０５で選択された送付先情報に含まれる名前および住所に加えて付加情報をサーバＸに送ってもよい。
【００９３】
次にサーバＸの送受信手段１０１はステップＳ２５０５で選択された送付情報に含まれる名前と住所を受信し、これらを商品送付情報一時記憶テーブル１０８に、ステップＳ１７００で記憶した商品ＵＲＬに関連づけて記憶する（ステップＳ２５０７）。図２９には、ステップＳ２５０７が実行された後の商品送付情報一時記憶１０８の一例を示す。ステップＳ２５０７でサーバＸより受信した送付先は１名分なので、商品送付情報一時記憶テーブルには行２９１３が追加され、ステップＳ１７００で記憶された商品ＵＲＬ、利用者ＡのＷｅｂサービスＹにおける利用者ＩＤ、商品提供サービスであるＷｅｂサービスＹの認識票、および送付元である利用者Ａの名前が、この行２９１３にコピーされる。さらに行２９１３に発送番号生成手段１１１が生成した発送番号２９５３を付与する。さらにサーバＹより受信した送付先の名前および送付先の住所を列１８６０および列１８７０に各々記憶する。図２９の一例では、発送番号０００３に関連づけて名前Ｊｏｅ  Ｋａｒｐ２９６３およびその住所２９７３が、各々記憶された。次に、携帯端末ＡのサーバＹへの接続はサーバＸにリダイレクトされる（ステップＳ２５０８）。
【００９４】
次に、サーバＸのＨＴＭＬ生成手段１０２が、サービス連携画面を表示するためのＨＴＭＬコードを生成し、送受信手段１０１がネットワークを通じて携帯端末Ａ１７０に送る。次に、携帯端末Ａの送受信手段１７１がこれを受信し、ＨＴＭＬ解析手段１７２がこれを解析した後、表示手段１７３がサービス連携画面を表示する（ステップＳ２５０９）。表示手段１７３には、図１９に一例として示されるサービス連携画面１９００が再び表示される。
【００９５】
続いて、図３０に示すフロー図を用いて、選択された商品を送付先に発送するまでの処理について説明する。利用者Ａは入力手段１７４を利用して、サービス連携画面の「商品を送る人の選択を完了」ボタン１９３０を選択する。すると送受信手段１７１が送付先の選択が完了したことを示す情報を、ネットワーク１９０を通じてサーバＸに送る（ステップＳ３００１）。サーバＸの送受信手段１０１はこの情報を受け取ると、商品送付情報一時記憶テーブル１０８から発送番号ごとに、関連づけられた商品ＵＲＬ、利用者ＩＤ、発送番号の各列の情報を、ネットワーク１９０を通じてサーバＹに送る（ステップＳ３００２）。図２９に示す一例では、発送番号２９５１、２９５２、および２９５３に関連づけて商品ＵＲＬであるｈｔｔｐ：／／ｅｘａｍｐｌｅ．ｃｏｍ／ＴＢＬＷ、および利用者ＩＤであるｂｅｔｔｙ＠ｅｘａｍｐｌｅ．ｃｏｍがサーバＹに送られる。なお、この情報送付は、ＷｅｂサービスＹで利用者Ａが送る商品を購入するための情報である。そのため、このステップＳ３００２でサーバＸがサーバＹに送る情報は利用者ＡがサーバＹで決済処理を実行可能な情報であれば何でもよい。たとえば、商品送付情報一時記憶テーブル１０８より商品ＵＲＬおよび数量や金額のみを計算してサーバＹに送ってもよい。
【００９６】
サーバＹの送受信手段１４１がステップＳ３００２でサーバＸから送られた情報を受信すると、決済手段１２７が、利用者Ａが送付する商品の購入決済を実行する（ステップＳ３００３）。この決済はサーバＹ内に記憶された情報によって実行されても、携帯端末Ａとの通信によってサーバＹの決済手段が得た情報によって実行されても、または決済情報を有する他のサーバからネットワーク経由で得た情報によって実行されてもよい。決済が完了すると、サーバＹの送受信手段１４１は決済が完了した発送番号を、情報を、ネットワーク１９０を通じてサーバＸに送る（ステップＳ３００４）。本実施形態では、発送番号０００１、０００２、および０００３がサーバＸに送られたとする。
【００９７】
サーバＸの送受信手段１０１がこれらを受信すると、検索手段１１０が、決済が完了した発送番号を検索キーとして、商品送付情報一時記憶テーブルを検索し、受信した発送番号に関連づけられた送付先名前および送付先住所を得る。次に、印刷情報生成手段１１２が、図２９における商品番号２９５１、２９５２、および２９５３の各々について、関連づけられた商品ＵＲＬ、送付先名前、送付先住所、および送付元名前を含む、発送伝票の画像データを生成する（ステップＳ３００５）。図３１には、図２９における発送番号２９５１から生成される発送伝票の画像の一例を示す。発送伝票の画像３１００は、発送番号３１０１、商品ＵＲＬ３１０２、送付先名前３１０３、送付先住所３１０４、および送付元名前３１０５を有する。これらは、各々図２９に示す発送番号２９５１、商品ＵＲＬ１８１１、送付先名前２９６１、送付先住所２９７１、および送付元名前２９４１の情報をもとに生成されたものである。同様に、図２９における発送番号２９５２および発送番号２９５３の行についても、各々発送伝票の画像データが生成される。サーバＸが前記ステップＳ１７０９やステップＳ２５０６で、送付先に関する何らかの付加情報を受信し、これが商品送付情報一時記憶テーブルに記憶されていれば、付加情報を含む画像データが生成されてもよい。
【００９８】
次に、送受信手段１０１が生成された画像データ群を、ネットワーク１９０を通じて送付先印刷装置１２０に送る（ステップＳ３００６）。送付先印刷装置の送受信手段１２１がこれらを受信すると、印刷手段１２２が印刷する。送付先印刷装置１２０は、ＷｅｂサービスＹで販売する商品を発送する場所に設置されており、印刷された発送伝票は、各々対応する商品に添付されて発送される（ステップＳ３００７）。印刷された後には、サーバＸの商品送付情報一時記憶テーブルテーブル１０８より印刷済みのレコードを消去する。本実施形態では、図２９の発送番号２９５１、２９５２、および２９５３の各行が消去される（ステップＳ３００８）。これらの情報は、サーバＸのハードディスクやフラッシュメモリなどの不揮発記憶手段に、検索可能なデータベースとして記憶されることはないことが望ましい。
【００９９】
図２９における発送番号２９５１に対応する送付先名前２９６１および送付先住所２９７１は、ＷｅｂサービスＹのサーバで記憶しているものではない。これらは、ＷｅｂサービスＺのサーバの送付先テーブル２２００に記憶されており、ＷｅｂサービスＺの事業者は、これをデータベースとしてＷｅｂサービスＹに渡したくないという要求を有する。本実施形態においては、発送伝票の画像データがＷｅｂサービスＸの一時記憶手段１０６上で生成された上、ＷｅｂサービスＹの商品発送場に、画像データの形で送られ、印刷される。このため、本実施形態に係る方法によれば、ＷｅｂサービスＹの事業者は、検索可能なデータベースとして、ＷｅｂサービスＺの有する送付先名前や送付先住所を入力する必要がない。
【０１００】
以上の説明では、ステップＳ１７０７からＳ１７０９においてサーバＺが送付先のリストを携帯端末Ａに送り、携帯端末Ａが選択した送付先情報に含まれる名前と住所とを、サーバＸに送った。すなわち図２３のＨＴＭＬコードはサーバＺのＨＴＭＬ生成手段１６２が生成した。この場合、サーバＸの一時記憶手段には、ステップＳ１７０８で選択された送付先情報に含まれる名前と住所とが一時的に記憶される。本発明による別の一実施形態では、ステップＳ１７０７で送付先テーブル２２００の情報を、携帯端末ＡではなくサーバＸに送り、図２３に相当するＨＴＭＬはサーバＸのＨＴＭＬ生成手段１０２が生成の後、これを携帯端末Ａに送ってもよい。この場合、サーバＸの一時記憶手段１０６には、サーバＺで記憶される利用者Ａの送付先情報すべてが、サーバＸの一時記憶手段１０６に記憶される。いずれの場合でも、サーバＺの記憶する送付先情報は、サーバＸの一時記憶手段に記憶され、検索可能なデータベースとしては保存されず、ステップＳ３００８において一時記憶手段１０６より消去されることが望ましい。サーバＹに記憶された利用者Ａの送付先リストを選択する、ステップＳ２５０４からＳ２５０６についても同様に、図２８に相当する画面はサーバＹが生成して携帯端末Ａに送っても、サーバＹからサーバＸの一時記憶手段にコピーした上でサーバＸが生成して携帯端末Ａに送ってもよい。
【０１０１】
次に、本実施形態の効果について説明する。第一の効果は、従来の方法による物品または印刷物の販売を目的としたＷｅｂサービスに比べて、商品の選択から送付の依頼までに行なうべき操作のステップ数を削減することができる点である。従来のＷｅｂサービスでは、物品を購入の上、発送を依頼するためには、多数の商品の中から商品を選択するステップと、さらに選択した商品を送付する送付先の情報の入力を実行するステップとが必要である。携帯端末は、据え置き型端末に比べると、表示手段の容量が少なく、また入力手段は多数のステップの実行が困難である。本実施形態によれば、利用者は画像コードの読み取り、送付先リストの呼び出し、送付先リストの中からの送付先の選択、という簡単な入力処理で、商品の選択から送付の依頼までを実行することができる。これは、画像コードにより商品選択をおこない、かつ送付先情報は利用者が使う複数のＷｅｂサービスの送付先情報を利用するという、本実施形態の効果である。
【０１０２】
本実施形態の第二の効果は、利用者が複数の異なるＷｅｂサービスのサーバに記憶された異なる送付先情報を利用可能な点である。従来のシステムまたは方法によれば、あるＷｅｂサービスの利用者が、物品または印刷物を購入して配送、送付の依頼をする際、そのＷｅｂサービスのサーバにあらかじめ記憶した送付先情報を再利用することで、送付先情報の入力を省略することができる。しかし、他のＷｅｂサービスのサーバが記憶する送付先情報を利用することはできない。たとえば、従来の方法によれば、ＷｅｂサービスＹを利用する利用者Ａは、図２７に示す携帯端末Ａより送付先テーブル２７００に記憶された送付先情報を利用して、送付先の名前と住所の、携帯端末Ａへの入力を省略することができる。しかし従来の方法によれば、利用者ＡがＷｅｂサービスＹで商品または印刷物の配送、送付の依頼をする際に、同じ利用者ＡがＷｅｂサービスＺのサーバに記憶する図２２の送付先情報を利用して、送付先の名前や住所の入力を省略することはできない。このため、利用者Ａは送付先の名前や住所を、携帯端末Ａに入力する必要がある。
【０１０３】
一方、本実施形態によれば、利用者Ａは、ＷｅｂサービスＹの商品や印刷物を、ＷｅｂサービスＺのサーバに記憶されている送付先情報を利用して配送、送付の依頼をすることができる。このような場合でも、上記の第一の効果として説明したように、利用者Ａが情報端末Ａへの商品選択情報および送付先情報の入力操作の簡素化という効果を享受できる。以上、第一および第二の効果は、利用者にとっての本実施形態の効果である。
【０１０４】
以上、第一および第二の効果は、本実施形態の利用者にとっての効果である。一方、以下第二から第七の効果までは、Ｗｅｂサービスの運営者にとっての効果である。
【０１０５】
第三の効果は、あるＷｅｂサービスが、他のＷｅｂサービスの送付先情報を利用することで、商品や印刷物の販売を増加させることができる点である。本実施形態によれば、第一の効果および第二の効果で説明した、携帯端末に対する入力の簡素化は、Ｗｅｂサービスの閲覧者総数に対する商品や印刷物販売に至る利用者数の割合を増加させる。一般に、Ｗｅｂサービスの閲覧者すべてが、商品や印刷物の購入が成立するまでのすべてのステップを処理するわけではない。購入が成立するまでのステップ数が多いほど、Ｗｅｂサービスからの利用者の離脱率が高くなる。このため、本実施形態による購入成立までのステップ数の減少は、販売の増加をもたらす。
【０１０６】
たとえば従来の方法またはシステムによれば、利用者ＡがＬａｕｒａ  ＣｈｅｎおよびＤｏｎ  ＦｏｘにＷｅｂサービスＹで販売される商品または郵便物の配送、送付の依頼をする場合は、送付先として両者の名前および住所を入力する必要がある。一方本実施形態においては、画像コードを用いた商品選択（ステップＳ１１０５）の後に、携帯端末Ａの表示手段１７３に表示した、サーバＺに記憶された送付先テーブル２２００の中からＬａｒｕａ  Ｃｈｅｎ２３１１およびＤｏｎ  Ｆｏｘ２３１２を選択する操作（ステップＳ１７０８）により、選択された商品の配送の来をすることができる。この結果、従来の方法またはシステムにくらべて入力ステップ数が減少して離脱率が減少し、その結果ＷｅｂサービスＹにおける販売が増加する。さらに、利用者Ａはこの入力ステップ数の減少という利便性を理由に、ＷｅｂサービスＹと競合する他のＷｅｂサービスに対する競争優位を維持することができる。
【０１０７】
第四の効果は、あるＷｅｂサービスが、他のＷｅｂサービスの送付先情報を利用して、商品や印刷物を送る際に、名前や住所という所謂個人情報を入手せず、その漏洩リスクを負うことなく、商品や印刷物を発送することができるという点である。たとえば、従来の方法またはシステムによれば、ＷｅｂサービスＹの販売する商品または印刷物を、サーバＺが記憶する送付先情報を利用して送るためには、サーバＹが、サーバＺの記憶する送付先情報を受信した上で、サーバＹの記憶手段に記憶する必要がある。したがって、サーバＹで記憶したＷｅｂサービスＺの有する送付先情報が漏洩した場合は、ＷｅｂサービスＹが責任を負っていた。一方、本実施形態では、サーバＺで記憶する送付先情報は、サーバＹに送られることはない。サーバＺで記憶する送付先情報は、サーバＸの一時記憶手段にある商品送付情報一時記憶テーブルテーブル１０８に、一時的に記憶される（ステップＳ１７１０）。商品送付処理が終了すると、商品送付情報一時記憶テーブルテーブルの情報を消去することができる（ステップＳ３００８）。
【０１０８】
このように本実施形態の方法またはシステムによれば、あるＷｅｂサービスＹがＷｅｂサービスＺの有する送付先情報を利用して、ＷｅｂサービスＹで販売する商品や印刷物を送る際、ＷｅｂサービスＹが個人情報を入手する必要がなく、この結果漏洩のリスクを負う必要がない。
【０１０９】
第五の効果は、あるＷｅｂサービスがそのサーバに記憶する送付先情報を、他のＷｅｂサービスの商品や印刷物の販売に利用できる点である。たとえば本実施形態の一実施形態では、利用者ＡはサーバＺに記憶した送付情報を、ＷｅｂサービスＹで販売する商品または印刷物の送付の依頼をする際に利用する。この結果としてＷｅｂサービスＹの運営者は、前記第三および第四の効果を享受する。このため、ＷｅｂサービスＺの運営者が、ＷｅｂサービスＹの運営者から、上記の第三および第四の効果を享受することによる対価を得ることができる。たとえば、ＷｅｂサービスＹにおいて前記第三および第四の効果によって商品または印刷物の販売が増加した場合、この対価としてＷｅｂサービスＹの運営者がＷｅｂサービスＺの運営者にアフィリエイト報酬を支払う場合がある。あるいは、この対価としてサーバＹに記憶された利用者Ａの送付先情報をＷｅｂサービスＺでも相互に利用するという方法もある。
【０１１０】
第六の効果は、あるＷｅｂサービス事業者がそのサーバに記憶する送付先情報を、特定の他のＷｅｂサービスに対してのみ、選択的に利用させることができる点である。たとえば、ＷｅｂサービスＹが書籍を販売するＷｅｂサービスであり、ＷｅｂサービスＺがクリスマスカードを販売するＷｅｂサービスであるとする。このとき、利用者ＡがサーバＺに記憶するクリスマスカードの送付先情報を、ＷｅｂサービスＹで利用することで、ＷｅｂサービスＺの運営者は上記の第五の効果を享受できる。
【０１１１】
しかしもし、ＷｅｂサービスＺとＷｅｂサービスＹはともに、書籍を販売するＷｅｂサービスであり、互いに競合関係にあった場合、ＷｅｂサービスＺの運営者は、サーバＺに記憶された利用者Ａの送付先情報をＷｅｂサービスＹで利用できることを望まないかもしれない。本実施形態では、ＷｅｂサービスＺの運営者が、管理端末Ｚ１８５を利用して、サーバＺに記憶された送付先情報のＷｅｂサービスＹを通じた利用を許可する設定を実行（ステップＳ８０３）した時のみ、利用者がＷｅｂサービスＹで販売される商品を、サーバＺに記憶された送付先情報を利用して送ることができる。すなわち、本実施形態に係る方法またはシステムでは、あるＷｅｂサービスの運営者は、連携サービスによる利益が得られる他のＷｅｂサービスのみを選んで、そのＷｅｂサービスのサーバに記憶する送付先情報を利用させることができる。
【０１１２】
第七の効果は、上記の第一の効果から第六の効果の複合的な結果として、数多くのＷｅｂサービスが連携する動機を生む点である。本実施形態では、ＷｅｂサービスＺが、そのサーバに記憶する利用者Ａの送付先情報を、ＷｅｂサービスＹを通じて利用する。このことで、ＷｅｂサービスＹの運営者、ＷｅｂサービスＺの運営者ともに前記本実施形態の効果を享受できる。このような互恵的な連携の効果は、本実施形態によって連携するＷｅｂサービスが増えるほど大きくなる。たとえば、ＷｅｂサービスＹが書籍を販売するサービス、ＷｅｂサービスＺがクリスマスカードを販売するサービス、そしてＷｅｂサービスＷが花を販売するサービスであるとする。本実施形態によれば、利用者Ａがクリスマスカードの送付を依頼した送付先に、簡単に書籍の配送を依頼するだけでなく、書籍の配送を依頼した送付先に、簡単に花の配送を依頼することができるようになる。このとき、ＷｅｂサービスＹとＷｅｂサービスＺの２つのサービスが本実施形態に係る方法またはシステムによって連携している場合に比べて、ＷｅｂサービスＹ、Ｚ、およびＷが各々のサーバに記憶した利用者Ａの送付先情報を相互利用しあう方が、上記の第一から第五の効果は大きくなる。すなわち、本実施形態に基づいて連携するＷｅｂサービスが増えるほど、効果が大きくなり、そのために更に本実施形態によって連携するＷｅｂサービスが増えるという正の帰還が働く。これが本実施形態の最大の効果の一つである。上記の第六の効果で説明したように、従来の方法やシステムのように、利益が損なわれるＷｅｂサービスに対する、送付先情報の利用を制御する方法が提供されない場合、送付先情報の相互利用の利点と競合するＷｅｂサービスに対する利益供与が相殺してしまう。このため、従来の方法またはシステムでは、この第七の効果が発揮されず、Ｗｅｂサービス間での送付先情報の相互利用は促進されなかった。本実施形態は、この問題の解決にも寄与する。
【０１１３】
（実施形態２および３）
以下に、本発明の実施形態２および３について説明する。なお、実施形態２および３は、本発明の実施形態１と組み合わせることも可能である。
【０１１４】
図３２は、本発明の実施形態の一例としての物品販売システムの概略構成図である。本発明の実施形態の一例としての物品販売システムは、利用者Ａの情報端末３１１０、利用者Ｂの情報端末３１１５、連携サービスＰのサーバ３１２０、物品販売サービスＸのサーバ３１３０、物品販売サービスＹのサーバ３１４０、ネットサービスＶのサーバ３１５０、ネットサービスＷのサーバ３１６０、および発送情報処理装置３１７０を備える。これらの情報端末およびサーバは、ネットワーク３１９９で接続されている。
【０１１５】
なお、以下本明細書および付随する図表では、連携サービスＰのサーバをサーバＰ、物品販売サービスＸのサーバをサーバＸ、物品販売サービスＹのサーバをサーバＹ、ネットサービスＶのサーバをサーバＶ、ネットサービスのサーバをサーバＷ、利用者Ａの情報端末を端末Ａ、利用者Ｂの情報端末を端末Ｂと各々略記することがある。また、以下でネットサービスは、ある利用者を一意に特定できる利用者ＩＤを有するサービスであれば何でもよい。
【０１１６】
図３３は、利用者Ａの情報端末３１１０および利用者Ｂの情報端末３１１５の概略構成図の一例である。利用者Ａの情報端末３１１０は、送受信手段３１１１、ＨＴＭＬ解析手段３１１２、ＧＵＩ表示手段３１１３、および入力手段３１１４を有する。利用者Ｂの情報端末３１１５は、送受信手段３１１６、ＨＴＭＬ解析手段３１１７、ＧＵＩ表示手段３１１８、および入力手段３１１９を有する。
【０１１７】
図３４は、連携サービスＰのサーバ３１２０の概略構成図の一例である。連携サービスＰのサーバ３１２０は、送受信手段３１２１、ＨＴＭＬ生成手段３１２２、検索手段３１２３、記憶手段３１２４を有する。また記憶手段３１２４は、ネットサービステーブル３１２５および物販サービステーブル３１２６を有する。
【０１１８】
図３５は、物品販売サービスＸのサーバ３１３０および物品販売サービスＹサーバ３１４０の概略構成図の一例である。物品販売サービスＸのサーバ３１３０は、送受信手段３１３１、ＨＴＭＬ生成手段３１３２、検索手段３１３３、記憶手段３１３４およびメッセージ生成手段３１３７を有する。また記憶手段３１３４は、セッションテーブル群３１３５および商品テーブル３１３６を有する。物品販売サービスＹのサーバ３１４０は、送受信手段３１４１、ＨＴＭＬ生成手段３１４２、検索手段３１４３、記憶手段３１４４およびメッセージ生成手段３１４７を有する。また記憶手段３１４４は、セッションテーブル群３１４５および商品テーブル３１４６を有する。
【０１１９】
図３６は、ネットサービスＶのサーバ３１５０およびネットサービスＷのサーバ３１６０の概略構成図の一例である。ネットサービスＶのサーバ３１５０は、送受信手段３１５１、ＨＴＭＬ生成手段３１５２、検索手段３１５３、記憶手段３１５４、およびメッセージ生成手段３１８２を有する。また記憶手段３１５４は、利用者認証テーブル３１５５、知人情報テーブル群３１５６、物販サービステーブル３１５７、一時記憶テーブル３１５８、および利用者情報テーブル３１５９を有する。ネットサービスＷのサーバ３１６０は、送受信手段３１６１、ＨＴＭＬ生成手段３１６２、検索手段３１６３、記憶手段３１６４、およびメッセージ生成手段３１８２を有する。また記憶手段３１６４は、利用者認証テーブル３１６５、知人情報テーブル群３１６６、物販サービステーブル３１６７、一時記憶テーブル３１６８、および利用者情報テーブル３１６９を有する。
【０１２０】
図３７は、発送情報処理装置３１７０の概略構成図の一例である。発送情報処理装置３１７０は、送受信手段３１７１、印刷手段３１７２、および表示手段３１７３を有する。
【０１２１】
（実施形態２）
図３８に示すフロー図を用いて、本発明の一実施形態に係る、ネットサービスと物品販売の連携処理について説明する。いま、利用者ＡがネットサービスＶの利用者であるとする。端末Ａ３１１０がネットワーク３１９９を通じてサーバＶ３１５０に接続した状態で、利用者Ａが入力手段３１１４を通じて、利用者ＡのネットサービスＶにおける認証情報を端末Ａに入力する。以下では、一例として利用者ＡのネットサービスＶにおけるＩＤとパスワード情報の組み合わせを認証情報として用いることができる。ただし、認証情報はＩＤとパスワード情報に限定されることはなく、生体認証情報など、ネットサービスＶの利用者群のなかで、利用者Ａを一意に特定できる情報であれば何でもよい。また、ネットサービスＶは、その利用者群の中で利用者Ａを一意に特定できる手段を有するサービスであれば何でもよい。たとえば、サービスＶは、検索サービス、メッセージ印刷サービス、広告サービス、ＳＮＳ（Ｓｏｃｉａｌ  Ｎｅｔｗｏｒｋｉｎｇ  Ｓｅｒｖｉｃｅ）、ブログサービス、ゲーム、チャットサービス、電子メールサービスなど何であってよい。またネットサービスは、利用者を一意に特定できる手段を有する物品販売サービスであってもよい。
【０１２２】
次に、送受信手段３１１１が、入力された利用者Ａの認証情報を、ネットワーク３１９９を通じてサーバＶ３１５０に送る。サーバＶの送受信手段３１５１が受信した利用者Ａの認証情報を受信すると、検索手段３１５３が記憶手段３１５４にある利用者認証テーブル３１５５を検索する。送受信手段３１５１が受信した利用者ＩＤおよびパスワード情報の組と、利用者認証テーブル３１５５にあらかじめ記憶された利用者ＩＤおよびパスワード情報の一致をもって、サーバＶにおいて利用者Ａが認証される（ステップＳ３８０１）。ここでは、一例として利用者認証テーブル３１５５は、利用者ＩＤの列とパスワードの列を有するテーブルを前提として説明した。ただし、利用者認証テーブル３１５５は、利用者ＩＤの列とパスワードの列を有するテーブルに限定されない。利用者認証テーブル３１５５は、送受信手段３１５１が受信した認証情報が、利用者Ａのものであることを認証可能な情報が記憶されているテーブルであればどのようなテーブルでもよい。
【０１２３】
次に、端末Ａの送受信手段３１１１が知人情報表示画面要求を、ネットワーク３１９９を通じてサーバＶに送る。ここで端末Ａが呼び出す知人情報表示画面は、物販サービスにおける配送先情報、ＳＮＳサービスにおける友人リスト、メッセージ印刷サービスにおける宛先情報など、利用者Ａの知人およびその知人に関連付けられた情報を表示する画面であれば何でもよい。サーバＶでは、送受信手段３１５１がこの要求を受信すると、検索手段３１５３が利用者Ａの利用者ＩＤを検索キーとして知人情報テーブル群３１５６を検索し、利用者Ａの知人情報を得る（ステップＳ３８０２）。
【０１２４】
図３９に、利用者Ａの知人情報テーブルの１つ３８００の一例を示す。知人情報テーブルは、利用者ＩＤのフィールド３８０１を有し、検索手段が利用者ＩＤを検索キーとした検索が可能である。また知人情報テーブルは、利用者ＩＤ３８０１に関連付けられて、その利用者ＩＤを有する利用者の知人の情報が記憶される。図３９に示す一例では、利用者テーブル３８００は、名前の列３８１０、住所の列３８２０、付加情報の列３８３０、およびネットサービスＶの利用者ＩＤの列３８４０を有する。図３９に示す一例では、付加情報として知人の有する電子メールアドレスが記憶されているが、付加情報は知人に属する情報であれば何でもよい。また列の数、すなわち利用者Ａの知人の有する属性情報の数は、いくつであってもよい。
【０１２５】
図３９に示す一例では、利用者Ａの知人として、「Ｊｏｈｎ  Ｂｒｏｗｎ」３８１１、「Ｂｅｔｔｙ  Ｔｈｏｍａｓ」３８１２、および「Ｆｒｅｄ  Ｍａｎｃｉｎｉ」３８１３の３人が記憶されている。各々の知人について、すべての列の情報が記憶されている必要はなく、図３９の一例では、「Ｆｒｅｄ  Ｍａｎｃｈｉｎｉ」に関連づけられた住所３８２３は存在せず、また「Ｊｏｈｎ  Ｂｒｏｗｎ」に関連付けられた付加情報３８３１は存在しない。また、利用者Ａの知人は、ネットサービスＶの利用者であっても、なくてもよい。図３９に示す一例では、「Ｂｅｔｔｙ  Ｔｈｏｍａｓ」および「Ｆｒｅｄ  Ｍａｎｃｉｎｉ」がネットサービスＶの利用者であって、各々ＩＤｖｂ３８４２およびＩＤｖｃ３８４３という、ネットサービスＶの利用者ＩＤを有している。
【０１２６】
次にＨＴＭＬ生成手段３１５２が、検索された利用者Ａの知人テーブルを利用して、知人情報表示画面のＨＴＭＬコードを生成し、送受信手段３１５１がネットワーク３１９９を通じて端末Ａ３１１０に送る。本発明においては、画面表示のためには、ＨＴＭＬコードを使うことに限定されることはない。画面表示のための情報の一例として、ＨＴＭＬコードを用いて説明する。端末Ａでは送受信手段３１１１がこれを受信し、ＨＴＭＬ解析手段３１１２がこれを解析した上、ＧＵＩ表示手段３１１３に知人情報表示画面を表示する（ステップＳ３８０３）。
【０１２７】
図４０に、ネットサービスＶにおける利用者Ａの知人情報表示画面の一例を示す。ＧＵＩ表示手段３１１３は、ネットサービスＶを提供するためのウィンドウ３９０１を有し、さらにこのウィンドウは表示がネットサービスＶの知人情報表示画面であることを示す表示３９０２、および利用者Ａが利用中であることを示す表示３９０３を有する。さらに知人情報表示画面は知人情報表示部３９１０を有する。知人情報表示部は、利用者ＡがサーバＶに記憶した知人情報の一部または全部が表示され、さらに各々の知人を選択するための知人選択部３９１１を有する。
【０１２８】
図４０に示す一例では、利用者Ａは、入力手段３１１４を用いて、ＧＵＩ表示手段３１１３に表示されたカーソル３９０４を移動させ、知人である「Ｊｏｈｎ  Ｂｒｏｗｎ」に関連付けられた選択部３９１２、および「Ｆｒｅｄ  Ｍａｎｃｉｎｉ」に関連付けられた選択部３９１３を選択する。図４０の一例では、利用者ＡはサーバＶに住所情報が記憶された知人「Ｊｏｈｎ  Ｂｒｏｗｎ」を選択したが、選択する知人はたとえば図４０の「Ｂｅｔｔｙ  Ｔｈｏｍａｓ」のようにネットサービスＶの利用者であってもよい。また「Ｆｒｅｄ  Ｍａｎｃｉｎｉ」のように住所情報がサーバＶに記憶されて、住所録情報がサーバＶに記憶されていない知人でもよい。利用者Ａが選択する知人は１人でも複数でもよい。利用者Ａはさらに、カーソル３９０４を移動させ、選択完了ボタン３９０６を選択する。すると、送受信手段３１１１は、「Ｊｏｈｎ  Ｂｒｏｗｎ」および「Ｆｒｅｄ  Ｍａｎｃｉｎｉ」の選択情報を、ネットワーク３１９９を通じて、サーバＶ３１５０に送る（ステップＳ３８０４）。知人情報表示画面は、知人の名前情報が表示されていれば、その他の住所や電子メールアドレスなどの知人の付加情報が表示されていなくてもよい。
【０１２９】
サーバＶの送受信手段３１５１がこの選択情報を受信すると、知人情報テーブル３８００に記憶された、ステップＳ３８０４で選択された知人の情報を、一時記憶テーブル３１５８に記憶する（ステップＳ３８０５）。
【０１３０】
図４１に記憶手段３１５４に作られた一時記憶テーブルの構造を示す。ネットサービスＶの利用者が、ステップＳ３８０２からＳ３８０４と同様の処理によって、知人を選択するごとに、ひとつの一時記憶テーブルが作成される。
【０１３１】
図４２には、本実施形態における一時記憶テーブルの一例を示す。一時記憶テーブル４００１は、テーブル番号のフィールド４１００を有する。また選択された知人の名前の列４１１０、選択された知人の住所の列４１２０、選択された知人の付加情報の列４１３０、および知人がサービスＶの利用者であった場合の利用者ＩＤの列４１４０を有する。
【０１３２】
図４２を参照すると、ステップＳ３８０５では、ステップＳ３８０４で選択された知人「Ｊｏｈｎ  Ｂｒｏｗｎ」の情報が行４１１１に、また同じく選択された知人「Ｆｒｅｄ  Ｍａｎｃｉｎｉ」の情報が行４１１２に各々記憶されている。また一時記憶テーブル４００１は、利用者Ａの名前を格納するフィールド４１５１、利用者Ａの住所を格納するフィールド４１６１、利用者Ａの付加情報を格納するフィールド４１７１を有する。
【０１３３】
次に、検索手段３１５３が、利用者ＡのネットサービスＶにおける利用者ＩＤを検索キーとして利用者情報テーブル３１５９を検索する。利用者情報テーブル３１５９には、ネットサービスＶの各利用者ＩＤに関連付けて、名前、住所、付加情報などが記憶されている。次にこの検索の結果得られた利用者Ａの名前、住所、付加情報を各々一時記憶テーブルのフィールド４１５１、フィールド４１６１、フィールド４１７１に記憶する（ステップＳ３８０６）。
【０１３４】
次に、ＨＴＭＬ生成手段３１５２が物販サービス選択画面のＨＴＭＬコードを生成し、送受信手段３１５１がこれを、ネットワーク３１９９を通じて、端末Ａ３１１０に送る。この一例ではＨＴＭＬコードには、ネットサービスＶが連携する物販サービスの情報は含まれていない。このＨＴＭＬコードは、ステップＳ３８０５およびＳ３８０６で記憶された利用者Ａおよびその知人の情報を物品販売サービスで利用するために、物品販売サービスを選択するためのものである。ネットサービスＶが連携可能な物品販売サービスの情報は、後のステップＳ３８０９で端末ＡがサーバＰより取得するので、このＨＴＭＬコードに含まれていなくてもよい。
【０１３５】
次に、端末Ａの送受信手段３１１１が、物販サービス選択画面のＨＴＭＬコードを受信し、ＨＴＭＬ解析手段３１１２がこれを解析し、さらにＧＵＩ表示手段３１１３が、物販サービス選択画面を表示する（ステップＳ３８０７）。図４３に、物販サービス選択画面の一例を示す。図４３に示す一例では、ＧＵＩ表示手段３１１３は、ネットサービスＶを提供するためのウィンドウ４２０１を有し、さらにこのウィンドウは表示がネットサービスＶの物販サービス選択画面であることを示す表示４２０２、利用者Ａが利用中であることを示す表示４２０３、さらにサービス選択部４２０５を有する。ステップＳ３８０７で端末ＡがサーバＶより受信したＨＴＭＬコード中の、サービス選択部４２０５には、たとえばスクリプト言語で構成される指示コードを含むプログラムなどが埋め込まれている。この指示コードにしたがって、端末Ａの送受信手段３１１１が、ネットワーク３１９９を通じてサーバＰ３１２０に、サービス選択部表示の表示要求と、ネットサービスＶを一意に特定するためのネットサービスＩＤを送る（ステップＳ３８０８）。この一例では、ネットサービスＶのネットサービスＩＤをＳＩＤｖとする。次に、サーバＰの送受信手段３１２１がこれらを受信すると、検索手段３１２３が、記憶手段３１２４の有するネットサービステーブル３１２５を、ＳＩＤｖを検索キーとして検索する。図４４（ａ）に、ネットサービステーブル３１２５の一例を示す。ネットサービステーブル３１２５は、ネットサービスＩＤの列４３００、ネットサービス名の列４３１０、ネットサービスのＵＲＬの列４３２０、ネットサービスの画像情報の列４３３０、およびネットサービスと連携可能な物品販売サービスＩＤの列４３４０の各列を有する。この連携可能な物品販売サービスＩＤの列を検索することで、あるネットサービスの利用者が、本発明の一実施形態における連携によって商品の購入および送付ができる物品販売サービスを検索することができる。図４４（ａ）に示す一例では、ネットサービスＩＤであるＳＩＤｖ４３０１に関連付けられて、物品販売サービスＸのサービスＩＤであるＳＩＤｘ４３４１および物品販売サービスＹのサービスＩＤであるＳＩＤｙ４３４２が関連付けられて記憶されている。検索手段３１２３は、上記検索の結果としてＳＩＤｘ４３４１およびＳＩＤｙ４３４２を得る。次に、検索手段３１２３がこれらＳＩＤｘおよびＳＩＤｙを検索キーとして、物販サービステーブル３１２６を検索する。図４４（ｂ）には、物品販売サービステーブルの一例を示す。物販サービステーブルは、物品販売サービスＩＤの列４３５０、物品販サービスの名前の列４３６０、ＵＲＬの列４３７０、画像情報の列４３８０、および物品販売サービスが連携可能なネットサービスのサービスＩＤの列を有する。次に上記検索の結果得られた名前４３６１および４３６２、ＵＲＬ４３７１および４３７２、さらに画像情報４３８１および４３８２が、送受信手段３１２１によって、ネットワーク３１９９を通じて端末Ａに送られる。端末Ａの送受信手段３１１１がこれらを受信すると、サービス選択部４２０５に表示する（ステップＳ３８０９）。
【０１３６】
図４３を参照して、物品販売サービス名４２１１および画像４２１２は、サーバＰの物販サービステーブルのフィールド４３６１および４３８１から、また販売サービス名４２２１および画像４２２２はフィールド４３６２および４３８２から、各々生成されたものである。ここでウィンドウ４２０１に表示されるのは、各物品販売サービスを表す画像情報でなくとも、たとえばテキストリンクのように、テキストにハイパーリンクがリンクされ、テキストをクリックするなどして利用者Ａがリンク先の物品販売サービスを選択できるような表示であればどのような表示でもよい。
【０１３７】
本実施形態では、端末ＡがサーバＰより物販サービステーブル３１２６の情報を得てサービス選択部４２０５を表示した。他の実施形態として、サーバＶの記憶手段が物販サービステーブルを有し、ステップＳ３８０７で端末Ａが受信するＨＴＭＬコードにこれらを含めることで、サービス選択部４２０５を表示してもよい。また、本実施形態では、端末ＡがサーバＰに対して、ネットサービスＶが連携可能な物品販売サービスの情報を問い合わせ、サーバＰが端末Ａに対して連携可能な物品販売サービスの情報を送った。一方、他の実施形態ではサーバＶが直接サーバＰに対して、ネットサービスＶと連携可能な物品販売サービスの情報を問い合わせ、サーバＰがサーバＶに対して連携可能な物品販売サービスの情報４３６１、４３８１、４３６２、４３８２を送り、サーバＶのＨＴＭＬ生成手段が図４３に示す画像を生成するＨＴＭＬコードを生成した上、端末Ａに送ってもよい。
【０１３８】
次に、利用者Ａが入力手段３１１４を用いて、ＧＵＩ表示手段に表示されたカーソル４２０４を移動させ、物品販売サービスＸの画像４２１２を選択する。すると、送受信手段３１１１が物品販売サービスＸの選択情報およびそのＵＲＬ情報を、ネットワーク３１９９を通じてサーバＶ３１５０に送る（ステップＳ３８１０）。
【０１３９】
サーバＶでは、送受信手段３１５１が物品販売サービスＸの選択情報およびそのＵＲＬ情報を受信する。このＵＲＬ情報は、サーバＰの物品販売サービステーブル内の情報４３７１でもよく、またあらかじめサーバＶの記憶手段に記憶されていてもよい。次に、このＵＲＬ情報にしたがって、ステップＳ３８０５およびステップＳ３８０６で図４２に示す一時記憶テーブル４００１に記憶された情報を、ネットワーク３１９９を通じてサーバＸ３１３０に送る（ステップＳ３８１１）。この一例では、利用者Ａの情報を一時記憶テーブルに記憶する処理（ステップＳ３８０６）を、端末Ａより知人選択情報を受信した後に実行した。ただし、これに限定されることはなく、この処理はどの図３８に示すどのタイミングで実行されてもよい。
【０１４０】
次に、図４５に示すフロー図を用いて、サーバＶから送られた利用者Ａおよびその知人の情報を用いて、物品販売サービスＸで利用者Ａが物品を知人に送る処理について説明する。サーバＸの送受信手段３１３１が、前記ステップＳ３８１１でサーバＶ３１５０が送った、利用者Ａの情報、および利用者ＡがステップＳ３８０４で送付先として選択した知人の情報を受信する（ステップＳ４５０１）。次に、これらの情報をサーバＸの記憶手段３１３４の有するセッションテーブル群３１３５のひとつ４５００に記憶する（ステップＳ４５０２）。セッションテーブルは、図４１と同様の構造をしており、サーバＸが、サーバＶやサーバＷなどの他のネットサービスより、利用者およびその知人の情報を受信すると、セッション番号が割り当てられた上、たとえば図４６のような構造のテーブルが生成される。セッションテーブルは、セッション番号のフィールド４５０１、選択商品ＩＤのフィールド４５０２、および他サーバより受信した利用者および知人の情報を記憶するための各フィールドを有する。
【０１４１】
図４６に示すセッションテーブルの一例では、セッション番号４５０１として「ｎ」が記憶され、サーバＶ３１５０よりステップＳ４５０１で受信した知人情報である、「Ｊｏｈｎ  Ｂｒｏｗｎ」４５１１および「Ｆｒｅｄ  Ｍａｎｃｉｎｉ」４５１２に関する情報が記憶されている。選択商品ＩＤのフィールド４５０２はこの時点では空欄であり、後のステップＳ４５０５で利用者Ａが選択した商品の商品ＩＤが記憶される。また、各選択知人名前および利用者名前に各々、関連付けて記憶される選択商品ＩＤの列４５４０および選択商品ＩＤの列４５８０のフィールドは、この時点では空欄であり、後にステップＳ４５０８で、商品と送付先の対応関係を端末Ａより受信した後に、商品ＩＤが記憶される。さらにセッション番号が「ｎ」であるセッションテーブルには、サーバＶよりステップＳ４５０１で受信した利用者Ａの情報である「Ｓｔｅｖｅ  Ｃｈｅｎ」４５５１に関する情報が記憶されている。
【０１４２】
次に、端末Ａ３１１０との接続をサーバＶ３１５０からサーバＸ３１３０にリダイレクトする（ステップＳ４５０３）。次に、サーバＸのＨＴＭＬ生成手段３１３２が、商品テーブル３１３６に記憶された商品情報を情報端末で表示させるためのＨＴＭＬコードを生成する。商品テーブルは、購入可能な商品の種類を一意に特定するための商品ＩＤに関連付けて、その商品の価格、画像、特徴などの商品情報が関連付けられて記憶されている。
【０１４３】
次に、送受信手段３１３１がこのＨＴＭＬコードを、ネットワーク３１９９を通じて端末Ａ３１１０に送る。端末Ａでは、送受信手段３１１１がこのＨＴＭＬコードを受信すると、ＨＴＭＬ解析手段３１１２が解析の上、ＧＵＩ表示手段３１１３に商品選択画面が表示される（ステップＳ４５０４）。図４７に商品選択画面の一例を示す。物品販売サービスＸのウィンドウ４６０１は、物品販売サービスＸの商品選択画面であることを表す表示４６０２、および物品販売サービスＸの利用者を表す表示４６０３を有する。図４７に示す一例では、利用者Ａは、物品販売サービスＸの利用者ＩＤを保有していないが、利用者Ａが物品販売サービスＸの利用者ＩＤを保有していてもよい。さらに、ウィンドウ４６０１は、物品販売サービスＸの販売する商品情報の表示を有する。図４７に示す一例では、花、ポット、シャツおよび手袋の４つの商品情報が表示されている。また、各々の商品情報に関連付けて「この商品をカートに入れる」という表示のある、商品選択ボタンが表示されている。たとえば、花の商品情報としては、価格情報４６１１、商品画像４６１２、および商品選択ボタン４６１３が表示されている。これらの商品情報は、サーバＸの商品テーブル３１３６に各々の商品ＩＤに関連付けて記憶され、ステップＳ４５０４で端末Ａに送られたものである。ここで表示される商品情報はどのようなものでもよい。また、図４７に示す一例では、利用者Ａが商品を選択する方法として、ショッピングカートモデルを例示したが、利用者Ａはどのような方法によって商品を選択してもよい。
【０１４４】
次に、利用者Ａが入力手段３１１４を操作することによって、ＧＵＩ表示手段３１１３に表示されたカーソル４６０４を移動させ、商品選択ボタン４６１３および商品選択ボタン４６２３を選択する。すると、送受信手段３１１１が、商品選択ボタン４６１３および商品選択ボタン４６２３に各々関連付けられた商品の選択情報を、ネットワーク３１９９を通じてサーバＸ３１３０に送る。サーバＸでは、送受信手段３１３１が商品の選択情報を受信すると、選択された商品の商品ＩＤを、選択商品ＩＤのフィールドに記憶する（ステップＳ４５０５）。
【０１４５】
図４６に示す一例では、商品選択ボタン４６１３に関連付けられた商品ＩＤであるＭＩＤ１および商品選択ボタン４６２３に関連付けられた商品ＩＤであるＭＩＤ２が、選択商品ＩＤのフィールド４５０２に記憶された。この時点で、セッション番号が「ｎ」であるセッションテーブルに選択された商品が記憶されたが、各々の商品の送付先は未定であり、この時点でフィールド４５４１、４５４２、および４５８１は空欄である。
【０１４６】
次に、サーバＸのＨＴＭＬ生成手段３１３２が、利用者情報画面のＨＴＭＬコードを生成し、ネットワーク３１９９を通じて端末Ａ３１１０に送る。端末Ａの送受信手段３１１１がこれを受信する（ステップＳ４５０６）。
【０１４７】
図４８に、利用者情報画面の一例を示す。利用者情報画面のウィンドウ４７０１は、物品販売サービスＸの利用者情報画面であることを示す表示４７０２、および物品販売サービスＸの利用者を表す表示４７０３、さらにネットサービスＶに登録した利用者情報を物品販売サービスＸで使うためのボタン４７０６を有する。ステップＳ４５０６で端末ＡがサーバＸより受信したＨＴＭＬコード中の、ボタン４７０６にはスクリプト言語などで構成される指示コードを含むプログラムなどが埋め込まれている。この指示コードにしたがって、端末Ａの送受信手段３１１１が、ネットワーク３１９９を通じてサーバＰ３１２０に、ボタン４７０６の内容表示要求と、ネットサービスＶのサービスＩＤであるＳＩＤｖを送る。サーバＰの送受信手段３１２１がこれを受信すると、検索手段３１２３がＳＩＤｖを検索キーとして、ネットサービステーブル３１２５の名前の列４３１０および画像情報の列４３３０を検索する。その結果名前４３１１および画像４３３１を得る。
【０１４８】
次に、ＨＴＭＬ生成手段がこれらを含むＨＴＭＬコードを生成し、送受信手段３１２１がこれらを、ネットワーク３１９９を通じて端末Ａに送る。端末Ａの送受信手段３１１１がこれを受信すると、ＨＴＭＬ解析手段３１１２がこれを解析した上、図４８に示したボタン４７０６の中身を含む利用者情報画面を描画する。図４８に示す一例において、画像４７０７は画像４３３１より、また名前４７０８は名前４３１１より生成された画像である。また、図４８に示す一例では、利用者Ａの名前を入力するためのフィールド４７２１、住所を入力するためのフィールド４７２２、および電子メールを入力するためのフィールド４７２３が表示されており、この時点ではこれらのフィールドは空白である。利用者Ａは、入力手段３１１４を用いて、これらのフィールドに自分の名前、住所および電子メールアドレスを入力することができるが、本実施形態では利用者Ａは、入力手段３１１４を用いてカーソル４７０４を移動させ、ボタン４７０６を選択する（ステップＳ４５０８）。
【０１４９】
送受信手段３１１１がこの選択情報を、ネットワーク３１９９を通じてサーバＸに送る。サーバＸの送受信手段がこれを受信すると、送受信手段３１３１が、セッション番号が「ｎ」であるセッションテーブルに記憶されている利用者Ａの名前、住所および電子メールアドレスを含むＨＴＭＬコードを、ネットワーク３１９９を通じて端末Ａに送る。端末Ａの送受信手段３１１１がこのＨＴＭＬコードを受信すると、ＨＴＭＬ解析手段３１１２が解析した上で、図４８に示す画像をＧＵＩ表示手段３１１３に表示する。図４８に示す一例では、利用者Ａは、物品販売サービスＸの利用者ＩＤを保有していないが、利用者Ａが物品販売サービスＸの利用者ＩＤを保有していてもよい。さらにこの段階でウィンドウ４７０１は、サーバＸのセッションテーブルに記憶された利用者Ａの情報が表示されている。図４８に示す一例では、利用者の名前４７１１は図４６に示すセッションテーブルのフィールド４５５１の情報、利用者Ａの住所４７１２はセッションテーブルのフィールド４５６１の情報、電子メール４７１３はセッションテーブルのフィールド４５７１の情報が表示されたものである。
【０１５０】
従来の物品販売サービスの商品購入方法によれば、購入する商品を選択した後、利用者の情報を入力する作業が必要であった。しかし、本発明の一実施形態に係る方法では、あらかじめサーバＶに記憶した利用者Ａの情報を、サーバＸが、、セッション番号が「ｎ」であるセッションテーブルに一時的に記憶してこれを利用するため、端末ＡをサーバＸと接続した状態で利用者Ａが自分の情報を入力する作業が省略できる。図４８のように利用者Ａの情報が表示された状態で、利用者Ａは入力手段３１１４を使って名前、住所、電子メールの各表示部に表示された情報を修正することもできる。なお、本実施形態では、ボタン４７０６の中身を表示する情報の要求を、端末ＡがサーバＰに送り、サーバＰから画像４７０７および名前４７０８が端末Ａに送られた。一方他の実施形態として、サーバＸがボタン４７０６の中身を表示するための要求をサーバＰに送り、サーバＰが画像４７０７および名前４７０８をサーバＸに送った上、サーバＸがこれらの情報を含むＨＴＭＬコードを生成した上端末Ａに送り、端末Ａが図４８に示す表示をおこなってもよい。さらに他の実施形態として、ボタン４７０６には、単純にサーバＰへのリンクが関連付けられているだけでもよい。この場合は、端末Ａで利用者Ａがボタン４７０６を選択すると、端末ＡとサーバＸとの接続をサーバＰにリダイレクトし、サーバＰのＨＴＭＬ生成手段３１２２がネットサービステーブル３１２５および物販サービステーブル３１２６から、ネットサービスＶの名前および画像を含む画面のＨＴＭＬコードを生成した上、端末Ａに送る。利用者Ａは、この画面でネットサービスＶに登録した情報を使う指示をサーバＶに対して実行する。
【０１５１】
次に、利用者Ａが入力手段３１１４を使って、カーソル４７０４を移動させ、確認ボタン４７０５を選択する。すると送受信手段３１１１が、利用者情報画面の確認情報を、ネットワーク３１９９を通じて、サーバＸに送る。サーバＸの送受信手段３１３１がこれを受信すると、検索手段３１３３が、図４６に示す状態にあるセッションテーブルに記憶された選択商品ＩＤを検索キーとして商品テーブルを検索し、ステップＳ４５０５で利用者Ａが選択した商品の商品情報を得る。次に、ＨＴＭＬ生成手段３１３２が、ステップＳ４５０５で選択された各商品の送付先を選択するための、送付先選択画面のＨＴＭＬコードを生成し、送受信手段３１３１がこれを、ネットワーク３１９９を通じて端末Ａに送る（ステップＳ４５１０）。端末Ａでは、送受信手段３１１１がこれを受信すると、ＨＴＭＬ解析手段３１１２が解析の上、ＧＵＩ表示手段３１１３が送付先選択画面を表示する。
【０１５２】
図４９に、端末Ａにおける物品販売サービスＸの送付先選択画面の一例を示す。送付先選択画面のウィンドウ４８０１は、これが送付先選択画面であることを表す表示４８０２を有する。図４９に示す一例では、利用者Ａは、物品販売サービスＸの利用者ＩＤを保有していないが、利用者Ａが物品販売サービスＸの利用者ＩＤを保有していてもよい。さらにウィンドウ４８０１は、ショッピングカート表示部４８１０を有する。ショッピングカート表示部４８１０には、利用者ＡがステップＳ４５０５で選択した商品の商品情報が表示される。
【０１５３】
図４９に示す一例では、ショッピングカート表示部には、ステップＳ４５０５で選択された「花」に関する商品情報４８２１および４８２２と、「シャツ」に関する商品情報４８３１および４８３２が表示されている。さらに「花」に関連付けられて送付先選択部４８２３が、「シャツ」に関連付けられて送付先選択部４８３３が表示される。この時点では送付先選択部４８２３に関連付けられた送付先情報４８２４、４８２５および４８２６は表示されていない。
【０１５４】
利用者Ａは入力手段３１１４を利用して、カーソル４８０４を移動させ、送付先選択部４８２３を選択する。送受信手段３１１１がこの選択情報を、ネットワーク３１９９を通じてサーバＸに送る。サーバＸの送受信手段３１３１がこの選択情報を受信すると、ＨＴＭＬ生成手段３１３２が、図４６に示すセッションテーブルに格納されている選択知人名前情報４５１１および４５１２と、利用者名前情報４５５１を含む、送付先選択画面のＨＴＭＬコードを生成し、送受信手段３１３１がこれを、ネットワーク３１９９を通じて端末Ａに送る。端末Ａでは、送受信手段３１１１がこのＨＴＭＬコードを受信し、ＨＴＭＬ解析手段３１１２が解析の上、ＧＵＩ表示手段３１１３が、選択知人名前および利用者名前を含む送付先選択画面を表示する。この結果、図４９に示すように送付先選択部４８２３に関連付けられて、送付先選択肢が表示される。送付先の選択肢として表示されている「Ｊｏｈｎ  Ｂｒｏｗｎ」４８２４は、セッション番号が「ｎ」であるセッションテーブルにおける選択知人名前４５１１に、また「Ｆｒｅｄ  Ｍａｎｃｉｎｉ」４８２５はセッションテーブルにおける選択知人名前４５１２に、また「Ｓｔｅｖｅ  Ｃｈｅｎ（自分）」４８２６は、セッション番号が「ｎ」であるセッションテーブルにおける利用者名前情報４５５１に各々対応する。次に、利用者Ａは入力手段３１１４を利用して、カーソル４８０４を移動させ、選択肢「Ｊｏｈｎ  Ｂｒｏｗｎ」４８２４を選択することで、「花」を「Ｊｏｈｎ  Ｂｒｏｗｎ」に送ることを端末Ａに対して指定する。次に、送受信手段３１１１が「花」に対する「Ｊｏｈｎ  Ｂｒｏｗｎ」の選択情報を、ネットワーク３１９９を通じてサーバＸに送る（ステップＳ４５１１）。サーバＸの送受信手段３１３１がこれを受信すると、セッション番号が「ｎ」であるセッションテーブルが、選択商品ＩＤのフィールド４５４１に、選択された「花」の商品ＩＤであるＭＩＤ１を記憶する。
【０１５５】
またさらに、利用者Ａが入力手段３１１４を利用してカーソル４８０４を移動させ送付先選択部４８３３を選択する。上記と同様の処理により端末ＡのＧＵＩ表示手段３１１３が、図５０に示す画面を表示する。図５０に示す一例では、送付先選択部４９３３に関連付けられて、送付先選択肢が表示される。送付先の選択肢として表示されている「Ｊｏｈｎ  Ｂｒｗｏｎ」４９３４は、セッションテーブルにおける選択知人名前４５１１に、「Ｆｒｅｄ  Ｍａｎｃｉｎｉ」４９３５はセッションテーブルにおける選択知人名前４５１２に、また「Ｓｔｅｖｅ  Ｃｈｅｎ（自分）」４９３６は、セッションテーブルにおける利用者名前４５５１に各々対応する。次に、利用者Ａは入力手段３１１４を利用して、カーソル４９０４を移動させ、選択肢「Ｆｒｅｄ  Ｍａｎｃｉｎｉ」４９３５を選択することで、「シャツ」を「Ｆｒｅｄ  Ｍａｎｃｉｎｉ」に送ることを端末Ａに対して指定する。
【０１５６】
また、送受信手段３１１１が、「シャツ」に対する「Ｆｒｅｄ  Ｍａｎｃｉｎｉ」の選択情報を、ネットワーク３１９９を通じてサーバＸに送る（ステップＳ４５１１）。サーバＸの送受信手段３１３１がこれを受信すると、セッション番号が「ｎ」であるセッションテーブルが、選択商品ＩＤのフィールド４５４２に、選択された「シャツ」の商品ＩＤであるＭＩＤ２を記憶する。次に、利用者Ａは入力手段３１１４を利用して、カーソル４９０４を移動させ、確認ボタン４９０５を選択する。すると送受信手段３１１１が、確認情報を、ネットワーク３１９９を通じてサーバＸに送る。この一例では、商品を知人に送る処理を用いて本実施形態を説明した。ただし本実施形態は、これに限定されることはなく、上記ステップＳ４５０８で、「Ｓｔｅｖｅ  Ｃｈｅｎ（自分）」４８２６または４９３６を選択することで、知人ではなく利用者自身への商品送付を指定することもできる。また、この一例では、ショッピングカートの「花」および「シャツ」について、端末Ａが選択情報を個別にサーバＸに送った。ただし本実施形態は、これに限定されることはなく、同時に送ってもよい。
【０１５７】
この時点で、セッション番号が「ｎ」であるセッションテーブルには、ステップＳ３８０１からＳ４５０７の処理によって、サーバＸが得た利用者Ａから知人に対する商品送付に必要な、利用者Ａの送付者情報、送付先情報、および送付先ごとの商品ＩＤおよび配送情報が記憶された状態となった。
【０１５８】
次に、送受信手段３１３１が、セッション番号が「ｎ」であるセッションテーブルの情報を、ネットワーク３１９９を通じて発送情報処理装置３１７０に送る（ステップＳ４５１２）。発送情報処理装置では、送受信手段３１７１がこれらの情報を受信する。図４６に示すように、知人「Ｊｏｈｎ  Ｂｒｏｗｎ」に関連付けられて住所および「花」に対応する商品ＩＤであるＭＩＤ１が記憶されている。このため、印刷手段３１７２が、発送者の情報として利用者Ａの名前４５５１と住所４５６１、および送付先の情報として「Ｊｏｈｎ  Ｂｒｏｗｎ」４５１１およびその住所４５２１を、配送伝票に印刷する。また、表示手段３１７３が印刷される伝票ＩＤと商品ＩＤの関連を表示し、これをもとにＭＩＤ１を有する商品の発送作業がおこなわれる（ステップＳ４５１３）。
【０１５９】
一方、利用者Ａが「シャツ」を送る処理を実行した「Ｆｒｅｄ  Ｍａｎｃｉｎｉ」４５１２についてはこの時点で、セッション番号が「ｎ」であるセッションテーブルに住所が記憶されていないため、ステップＳ４５１１の処理が実行できない。この場合は、サーバＸのメッセージ生成手段３１３７が住所入力を要求するメッセージを作成し、送受信手段３１３１がこのメッセージを、セッション番号が「ｎ」であるセッションテーブルにある電子メールアドレス４５３２を宛先としてネットワーク３１９９を経由して送る。サーバＸの送受信手段３１１１が「Ｆｒｅｄ  Ｍａｎｃｉｎｉ」の情報端末より住所情報を受信すると、これをセッションテーブルの選択知人情報の列のフィールド４５２２に、「Ｆｒｅｄ  Ｍａｎｃｉｎｉ」４５１２と関連付けて記憶する。その後は、「Ｊｏｈｎ  Ｂｒｏｗｎ」と同様にステップＳ４５１２およびステップＳ４５１３が実行される。また、「Ｆｒｅｄ  Ｍａｎｃｉｎｉ」４５１２のように、セッション番号が「ｎ」であるセッションテーブルに住所が記憶されていない時、サーバＸがサーバＶに対してメッセージ送信要求を送り、サーバＶのメッセージ生成手段３１８２が、宛先として住所入力を要求するメッセージを生成し、これを送受信手段３１５１が一時記憶テーブル３８００にある電子メールアドレス３８３３を宛先として、「Ｆｒｅｄ  Ｍａｎｃｉｎｉ」の情報端末に送ってもよい。
【０１６０】
以上で、利用者ＡがネットサービスＶで記憶する知人に、物品販売サービスＸで購入した商品を送る処理が完了した。なお、本実施形態では、図４９および図５０においては、ショッピングカート内の商品に、送付先である知人または利用者を関連付けるための表示に、プルダウン型のユーザインタフェイスを用いて説明した。これは商品と送付先である知人または利用者という多対多の関係をしているできるユーザインタフェイスであれば何でもよく、たとえばチェックボックス、ラジオボタンなど何でもよい。また、本実施形態では、利用者ＡはネットサービスＶで２人の知人が選択された状態で物品販売サービスＸに移動した。このため、物品販売サービスＸでは２つの商品を選択して、各々の商品にネットサービスＶで選択した知人を関連付けるために、図４９および図５０に示す画面を用いてステップＳ４５１０およびステップＳ４５１１の処理を実行した。本実施形態では、利用者Ａは、ネットサービスＶで利用者Ａのみが選択した状態で物品販売サービスＸに移動してもよい。この場合、選択した商品の送付先は、利用者Ａであることが明らかなため、図４９や図５０に示す画面を用いたステップＳ４５１０およびＳ４５１１の処理を省略できる。
【０１６１】
次に、ネットサービスＷの利用者ＩＤを有する利用者Ｂが、ネットサービスＷで記憶する利用者情報および知人情報を利用して、物品販売サービスＸで商品の購入と送付処理を行う処理について説明する。ただし、この処理は図３８および図４５の各フロー図に示した処理とほぼ同じであるので、これらを利用して適宜省略しながら説明する。なお、以下の図３８および図４５を用いた説明では、サーバＶをサーバＷに、利用者Ａを利用者Ｂに、さらに端末Ａを端末Ｂに読み替えて説明する。
【０１６２】
いま、利用者ＢがネットサービスＷの利用者であるとする。端末Ｂ３１１５がネットワーク３１９９を通じてサーバＷ３１６０に接続した状態で、利用者Ｂが入力手段３１１９を通じて、利用者ＢのネットサービスＷにおける認証情報を端末Ｂに入力する。以下では、一例として認証情報は利用者ＢのネットサービスＷにおけるＩＤとパスワード情報の組み合わせを認証情報として用いるが、認証情報は生体認証情報など、ネットサービスＷの利用者群のなかで、利用者Ｂを一意に特定できる情報であれば何でもよい。また、ネットサービスＷは、その利用者群の中で利用者Ｂを一意に特定できる手段を有するサービスであれば何でもよい。たとえば、サービスＶは、検索サービス、物品販売サービス、メッセージ印刷サービス、広告サービス、ＳＮＳ（Ｓｏｃｉａｌ  Ｎｅｔｗｏｒｋｉｎｇ  Ｓｅｒｖｉｃｅ）などであってよい。
【０１６３】
次に、送受信手段３１１６が、入力された利用者Ｂの認証情報を、ネットワーク３１９９を通じてサーバＷ３１６０に送る。サーバＷの送受信手段３１６１が受信した利用者Ｂの認証情報を受信すると、検索手段３１６３が記憶手段３１６４にある利用者認証テーブル３１６５を検索する。送受信手段３１６１が受信した利用者ＩＤおよびパスワード情報の組と、利用者認証テーブル３１６５にあらかじめ記憶された利用者ＩＤおよびパスワード情報の一致をもって、サーバＷにおいて利用者Ｂが認証される（ステップＳ３８０１）。ここでは、一例として利用者認証テーブル３１６５は、利用者ＩＤの列とパスワードの列を有するテーブルを前提として説明したが、ここで送受信手段３１６１が受信した認証情報が、利用者Ｂのものであることを認証可能な情報が記憶されているテーブルであればどのようなテーブルでもよい。
【０１６４】
次に、端末Ｂの送受信手段３１１６が知人情報表示画面要求を、ネットワーク３１９９を通じてサーバＷに送る。ここで端末Ｂが呼び出す知人情報表示画面は、物販サービスにおける配送先情報、ＳＮＳサービスにおける友人リスト、メッセージ印刷サービスにおける宛先情報など、利用者Ｂの知人およびその知人に関連付けられた情報を表示する画面であれば何でもよい。サーバＷでは、送受信手段３１６１がこの要求を受信すると、検索手段３１６３が利用者Ｂの利用者ＩＤを検索キーとして知人情報テーブル３１６６を検索し、利用者Ｂの知人情報を得る（ステップＳ３８０２）。本実施形態の一例では、利用者Ｂの知人情報テーブルは、図３９と同様の構造を有しているとして説明する。
【０１６５】
次にＨＴＭＬ生成手段３１６２が、検索された利用者Ｂの知人テーブルを利用して、知人情報表示画面のＨＴＭＬコードを生成し、送受信手段３１６１がネットワーク３１９９を通じて端末Ｂ３１１５に送る。端末Ｂでは送受信手段３１１６がこれを受信し、ＨＴＭＬ解析手段３１１７がこれを解析した上、ＧＵＩ表示手段３１１８に知人情報表示画面を表示する（ステップＳ３８０３）。
【０１６６】
図５１に、ネットサービスＷにおける利用者Ｂの知人情報表示画面の一例を示す。ＧＵＩ表示手段３１１８は、ネットサービスＷを提供するためのウィンドウ５００１を有し、さらにこのウィンドウは表示がネットサービスＷの知人表示画面であることを示す表示５００２、および利用者Ｂが利用中であることを示す表示５００３を有する。さらに知人情報表示画面は送受信手段３１１６がサーバＷより受信した知人情報を表示する知人情報表示部５０１０を有する。知人情報表示部は、利用者ＢがサーバＷに記憶した知人情報の一部または全部が表示され、さらに各々の知人を選択するための知人選択部５０１１を有する。
【０１６７】
図５１に示す一例では、利用者Ｂは、入力手段３１１９に入力することにより、ＧＵＩ表示手段３１１８に表示されたカーソル５００４を移動させ、知人である「Ｊｉｍ  Ｓｍｉｔｈ」に関連付けられた選択部５０１３を選択する。利用者Ｂが選択する知人は１人でも複数でもよい。利用者Ｂはさらに、カーソル５００４を移動させ、選択完了ボタン５００６を選択する。すると、送受信手段３１１６は、「Ｊｉｍ  Ｓｍｉｔｈ」の選択情報を、ネットワーク３１９９を通じて、サーバＷ３１６０に送る（ステップＳ３８０４）。
【０１６８】
サーバＷの送受信手段３１６１がこの選択情報を受信すると、利用者Ｂの知人情報テーブルに記憶され、かつ、ステップＳ３８０４で選択された知人の情報を、一時記憶テーブル３１６８に記憶する（ステップＳ３８０５）ここでは、サーバＷにおける一時記憶テーブルが図４１に示すような構造であるとして説明を進める。図５２に、サーバＷの一時記憶テーブルの一例を示す。サーバＷにおける利用者Ｂの一時記憶テーブル５１００は、テーブル番号のフィールド５１０１を有する。また選択された知人の名前の列５１１０、選択された知人の住所の列５１２０、選択された知人の付加情報の列５１３０、および知人がサービスＷの利用者であった場合の利用者ＩＤの列５１４０を有する。
【０１６９】
図５２を参照すると、ステップＳ３８０５では、ステップＳ３８０４で選択された知人「Ｊｉｍ  Ｓｍｉｔｈ」の情報が行５１１１に記憶されている。また一時記憶テーブル５１００は、利用者Ｂの名前を格納するフィールド５１５１、利用者Ａの住所を格納するフィールド５１６１、利用者Ａの付加情報を格納するフィールド５１７１、および利用者ＩＤを格納するフィールド５１８１を有する。
【０１７０】
次に、検索手段３１６３が、利用者ＢのネットサービスＷにおける利用者ＩＤを検索キーとして利用者情報テーブル３１６９を検索する。利用者情報テーブル３１６９には、ネットサービスＷの各利用者ＩＤに関連付けて、名前、住所、付加情報などが記憶されている。次にこの検索の結果得られた利用者Ｂの名前、住所、付加情報を各々一時記憶テーブルのフィールド５１５１、フィールド５１６１、フィールド５１７１に記憶する（ステップＳ３８０６）。
【０１７１】
次に、ＨＴＭＬ生成手段３１６２が物販サービス選択画面のＨＴＭＬコードを生成し、送受信手段３１６１がこれを、ネットワーク３１９９を通じて、端末Ｂ３１１５に送る。この一例ではＨＴＭＬコードには、ネットサービスＷが連携する物販サービスの情報は含まれていない。このＨＴＭＬコードは、ステップＳ３８０５およびＳ３８０６で記憶された利用者Ｂおよびその知人の情報を物品販売サービスで利用するために、物品販売サービスを選択するためのものである。ネットサービスＷが連携可能な物品販売サービスの情報は、後のステップＳ３８０９で端末ＢがサーバＰより取得するので、このＨＴＭＬコードに含まれていなくてもよい。
【０１７２】
次に、端末Ｂの送受信手段３１１６が、物販サービス選択画面のＨＴＭＬコードを受信し、ＨＴＭＬ解析手段３１１７がこれを解析し、さらにＧＵＩ表示手段３１１８が、物販サービス選択画面を表示する（ステップＳ３８０７）。
【０１７３】
図５３に、物販サービス選択画面の一例を示す。図５３に示す一例では、ＧＵＩ表示手段３１１８は、ネットサービスＷを提供するためのウィンドウ５２０１を有し、さらにこのウィンドウは、表示されている画面がネットサービスＷの物販サービス選択画面であることを示す表示５２０２、利用者Ｂが利用中であることを示す表示５２０３、さらにサービス選択部５２０５を有する。ステップＳ３８０７で端末ＢがサーバＷより受信したＨＴＭＬコード中の、サービス選択部５２０５には、スクリプト言語などで構成される指示コードを含むプログラムなどが埋め込まれている。この指示コードにしたがって、端末Ｂの送受信手段３１１６が、ネットワーク３１９９を通じてサーバＰ３１２０に、サービス選択部表示の表示要求と、ネットサービスＷを一意に特定するためのネットサービスＩＤを送る（ステップＳ３８０８）。
【０１７４】
この一例では、ネットサービスＷのネットサービスＩＤをＳＩＤｗとする。次に、サーバＰの送受信手段３１２１がこれらを受信すると、検索手段３１２３が、記憶手段３１２４の有するネットサービステーブル３１２５を、ＳＩＤｗを検索キーとして検索する。
【０１７５】
図４４（ａ）に、ネットサービステーブル３１２５の一例を再び示す。図４４（ａ）に示す一例では、ネットサービスＩＤであるＳＩＤｗ４３０２に関連付けられて、物品販売サービスＸのサービスＩＤであるＳＩＤｘ４３４３および物品販売サービスＺのサービスＩＤであるＳＩＤｚ４３４４が関連付けられて記憶されている。検索手段３１２３は、上記検索の結果としてＳＩＤｘ４３４３およびＳＩＤｚ４３４４を得る。次に、検索手段３１２３がこれらＳＩＤｘおよびＳＩＤｚを検索キーとして、物販サービステーブル３１２６を検索する。
【０１７６】
図４４（ｂ）には、物品販売サービステーブルの一例を示す。次に上記検索の結果得られた名前４３６１および４３６３、ＵＲＬ４３７１および４３７３、さらに画像情報４３８１および４３８３が、送受信手段３１２１によって、ネットワーク３１９９を通じて端末Ｂに送られる。
【０１７７】
端末Ｂの送受信手段３１１６がこれらを受信すると、サービス選択部５２０５に表示する（ステップＳ３８０９）。
【０１７８】
図５３を再び参照して、物品販売サービス名５２１１および画像５２１２は、サーバＰの物販サービステーブルのフィールド４３６１および４３８１から、また物品販売サービス名５２２１および画像５２２２はフィールド４３６３および４３８３から、各々生成されたものである。ここでウィンドウ５２０１に表示されるのは、各物品販売サービスを表す画像情報でなくとも、たとえばテキストリンクのように、利用者Ｂが物品販売サービスを選択できるような表示であればどのような表示でもよい。この実施形態では、端末ＢがサーバＰより物販サービステーブル３１２６の情報を得てサービス選択部５２０５を表示したが、サーバＷの記憶手段が物販サービステーブルを有し、ステップＳ３８０７で端末Ｂが受信するＨＴＭＬコードにこれらを含めることで、サービス選択部５２０５を表示してもよい。また、本実施形態では、端末ＢがサーバＰに対して、ネットサービスＷが連携可能な物品販売サービスの情報を問い合わせ、サーバＰが端末Ｂに対して連携可能な物品販売サービスの情報を送った。一方、他の実施形態として、サーバＷが直接サーバＰに対して、ネットサービスＷと連携可能な物品販売サービスの情報を問い合わせ、サーバＰがサーバＷに対して連携可能な物品販売サービスの情報４３６１、４３８１、４３６３、４３８３を送り、サーバＷのＨＴＭＬ生成手段が図５３に示す画像を生成するＨＴＭＬコードを生成した上、端末Ｂに送ってもよい。
【０１７９】
このように本発明の一実施形態では、あるネットサービスと、そのネットサービスで記憶されている知人情報および利用者情報を利用可能な物品販売サービスとの関連付けを連携サーバＰのネットサービステーブル３１２５および物販サービステーブル３１２６が記憶しておく。たとえば図４３に示したように、ネットサービスＶを利用する利用者Ａの物販サービス選択画面では、物品販売サービスＸおよび物品販売サービスＹでの、知人情報および利用者情報の利用が、選択肢として表示されている。一方、図５３に示した、ネットサービスＷを利用する利用者Ｂの物販サービス選択画面では、物品販売サービスＸおよび物品販売サービスＺでの、知人情報および利用者情報の利用が、選択肢として表示されている。このようなコンテクストによって変化する選択肢は、サーバＰに記憶された、ネットサービスと物品販売サービスの対応関係をもとに利用者に提示されている。このことによって複数のネットサービスと複数の物品販売サービスの連携関係を簡単に変更でき、かつ連携関係の変更の際に、ネットサービスのサーバにも、物品販売サービスのサーバにも変更を加える必要がない。これが連携サービスＰの提供する効果である。
【０１８０】
次に、利用者Ｂが入力手段３１１９を用いて、ＧＵＩ表示手段３１１８に表示されたカーソル５２０４を移動させ、物品販売サービスＸの画像５２１２を選択する。すると、送受信手段３１１６が物品販売サービスＸの選択情報を、ネットワーク３１９９を通じてサーバＷ３１６０に送る（ステップＳ３８１０）。
【０１８１】
サーバＷでは、送受信手段３１６１が物品販売サービスＸの選択情報およびそのＵＲＬ情報を受信する。このＵＲＬ情報は、サーバＰの物品販売サービステーブル内の情報４３７１でもよく、またあらかじめサーバＷの記憶手段に記憶されていてもよい。次に、このＵＲＬ情報にしたがって、ステップＳ３８０５およびステップＳ３８０６において図５２に示す一時記憶テーブルに記憶された情報を、ネットワーク３１９９を通じてサーバＸ３１３０に送る（ステップＳ３８１１）。この一例では、利用者Ｂの情報を一時記憶テーブルに記憶する処理（ステップＳ３８０６）を、端末Ｂより知人選択情報を受信した後に実行した。ただし本実施形態はこれに限定されることはなく、この処理はどの図３８に示すどのタイミングで実行されてもよい。
【０１８２】
次に、図４５に示すフロー図を用いて、サーバＷから送られた利用者Ｂおよびその知人の情報を用いて、物品販売サービスＸで利用者Ｂが物品を知人に送る処理について説明する。サーバＸの送受信手段３１３１が、前記ステップＳ３８０９においてサーバＷ３１６０より受信した利用者Ｂの情報、および、利用者ＢがステップＳ３８０４において送付先として選択した知人の情報を受信する（ステップＳ４５０１）。次に、これらの情報をサーバＸの記憶手段３１３４の有するセッションテーブル群３１３５のひとつ５３００に記憶する（ステップＳ４５０２）。図５４には、利用者Ｂの処理に使うセッションテーブルの一例を示す。セッション番号５３０１として「ｑ」が記憶され、サーバＷ３１６０よりステップＳ４５０１で受信した知人情報である、「Ｊｉｍ  Ｓｍｉｔｈ」５３１１に関する情報が記憶されている。また、各選択知人名前および利用者名前に各々、関連付けて記憶される選択商品ＩＤの列５３４０および選択商品ＩＤの列５３８０のフィールドは、この時点では空欄であり、後にステップＳ４５０８で、商品と送付先の対応関係を端末Ｂより受信した後に、商品ＩＤが記憶される。さらにセッション番号が「ｑ」であるセッションテーブルには、サーバＷよりステップＳ４５０１で受信した利用者Ｂの情報である「Ｌａｕｒａ  Ｂｅｒｋｅ」５３５１に関する情報が記憶されている。
【０１８３】
次に、端末Ｂ３１１０との接続をサーバＷ３１６０からサーバＸ３１３０にリダイレクトする（ステップＳ４５０３）。次に、サーバＸのＨＴＭＬ生成手段３１３２が、商品テーブル３１３６に記憶された商品情報を情報端末で表示させるためのＨＴＭＬコードを生成する。商品テーブルは、購入可能な商品の種類を一意に特定するための商品ＩＤに関連付けて、その商品の価格、画像、特徴などの商品情報が関連付けられて記憶されている。
【０１８４】
次に、送受信手段３１３１がこのＨＴＭＬコードを、ネットワーク３１９９を通じて端末Ｂ３１１５に送る。端末Ｂでは、送受信手段３１１６がこのＨＴＭＬコードを受信すると、ＨＴＭＬ解析手段３１１７が解析の上、ＧＵＩ表示手段３１１８に商品選択画面が表示される（ステップＳ４５０４）。ここで表示される商品画面の一例が、すでに図４７に示したものである。この一例では、利用者Ａに対する商品選択と利用者Ｂに対する商品選択画面が同じであるとしたが、異なる商品選択画面が表示されてもよい。
【０１８５】
次に、利用者Ｂが入力手段３１１９を操作することによって、ＧＵＩ表示手段３１１８に表示されたカーソル４６０４を移動させ、商品選択ボタン４６１３および商品選択ボタン４６４３を選択する。すると、送受信手段３１１６が、商品選択ボタン４６１３および商品選択ボタン４６４３に各々関連付けられた商品の選択情報を、ネットワーク３１９９を通じてサーバＸ３１３０に送る。サーバＸでは、送受信手段３１３１が商品の選択情報を受信すると、選択された商品の商品ＩＤを、選択商品ＩＤのフィールドに記憶する（ステップＳ４５０５）。図５４に示す一例では、商品選択ボタン４６１３に関連付けられた商品ＩＤであるＭＩＤ１および商品選択ボタン４６４３に関連付けられた商品ＩＤであるＭＩＤ４が、選択商品ＩＤのフィールド５３０２に記憶された。この時点で、セッション番号が「ｑ」であるセッションテーブルに選択された商品が記憶されたが、各々の商品の送付先は未定であり、この時点でフィールド５３４１および５３８１は空欄である。
【０１８６】
次に、サーバＸのＨＴＭＬ生成手段３１３２が、利用者情報画面のＨＴＭＬコードを生成し、ネットワーク３１９９を通じて端末Ｂ３１１５に送る。端末Ｂの送受信手段３１１６がこれを受信する（ステップＳ４５０６）。図５５に、利用者情報画面の一例を示す。利用者情報画面のウィンドウ５４０１は、物品販売サービスＸの利用者情報画面であることを示す表示５４０２、および物品販売サービスＸの利用者を表す表示５４０３、さらにネットサービスに登録した利用者情報を物品販売サービスＸで使うためのボタン５４０６を有する。ステップＳ４５０６で端末ＢがサーバＸより受信したＨＴＭＬコード中の、ボタン５４０６にはスクリプト言語などで構成される指示コードを含むプログラムなどが埋め込まれている。この指示コードにしたがって、端末Ｂの送受信手段３１１６が、ネットワーク３１９９を通じてサーバＰ３１２０に、ボタン５４０６の内容表示要求と、ネットサービスＷのサービスＩＤであるＳＩＤｗを送る。サーバＰの送受信手段３１２１がこれを受信すると、検索手段３１２３がＳＩＤｗを検索キーとして、ネットサービステーブル３１２５の名前の列４３１０および画像情報の列４３３０を検索する。その結果名前４３１２および画像４３３２を得る。次に、ＨＴＭＬ生成手段がこれらを含むＨＴＭＬコードを生成し、送受信手段３１２１がこれらを、ネットワーク３１９９を通じて端末Ｂに送る。端末Ｂの送受信手段３１１６がこれを受信すると、ＨＴＭＬ解析手段３１１７がこれを解析した上、図５５に示したボタン５４０６の中身を含む利用者情報画面を描画する（ステップＳ４５０８）。
【０１８７】
図５５に示す一例において、画像５４０７は画像４３３２より、また名前５４０８は名前４３１２より生成された画像である。また、図５５に示す一例では、利用者Ｂの名前を入力するためのフィールド５４２１、住所を入力するためのフィールド５４２２、および電子メールを入力するためのフィールド５４２３が表示されており、この時点ではこれらのフィールドは空白である。利用者Ｂは、入力手段３１１９を用いて、これらのフィールドに自分の名前、住所および電子メールアドレスを入力することができるが、本実施形態では利用者Ｂは、入力手段３１１９を用いてカーソル５４０４を移動させ、ボタン５４０６を選択する（ステップＳ４５０９）。
【０１８８】
送受信手段３１１１がこの選択情報を、ネットワーク３１９９を通じてサーバＸに送る。サーバＸの送受信手段がこれを受信すると、送受信手段３１３１がセッション番号が「ｑ」であるセッションテーブルに記憶されている利用者Ｂの名前、住所および電子メールアドレスを含むＨＴＭＬコードを、ネットワーク３１９９を通じて端末Ｂに送る。端末Ｂの送受信手段３１１６がこのＨＴＭＬコードを受信すると、ＨＴＭＬ解析手段３１１７が解析した上で、図５５に示す画像をＧＵＩ表示手段３１１８に表示する。図５５に示す一例では、利用者Ｂは、物品販売サービスＸの利用者ＩＤを保有していないが、利用者Ｂが物品販売サービスＸの利用者ＩＤを保有していてもよい。さらにこの段階でウィンドウ５４０１は、サーバＸのセッションテーブルに記憶された利用者Ｂの情報表示を有する。
【０１８９】
図５５に示す一例では、利用者の名前５４１１は、図５４に示すセッションテーブルのフィールド５３５１の情報、利用者Ａの住所５４１２はセッションテーブルのフィールド５３６１の情報、電子メール５４１３はセッションテーブルのフィールド５３７１の情報が表示されたものである。従来の物品販売サービスの商品購入方法によれば、購入する商品を選択した後、利用者の情報を入力する作業が必要であった。しかし、本発明の一実施形態に係る方法では、あらかじめサーバＷに記憶した利用者Ｂの情報を、サーバＸが、セッション番号が「ｑ」であるセッションテーブルに一時的に記憶してこれを利用するため、端末ＢをサーバＸと接続した状態で利用者Ｂが自分の情報を入力する作業が省略できる。図５５のように利用者Ｂの情報が表示された状態で、利用者Ｂは入力手段３１１９を使って名前、住所、電子メールの各表示部に表示された情報を修正することもできる。なお、本実施形態では、ボタン５４０６の中身を表示する情報の要求を、端末ＢがサーバＰに送り、サーバＰから画像５４０７および名前５４０８が端末Ａに送られた。一方他の実施形態として、サーバＸがボタン５４０６の中身を表示するための要求をサーバＰに送り、サーバＰが画像５４０７および名前５４０８をサーバＸに送った上、サーバＸがこれらの情報を含むＨＴＭＬコードを生成した上端末Ｂに送り、端末Ｂが図５５に示す表示をおこなってもよい。さらに本実施形態では、ボタン５４０６には、単純にサーバＰへのリンクが関連付けられているだけでもよい。この場合は、端末Ａで利用者Ａがボタン５４０６を選択すると、端末ＡとサーバＸとの接続をサーバＰにリダイレクトし、サーバＰのＨＴＭＬ生成手段３１２２がネットサービステーブル３１２５および物販サービステーブル３１２６から、ネットサービスＷの名前および画像を含む画面のＨＴＭＬコードを生成した上、端末Ａに送る。利用者Ａは、この画面でネットサービスＷに登録した情報を使う指示をサーバＷに対して実行する。
【０１９０】
次に、利用者Ｂが入力手段３１１９を使って、カーソル５４０４を移動させ、確認ボタン５４０５を選択する。すると送受信手段３１１６が、利用者情報画面の確認情報を、ネットワーク３１９９を通じて、サーバＸに送る。サーバＸの送受信手段３１３１がこれを受信すると、検索手段３１３３が、図５４に示す状態にあるセッションテーブルに記憶された選択商品ＩＤを検索キーとして商品テーブルを検索し、ステップＳ４５０５で利用者Ｂが選択した商品の商品情報を得る。次に、ＨＴＭＬ生成手段３１３２が、ステップＳ４５０５で選択された各商品の送付先を選択するための、送付先選択画面のＨＴＭＬコードを生成し、送受信手段３１３１がこれを、ネットワーク３１９９を通じて端末Ｂに送る（ステップＳ４５１０）。端末Ｂでは、送受信手段３１１６がこれを受信すると、ＨＴＭＬ解析手段３１１７が解析の上、ＧＵＩ表示手段３１１８が送付先選択画面を表示する。
【０１９１】
図５６に、端末Ｂにおける物品販売サービスＸの送付先選択画面の一例を示す。送付先選択画面のウィンドウ５５０１は、これが送付先選択画面であることを表す表示５５０２を有する。図５６に示す一例では、利用者Ｂは、物品販売サービスＸの利用者ＩＤを保有していないが、利用者Ｂが物品販売サービスＸの利用者ＩＤを保有していてもよい。さらにウィンドウ５５０１は、ショッピングカート表示部５５１０を有する。ショッピングカート表示部５５１０には、利用者ＢがステップＳ４５０５で選択した商品の商品情報が表示される。図５６に示す一例では、ショッピングカート表示部には、ステップＳ４５０５で選択された「花」に関する商品情報５５１１および５５１２と、「手袋」に関する商品情報５５４１および５５４２が表示されている。さらに「花」に関連付けられて送付先選択部５５１３が、「手袋」に関連付けられて送付先選択部５５４３が表示される。この時点では送付先選択部５５１３に関連付けられた送付先情報５４１４および５４１５は表示されていない。
【０１９２】
利用者Ｂは入力手段３１１９を利用して、カーソル５５０４を移動させ、送付先選択部５５１３を選択する。送受信手段３１１６がこの選択情報を、ネットワーク３１９９を通じてサーバＸに送る。サーバＸの送受信手段３１３１がこの選択情報を受信すると、ＨＴＭＬ生成手段３１３２が、図５４に示すセッションテーブルに格納されている選択知人名前情報５３１１と、利用者名前情報５３５１を含む、送付先選択画面のＨＴＭＬコードを生成し、送受信手段３１３１がこれを、ネットワーク３１９９を通じて端末Ｂに送る。端末Ｂでは、送受信手段３１１６がこのＨＴＭＬコードを受信し、ＨＴＭＬ解析手段３１１７が解析の上、ＧＵＩ表示手段３１１８が、選択知人名前および利用者名前を含む、送付先選択画面を表示する。この結果、図５６に示すように送付先選択部５５１３に関連付けられて、送付先選択肢が表示される。送付先の選択肢として表示されている「Ｊｉｍ  Ｓｍｉｔｈ」５５１４はセッション番号が「ｑ」であるセッションテーブルにおける選択知人名前情報５３１１に、また「Ｌａｕｒａ  Ｂｅｒｋｅ（自分）」５５１５はセッション番号が「ｑ」であるセッションテーブルにおける利用者名前情報５３５１に各々対応する。
【０１９３】
次に、利用者Ｂは入力手段３１１９を利用して、カーソル５５０４を移動させ、選択肢「Ｊｉｍ  Ｓｍｉｔｈ」５５１４を選択することで、「花」を「Ｊｉｍ  Ｓｍｉｔｈ」に送ることを端末Ｂに対して指定する。すると、送受信手段３１１６が「花」に対する「Ｊｉｍ  Ｓｍｉｔｈ」の選択情報を、ネットワーク３１９９を通じてサーバＸに送る（ステップＳ４５１１）。サーバＸの送受信手段３１３１がこれを受信すると、セッション番号が「ｑ」であるセッションテーブルが、選択商品ＩＤのフィールド５３４１に、選択された「花」の商品ＩＤであるＭＩＤ１を記憶する。
【０１９４】
またさらに、利用者Ｂが入力手段３１１９を利用してカーソル５５０４を移動させ送付先選択部５５４３を選択する。上記と同様の処理により端末ＢのＧＵＩ表示手段３１１８が、図５７に示す画面を表示する。
【０１９５】
図５７に示す一例では、送付先選択部５６４３に関連付けられて、送付先選択肢が表示される。送付先の選択肢として表示されている「Ｊｉｍ  Ｓｍｉｔｈ」５６４４は、セッション番号が「ｑ」であるセッションテーブルにおける選択知人名前５３１１に、また「Ｌａｕｒａ  Ｂｅｒｋｅ（自分）」５６４５は、セッション番号が「ｑ」であるセッションテーブルにおける利用者名前５３５１に各々対応する。
【０１９６】
次に、利用者Ｂは入力手段３１１９を利用して、カーソル５６０４を移動させ、選択肢「Ｌａｕｒａ  Ｂｅｒｋｅ（自分）」５６４５を選択することで、「手袋」の送付先として「Ｌａｕｒａ  Ｂｅｒｋｅ」を設定する。すると、送受信手段３１１６が「手袋」に対する「Ｌａｕｒａ  Ｂｅｒｋｅ」の選択情報を、ネットワーク３１９９を通じてサーバＸに送る（ステップＳ４５１１）。サーバＸの送受信手段３１３１がこれを受信すると、セッション番号が「ｑ」であるセッションテーブルが、選択商品ＩＤのフィールド５３８１に、選択された「手袋」の商品ＩＤであるＭＩＤ４を記憶する。
【０１９７】
次に、利用者Ｂは入力手段３１１９を利用して、カーソル５６０４を移動させ、確認ボタン５６０５を選択する。すると送受信手段３１１６が、確認情報を、ネットワーク３１９９を通じてサーバＸに送る。また、この一例では、ショッピングカートの「花」および「手袋」について、端末Ｂが選択情報を個別にサーバＸに送ったが、同時に送ってもよい。この時点で、セッション番号が「ｑ」であるセッションテーブルには、ステップＳ３８０１からＳ４５０７の処理によって、サーバＸが得た利用者Ｂから知人に対する商品送付に必要な、利用者Ｂの送付者情報、送付先情報、および送付先ごとの商品ＩＤが記憶された状態となった。
【０１９８】
次に、送受信手段３１３１が、セッション番号が「ｑ」であるセッションテーブルの情報を、ネットワーク３１９９を通じて発送情報処理装置３１７０に送る（ステップＳ４５１２）。発送情報処理装置では、送受信手段３１７１がこれらの情報を受信する。図５４に示すように、知人「Ｊｉｍ  Ｓｍｉｔｈ」５３１１に関連付けられて住所および「花」に対応する商品ＩＤであるＭＩＤ１が記憶されている。また利用者Ｂ本人である、「Ｌａｕｒａ  Ｂｅｒｋｅ」５３１１に関連付けられて住所および「花」に対応する商品ＩＤであるＭＩＤ１が記憶されている。このため、印刷手段３１７２が、発送者の情報として利用者Ｂの名前５３５１と住所５３６１、および送付先の情報として「Ｊｉｍ  Ｓｍｉｔｈ」５３１１およびその住所５３２１を、配送伝票に印刷する。また、表示手段３１７３が印刷される伝票ＩＤと商品ＩＤの関連を表示し、これをもとにＭＩＤ１の商品の発送作業がおこなわれる（ステップＳ４５１３）。同様に、印刷手段３１７２が、発送者の情報として利用者Ｂの名前５３５１と住所５３６１を印刷し、また送付先の情報として同じ利用者Ｂ自身の名前５３５１およびその住所５３６１を、配送伝票に印刷する。また、表示手段３１７３が印刷される伝票ＩＤと商品ＩＤの関連を表示し、これをもとにＭＩＤ４の商品の発送作業がおこなわれる（ステップＳ４５１３）。
【０１９９】
以上で、利用者Ｂが知人ネットサービスＷで記憶する知人および利用者Ｂ自身に、物品販売サービスＸで購入した商品を送る処理が完了した。さらに、本実施形態においては、物品販売サービスＸは、複数のネットサービスのサーバに記憶された知人リストを用いて、物品販売サービスＸで商品の購入よび送付処理が実行できる。すなわち、本実施形態によれば物品販売サービスＸのサーバは、複数の異なるネットサービスのサーバから利用者情報を受け取り、利用者情報や知人情報を利用して、従来技術を用いるより簡単に商品の購入および発送処理を実行することができる。本発明の一実施形態においては、たとえば販売サービスＸが利用者情報を受け入れることができるネットサービスが増減するなどの変更が生じても、連携サービスＰのサーバにおけるネットサービステーブル３１２５および物販サービステーブル３１２６を変更するだけで済み、物品販売サービスのサーバＸ３１３０にもネットサービスＶのサーバ３１５０にも改修をする必要がない。
【０２００】
（実施形態３）
実施形態２で、利用者はネットサービスで送付先を選択した後、ネットサービスの画面で選択した物品販売サービスに移動して商品を選択するという順序で、商品の購入および送付を実行した。一方、以下に説明する実施形態３では、利用者は、物品販売サービスを利用している状態から処理を始める。利用者は、物品販売サービスでまず商品を選択し、次に送付先を取得するネットサービスを選択した後、選択されたネットサービスに移動して送付先を選択する。実施形態２では、ネットサービスから物品販売サービスへ移動するため、物品販売サービスで使う利用者情報や知人情報が、どのネットサービスから取得したものかというコンテクスト情報を、物品販売サービスのサーバが有している。このためたとえば、図４８に表示されているボタン４７０６や図５５に表示されているボタン５４０６に示すように、利用者情報や知人情報を取得するネットサービスが、一意に特定された状態で、利用者に提示される。一方、物品販売サービスから出発する実施形態３では、物品販売サービスで使う利用者情報や知人情報が、どのネットサービスで記憶されたものかというコンテクスト情報を、物品販売サービスのサーバが持っていない。このため、前記実施形態２とは異なる処理が必要となる。
【０２０１】
以下、図５８のフローチャートを参照しながら、実施形態３を説明する。まず利用者Ａが、端末Ａ３１１０を、ネットワーク３１９９を通じてサーバＸ３１３０と接続する。サーバＸのＨＴＭＬ生成手段３１３２が、商品テーブル３１３６に記憶された情報を使い、商品選択画面のＴＨＭＬコードを生成する。送受信手段３１３１がこれを、ネットワーク３１９９を通じて端末Ａに送る。端末Ａの送受信手段３１１１がこれを受信すると、ＨＴＭＬ解析手段３１１２が解析し、ＧＵＩ表示手段３１１３が図４７に示す商品選択画面を表示する（ステップＳ５８０１）。次に、利用者Ａが入力手段３１１４を操作することによって、ＧＵＩ表示手段３１１３に表示されたカーソル４６０４を移動させ、商品選択ボタン４６１３および商品選択ボタン４６２３を選択する。すると、送受信手段３１１１が、商品選択ボタン４６１３および商品選択ボタン４６２３に各々関連付けられた商品の選択情報を、ネットワーク３１９９を通じてサーバＸ３１３０に送る。サーバＸでは、送受信手段３１３１がこれを受信すると、セッション番号が「ｒ」であるセッションテーブルを記憶手段３１３４に生成する。セッション番号が「ｒ」であるセッションテーブルは、図４６に示す構造をしている。図４６ではセッション番号４５０１として番号ｎが記されているが、以下の図４６を用いた説明では、セッション番号４５０１がｒであると読み替えて説明を続ける。
【０２０２】
次に、記憶手段は生成されたセッション番号が「ｒ」であるセッションテーブルの商品選択ＩＤのフィールド４５０２に、端末Ａから選択情報を受信した商品の商品ＩＤを記憶する（ステップＳ５８０２）。図４６に示す一例では、商品選択ボタン４６１３に関連付けられた商品ＩＤであるＭＩＤ１および商品選択ボタン４６２３に関連付けられた商品ＩＤであるＭＩＤ２が、選択商品ＩＤのフィールド４５０２に記憶された。この時点で、セッション番号が「ｒ」であるセッションテーブルに選択された商品が記憶されたが、これ以外のフィールドはすべて空欄である。前記実施形態２では選択商品ＩＤが記憶されたステップＳ４５０５の時点ですでに知人および利用者の情報を記憶する各フィールドに情報が記憶された状態であった。これに対し、本実施形態では、これらのフィールドへの情報記憶は、後のステップで行われる。
【０２０３】
次に、サーバＸのＨＴＭＬ生成手段３１３２が、利用者情報画面のＨＴＭＬコードを生成し、ネットワーク３１９９を通じて端末Ａ３１１０に送る。端末Ａの送受信手段３１１１がこれを受信する（ステップＳ５８０３）。図５９に、この時の利用者情報画面の一例を示す。利用者情報画面のウィンドウ５８０１は、物品販売サービスＸの利用者情報画面であることを示す表示５８０２、および物品販売サービスＸの利用者を表す表示５８０３、およびサービス選択部５８０８を有する。ステップＳ５８０３で端末ＡがサーバＸより受信したＨＴＭＬコード中の領域５８０８には、たとえばスクリプト言語などで構成される指示コードを含むプログラムが埋め込まれている。この指示コードにしたがって、端末Ａの送受信手段３１１１が、ネットワーク３１９９を通じてサーバＰ３１２０に、領域５８０８の内容表示要求と、物品販売サービスＸのサービスＩＤであるＳＩＤｘを送る。図４４を参照して、サーバＰの送受信手段３１２１がこれを受信すると、検索手段３１２３がＳＩＤｘを検索キーとして、物販サービステーブル３１２６のネットサービスの列４３９０を検索する。すると、物品販売サービスＸで、利用者情報や知人情報を利用可能なネットサービスとしてネットサービスＶを表すＳＩＤｖ４３９２およびＳＩＤｗ４９２９を得る。次に、ＳＩＤｖおよびＳＩＤＶｗを検索キーとしてネットサービステーブル３１２５の、名前の列４３１０および画像情報の列４３３０を検索する。その結果、ネットサービスＶの名前４３１１および画像４３３１、ならびに、ネットサービスＷの名前４３１２および画像４３３２を得る。次に、ＨＴＭＬ生成手段がこれらを含むＨＴＭＬコードを生成し、送受信手段３１２１がこれらを、ネットワーク３１９９を通じて端末Ａに送る。端末Ａの送受信手段３１１１がこれを受信すると、ＨＴＭＬ解析手段３１１２がこれを解析した上、図５９に示したサービス選択部５８０８の中身を含む利用者情報画面５８０１を描画する。図５９に示す一例では、ネットサービスＶの選択ボタン５８１０およびネットサービスＷの選択ボタン５８２０が表示されている。ここで、画像５８１１はサーバＰから送られた画像４３３１、名前５８１２はサーバＰから送られた名前４３１１より生成されたものである。また、画像５８２１はサーバＰから送られた画像４３３２、名前５８２２はサーバＰから送られた名前４３３２から生成されたものである。なお、本実施形態３では、サービス選択部５８０８の中身を表示する情報の要求を、端末ＡがサーバＰに送り、サーバＰから選択ボタン５８１０および５８２０が端末Ａに送られた。一方、他の実施形態として、サーバＸがネットサービス領域５８０８の中身を表示するための要求をサーバＰに送り、サーバＰが選択ボタン５８１０および５８２０をサーバＸに送り、さらにサーバＸがこれらの情報を含むＨＴＭＬコードを生成した上端末Ａに送り、端末Ａが図５９に示す表示をおこなってもよい。さらに他の実施形態では、サービス選択部５８０８には、単純にサーバＰへのリンクが関連付けられているだけでもよい。この場合は、端末Ａで利用者Ａがサービス選択部を選択すると、端末ＡからサーバＸへの接続を、サーバＸからサーバＰにリダイレクトし、サーバＰのＨＴＭＬ生成手段３１２２がネットサービステーブル３１２５および物販サービステーブル３１２６から、ネットサービスＶとネットサービスＷを選択するための画面のＨＴＭＬコードを生成した上、端末Ａに送る。利用者Ａは、この画面でサービスＶを選択する。
【０２０４】
また、図５９に示す一例では、利用者Ａの名前を入力するためのフィールド５８３０、住所を入力するためのフィールド５８４０、および電子メールを入力するためのフィールド５８５０が表示されており、この時点ではこれらのフィールドは空白である。利用者Ａは、入力手段３１１４を用いて、これらのフィールドに自分の名前、住所および電子メールアドレスを入力することができる。また、本実施形態ではこれらのフィールドに情報を入力せず、利用者Ａがその情報および知人情報を記憶しているネットサービスＶのサーバよりこれらの情報を呼び出すこともできる。このために利用者Ａは、入力手段３１１４を用いてカーソル５８０４を移動させ、選択ボタン５８１０を選択する（ステップＳ５８０５）。
【０２０５】
次に、端末ＡからサーバＸへの接続が、サーバＸからサーバＶにリダイレクトされる（ステップＳ５８０６）。サーバＶのＨＴＭＬ生成手段３１５２が、利用者認証画面のＨＴＭＬコードを生成し、送受信手段３１５１がこれをネットワーク３１９９経由で端末Ａに送る。端末Ａの送受信手段３１１１がこれを受信すると、ＨＴＭＬ解析手段３１１２が解析の後、ＧＵＩ表示手段３１１３にネットサービスＶの認証画面を表示する。図６０にネットサービスＶの認証画面の一例を示す。ネットサービスＶのウィンドウ５９０１は、ネットサービスＶの認証画面であることを示す表示５９０２、利用者ＩＤの入力部５９１０、パスワードの入力部５９２０、および確認ボタン５９０５を有する。利用者Ａは、入力手段３１１４を利用してカーソル５９０４を移動させ、利用者ＡのネットサービスＶにおける利用者ＩＤを入力部５９１０に、またパスワードを５９２０に入力した後、確認ボタン５９０５を選択する。すると、入力手段３１１４から入力されたＩＤおよびパスワードを、ネットワーク３１９９を通じてサーバＶに送る。サーバＶの送受信手段３１５１がこれを受信すると、検索手段３１５３が利用者認証テーブル３１５５を検索し、あらかじめ記憶されている利用者Ａの利用者ＩＤとパスワードの一致をもって利用者Ａを認証する（ステップＳ５８０７）。ここでは利用者Ａの認証には、利用者ＩＤとパスワードの組み合わせを利用した。ただし、本実施形態においては、これに限定されることはない。例えば、生体認証情報など利用者ＡをネットサービスＶの利用者のなかで一意に特定できる方法であれば、どのような方法でもよい。
【０２０６】
次にサーバＶの検索手段３１５３が利用者Ａの利用者ＩＤを検索キーとして知人情報テーブル３１５６を検索し、利用者Ａの知人情報を得る。図３９に、利用者Ａの知人情報テーブル３１５６の一例を示す。図３９に示す一例では、利用者Ａの知人として、「Ｊｏｈｎ  Ｂｒｏｗｎ」３８１１、「Ｂｅｔｔｙ  Ｔｈｏｍａｓ」３８１２、および「Ｆｒｅｄ  Ｍａｎｃｉｎｉ」３８１３の３人が記憶されている。各々の知人について、すべての列の情報が記憶されている必要はない。図３９の一例では、「Ｆｒｅｄ  Ｍａｎｃｈｉｎｉ」に関連づけられた住所３８２３は存在せず、また「Ｊｏｈｎ  Ｂｒｏｗｎ」に関連付けられた付加情報３８３１は存在しない。また、利用者Ａの知人は、ネットサービスＶの利用者であっても、なくてもよい。図３９に示す一例では、「Ｂｅｔｔｙ  Ｔｈｏｍａｓ」および「Ｆｒｅｄ  Ｍａｎｃｉｎｉ」がネットサービスＶの利用者であって、各々ＩＤｖｂ３８４２およびＩＤｖｃ３８４３という、ネットサービスＶの利用者ＩＤを有している。
【０２０７】
次にＨＴＭＬ生成手段３１５２が、検索された利用者Ａの知人テーブルを利用して、知人情報表示画面のＨＴＭＬコードを生成し、送受信手段３１５１がネットワーク３１９９を通じて端末Ａ３１１０に送る。端末Ａでは送受信手段３１１１がこれを受信し、ＨＴＭＬ解析手段３１１２がこれを解析した上、ＧＵＩ表示手段３１１３に知人情報表示画面を表示する（ステップＳ５８０８）。
【０２０８】
図４０に、ネットサービスＶにおける利用者Ａの知人情報表示画面の一例を示す。知人情報表示部３９１０は、利用者ＡがサーバＶに記憶した知人情報の一部または全部が表示され、さらに各々の知人を選択するための知人選択部３９１１を有する。図４０に示す一例では、利用者Ａは、入力手段３１１４に入力することにより、ＧＵＩ表示手段３１１３に表示されたカーソル３９０４を移動させ、知人である「Ｊｏｈｎ  Ｂｒｏｗｎ」に関連付けられた選択部３９１２、および「Ｆｒｅｄ  Ｍａｎｃｉｎｉ」に関連付けられた選択部３９１３を選択する。図４０の一例では、利用者ＡはサーバＶに住所情報が記憶された知人「Ｊｏｈｎ  Ｂｒｏｗｎ」を選択したが、選択する知人はたとえば図４０の「Ｂｅｔｔｙ  Ｔｈｏｍａｓ」のようにネットサービスＶの利用者であってもよい。また「Ｆｒｅｄ  Ｍａｎｃｉｎｉ」のように住所情報がサーバＶに記憶されて、住所録情報がサーバＶに記憶されていない知人でもよい。利用者Ａが選択する知人は１人でも複数でもよい。利用者Ａはさらに、カーソル３９０４を移動させ、選択完了ボタン３９０６を選択する。すると、送受信手段３１１１は、「Ｊｏｈｎ  Ｂｒｏｗｎ」および「Ｆｒｅｄ  Ｍａｎｃｉｎｉ」の選択情報を、ネットワーク３１９９を通じて、サーバＶ３１５０に送る（ステップＳ５８０９）。
【０２０９】
サーバＶの送受信手段３１５１がこの選択情報を受信する。送受信手段３１５１が、知人情報テーブルに記憶された利用者Ａの知人情報の中から、ステップＳ５８０９で利用者Ａが選択した知人の、名前、住所および付加情報と、利用者Ａ自身の名前、住所および付加加情報を、ネットワーク３１９９を通じてサーバＸに送る（ステップＳ５８１０）。
【０２１０】
サーバＸの送受信手段３１３１がこの情報を受信すると、セッション番号が「ｒ」であるセッションテーブルに記憶する。図４６を再び参照して、ステップＳ５８１０で送られた選択知人名前「Ｊｏｈｎ  Ｂｒｏｗｎ」４５１１とその住所４５２１、選択知人名前「Ｆｒｅｄ  Ｍａｎｃｉｎｉ」４５１２とその付加情報４５３２、および利用者Ａ自身の名前「Ｓｔｅｖｅ  Ｃｈｅｎ」４５５１とその住所４５６１および付加情報４５７１が、セッション番号が「ｒ」であるセッションテーブルに記憶された（ステップＳ５８１１）。この段階では選択商品ＩＤの列４５４０および４５８０は空欄である。
【０２１１】
次に、送受信手段３１３１がセッション番号が「ｒ」であるセッションテーブルに記憶された利用者Ａの名前、住所および電子メールアドレスを含むＨＴＭＬコードを、ネットワーク３１９９を通じて端末Ａに送る。端末Ａの送受信手段３１１１がこのＨＴＭＬコードを受信すると、ＨＴＭＬ解析手段３１１２が解析した上で、図５９に示す、利用者Ａの名前、住所、および電子メールアドレスを含む画像をＧＵＩ表示手段３１１３に表示する。図５９に示す一例では、利用者Ａは、物品販売サービスＸの利用者ＩＤを保有していない。ただし、利用者Ａは、図５９の場合と異なり、物品販売サービスＸの利用者ＩＤを保有していてもよい。この段階でウィンドウ５８０１は、サーバＸのセッションテーブルに記憶された利用者Ａの情報が表示されている。図５９に示す一例では、利用者の名前５８３１は図４６に示すセッションテーブルのフィールド４５５１の情報、利用者Ａの住所５８４１はセッションテーブルのフィールド４５６１の情報、電子メール５８５１はセッションテーブルのフィールド４５７１の情報が表示されたものである。従来の物品販売サービスの商品購入方法によれば、購入する商品を選択した後、利用者の情報を入力する作業が必要であった。しかし、本実施形態においては、あらかじめサーバＶに記憶した利用者Ａの情報を、サーバＸのセッション番号が「ｒ」であるセッションテーブルに一時的に記憶してこれを利用するため、端末ＡをサーバＸと接続した状態で利用者Ａが自分の情報を入力する作業が省略できる。図５９のように利用者Ａの情報が表示された状態で、利用者Ａは入力手段３１１４を使って名前、住所、電子メールの各表示部に表示された情報を修正することもできる。
【０２１２】
次に、利用者Ａが入力手段３１１４を使って、カーソル４７０４を移動させ、確認ボタン５８０５を選択する。すると送受信手段３１１１が、利用者情報画面の確認情報を、ネットワーク３１９９を通じて、サーバＸに送る。サーバＸの送受信手段３１３１がこれを受信すると、検索手段３１３３が、図４６に示す状態にあるセッションテーブルに記憶された選択商品ＩＤを検索キーとして商品テーブルを検索し、ステップＳ５８０２で利用者Ａが選択した商品の商品情報を得る。次に、ＨＴＭＬ生成手段３１３２が、ステップＳ５８０２で選択された各商品の送付先を選択するための、送付先選択画面のＨＴＭＬコードを生成し、送受信手段３１３１がこれを、ネットワーク３１９９を通じて端末Ａに送る（ステップＳ５８１３）。端末Ａでは、送受信手段３１１１がこれを受信すると、ＨＴＭＬ解析手段３１１２が解析の上、ＧＵＩ表示手段３１１３が送付先選択画面を表示する。
【０２１３】
図４９に、端末Ａにおける物品販売サービスＸの送付先選択画面の一例を示す。送付先選択画面のウィンドウ４８０１は、送付先選択画面であることを表す表示４８０２を有する。図４９に示す一例では、利用者Ａは、物品販売サービスＸの利用者ＩＤを保有していない。ただし上述したように、利用者Ａが物品販売サービスＸの利用者ＩＤを保有していてもよい。さらにウィンドウ４８０１は、ショッピングカート表示部４８１０を有する。ショッピングカート表示部４８１０には、利用者ＡがステップＳ５８０２で選択した商品の商品情報が表示される。図４９に示す一例では、ショッピングカート表示部には、ステップＳ５８０２で選択された「花」に関する商品情報４８２１および４８２２と、「シャツ」に関する商品情報４８３１および４８３２が表示されている。さらに「花」に関連付けられて送付先選択部４８２３が、「シャツ」に関連付けられて送付先選択部４８３３が表示される。この時点では送付先選択部４８２３に関連付けられた送付先情報４８２４および４８２５は表示されていない。
【０２１４】
利用者Ａは入力手段３１１４を利用して、カーソル４８０４を移動させ、送付先選択部４８２３を選択する。送受信手段３１１１がこの選択情報を、ネットワーク３１９９を通じてサーバＸに送る。サーバＸの送受信手段３１３１がこの選択情報を受信すると、ＨＴＭＬ生成手段３１３２が、図４６に示すセッションテーブルに格納されている選択知人名前情報４５１１および４５１２と、利用者名前情報４５５１を含む、送付先選択画面のＨＴＭＬコードを生成し、送受信手段３１３１がこれを、ネットワーク３１９９を通じて端末Ａに送る。端末Ａでは、送受信手段３１１１がこのＨＴＭＬコードを受信し、ＨＴＭＬ解析手段３１１２が解析の上、ＧＵＩ表示手段３１１３が、選択知人名前および利用者名前を含む、送付先選択画面を表示する。この結果、図４９に示すように送付先選択部４８２３に関連付けられて、送付先選択肢が表示される。送付先の選択肢として表示されている「Ｊｏｈｎ  Ｂｒｏｗｎ」４８２４はセッション番号が「ｎ」であるセッションテーブルにおける選択知人名前４５１１に、また「Ｆｒｅｄ  Ｍａｎｃｉｎｉ」４８２５はセッションテーブルにおける選択知人名前４５１２に、また「Ｓｔｅｖｅ  Ｃｈｅｎ（自分）」４８２６はセッション番号が「ｎ」であるセッションテーブルにおける利用者名前４５５１に各々対応する。次に、利用者Ａは入力手段３１１４を利用して、カーソル４８０４を移動させ、選択肢「Ｊｏｈｎ  Ｂｒｏｗｎ」４８２４を選択することで、「花」を「Ｊｏｈｎ  Ｂｒｏｗｎ」に送ることを端末Ａに対して指定する。次に、送受信手段３１１１が「花」に対する「Ｊｏｈｎ  Ｂｒｏｗｎ」の選択情報を、ネットワーク３１９９を通じてサーバＸに送る（ステップＳ５８１４）。サーバＸの送受信手段３１３１がこれを受信すると、セッション番号が「ｒ」であるセッションテーブルが、選択商品ＩＤのフィールド４５４１に、選択された「花」の商品ＩＤであるＭＩＤ１を記憶する。
【０２１５】
またさらに、利用者Ａが入力手段３１１４を利用してカーソル４８０４を移動させ送付先選択部４８３３を選択する。上記と同様の処理により端末ＡのＧＵＩ表示手段３１１３が、図５０に示す画面を表示する。図５０に示す一例では、送付先選択部４９３３に関連付けられて、送付先選択肢が表示される。送付先の選択肢として表示されている「Ｊｏｈｎ  Ｂｒｗｏｎ」４９３４は、セッションテーブルにおける選択知人名前４５１１に、「Ｆｒｅｄ  Ｍａｎｃｉｎｉ」４９３５はセッションテーブルにおける選択知人名前４５１２に、また「Ｓｔｅｖｅ  Ｃｈｅｎ（自分）」４９３６は、セッションテーブルにおける利用者名前４５５１に各々対応する。次に、利用者Ａは入力手段３１１４を利用して、カーソル４９０４を移動させ、選択肢「Ｆｒｅｄ  Ｍａｎｃｉｎｉ」４９３５を選択することで、「シャツ」を「Ｆｒｅｄ  Ｍａｎｃｉｎｉ」に送ることを端末Ａに対して指定する。
【０２１６】
また、送受信手段３１１１が、「シャツ」に対する「Ｆｒｅｄ  Ｍａｎｃｉｎｉ」の選択情報を、ネットワーク３１９９を通じてサーバＸに送る（ステップＳ５８１４）。サーバＸの送受信手段３１３１がこれを受信すると、セッション番号が「ｒ」であるセッションテーブルが、選択商品ＩＤのフィールド４５４２に、選択された「シャツ」の商品ＩＤであるＭＩＤ２を記憶する。次に、利用者Ａは入力手段３１１４を利用して、カーソル４９０４を移動させ、確認ボタン４９０５を選択する。すると送受信手段３１１１が確認情報を、ネットワーク３１９９を通じてサーバＸに送る。この一例では、商品を知人に送る処理を用いて本実施形態を説明した。本実施形態は、商品を知人に送る以外にも、上記ステップＳ４５０８で、「Ｓｔｅｖｅ  Ｃｈｅｎ（自分）」４８２６または４９３６を選択することで、知人ではなく利用者自身への商品送付を指定することもできる。また、この一例では、ショッピングカートの「花」および「シャツ」について、端末Ａが選択情報を個別にサーバＸに送った。しかし、本実施形態は個別に送る以外にも、同時に送ってもよい。この時点で、セッション番号が「ｒ」であるセッションテーブルには、ステップＳ５８０１からＳ５８１４の処理によって、サーバＸが得た利用者Ａから知人に対する商品送付に必要なである、利用者Ａの送付者情報、送付先情報、および送付先ごとの商品ＩＤが記憶された状態となった。
【０２１７】
次に、送受信手段３１３１が、セッション番号が「ｒ」であるセッションテーブルの情報を、ネットワーク３１９９を通じて発送情報処理装置３１７０に送る（ステップＳ５８１５）。発送情報処理装置では、送受信手段３１７１がこれらの情報を受信する。図４６に示すように、知人「Ｊｏｈｎ  Ｂｒｏｗｎ」に関連付けられて住所および「花」に対応する商品ＩＤであるＭＩＤ１が記憶されている。このため、印刷手段３１７２が、発送者の情報として利用者Ａの名前４５５１と住所４５６１、および送付先の情報として「Ｊｏｈｎ  Ｂｒｏｗｎ」４５１１およびその住所４５２１を、配送伝票に印刷する。また、表示手段３１７３が印刷される伝票ＩＤと商品ＩＤの関連を表示し、これをもとにＭＩＤ１を有する商品の発送作業がおこなわれる（ステップＳ５８１６）。一方、利用者Ａが「シャツ」を送る処理を実行した「Ｆｒｅｄ  Ｍａｎｃｉｎｉ」４５１２についてはこの時点でセッション番号が「ｒ」であるセッションテーブルに住所が記憶されていないため、ステップＳ５８１６の処理が実行できない。この場合は、サーバＸのメッセージ生成手段３１３７が住所入力を要求するメッセージを作成し、送受信手段３１３１がこのメッセージを、セッション番号が「ｒ」であるセッションテーブルにある電子メールアドレス４５３２を宛先としてネットワーク３１９９を経由して送る。サーバＸの送受信手段３１１１が「Ｆｒｅｄ  Ｍａｎｃｉｎｉ」の情報端末より住所情報を受信すると、これをセッションテーブルの選択知人情報の列のフィールド４５２２に、「Ｆｒｅｄ  Ｍａｎｃｉｎｉ」４５１２と関連付けて記憶する。その後は、「Ｊｏｈｎ  Ｂｒｏｗｎ」と同様にステップＳ５８１５およびステップＳ５８１６が実行される。
【０２１８】
以上で、まず利用者Ａが物品販売サービスＸで商品を選択した後、利用者Ａが知人情報を記憶するネットサービスＶのサーバより、利用者Ａ自身の情報と知人情報を物品販売サービスのサーバＸに記憶させ、これらの情報を使って物品販売サービスＸで簡単に商品を送付する処理が完了した。
【０２１９】
次に、以上の実施形態２および実施形態３として説明した形態における本発明としての効果のいくつかを説明する。すでに述べたように、広告媒体となる各種ネットサービスと物品販売サービスとの連携において、最大の問題は、物品販売サービスにおける成約率が低いことである。一般に、広告経由で物品販売サービスに移動した利用者の成約率は１％から５％といわれる。このため、物品販売サービス、ネットサービスの双方にとって収益向上の余地が大きく、成約率の向上は事業的な観点から、最も重要な課題と位置づけられている。
【０２２０】
ネットサービス経由の利用者の、物品販売サービスにおける成約率向上のためには、２つの対処方法がある。第１の対処方法は、物品販売サービスにおいて、利用者が商品を購入する際の入力処理のステップ数を削減することである。第２の対処方法は、ネットサービスを使う利用者が、物品販売サービスへ移動する際の商品購入の動機を高めることである。このような状況において、本発明は例えば以下の５つの効果を生む。
【０２２１】
第１の効果は、本発明の一実施形態を利用するネットサービス経由で、本発明の一実施形態を利用する物品販売サービスに移動した場合、利用者情報の入力における離脱率を、従来の方法に比べて大幅に下げることができる点である。これは前記実施形態２に係る効果である。従来の方法では、利用者はネットサービスにおける広告リンクにしたがって物品販売サービスに移動する。その後利用者は、物品販売サービスで、商品の選択、利用者の名前や住所の登録、送付先の名前や住所の登録、さらに決済情報の登録を順に実行する。ネットサービスに表示された広告リンクにしたがって、物品販売サービスに移動した利用者の多くは、初めてその物品販売サービスを利用する利用者である。商品の選択は、商品をクリックするだけであり比較的容易であるが、利用者の名前や住所の入力は複雑であり、名前や住所の入力を要求された時点でその物品販売サービスを離脱する利用者が多い。従来の方法を使うすべての物品販売サービスでは、利用者情報の入力画面での離脱率が、成約率を下げる最も大きな原因となっている。一方、本発明の実施形態によれば、たとえば図４８や図５５の利用者情報入力画面において、ボタン４７０６やボタン５４０６をクリックするだけで、利用者の名前、住所および電子メールが表示される。このことで、利用者による入力ステップ数は大きく低減し、離脱率を下げることに寄与する。
【０２２２】
第２の効果は、本発明の実施形態を利用しないネットサービス経由で本発明の実施形態を利用する物品販売サービスに移動した利用者や、はじめから本発明の実施形態を利用する物品販売サービスを利用している利用者が、商品を購入する場合であっても、利用者情報や配送先情報の入力における離脱率を、従来の方法に比べて大幅に下げることができる点である。これは前記実施形態３に係る効果である。従来の方法では、本発明の実施形態に係る方法と異なり、ネットサービスのサーバに記憶する利用者情報を伴って、物品販売サービスに移動するわけではない。しかし、前記実施形態３で説明したように、物品販売サービスが本発明の方法を利用していれば、たとえば図５９に示すように、利用者が利用者自身の名前や住所を記憶する、本発明の方法を用いるネットサービスを選択することができる。図５９の一例では、選択ボタン５８１０や選択ボタン５８２０をクリックし、さらに図６０に示すように、その利用者が使うネットサービスの認証情報を入力するだけで、利用者の名前、住所および電子メールが表示される。前記実施形態２に比べると、図６０の認証情報入力が加わるが、それでも従来の方法による名前や住所の入力に比べれば、利用者による入力ステップ数は大きく低減し、離脱率を下げることに寄与する。
【０２２３】
第３の効果は、本発明の実施形態を利用する物品販売サービスにおいて、配送先の名前や住所の入力が簡略化される点である。従来の方法では、商品を送付する知人ごとに名前や住所を入力する必要があり、利用者による入力ステップが多いため、成約率を低下させる原因となっていた。特に複数の知人に、複数の種類のギフトを送ることを目的とした物品販売サービスにおいては、入力ステップが多いだけでなく、送付先と商品の間の多対多の関係を入力するユーザインタフェイスが複雑になるという問題があり、これも成約率を低下させる原因となっていた。しかし本発明の実施形態によれば、たとえば図４９や図５０に示すように、商品ごとに送付先の選択肢が表示され、送付先となる知人の名前をクリックするだけで、送付先の入力処理が終了する。これは従来の方法による名前や住所の入力処理と比較すると著しく入力ステップ数が少ない。またキーボードを用いる必要もないことから携帯情報端末による入力にも適する。これらのことから、物品販売サービスにおける成約率が向上する。
【０２２４】
第４の効果は、本発明の実施形態を利用するネットサービスの利用者が、物品販売サービスにおける高い購入動機を持った状態で、物品販売サービスに移動させることができる点である。従来の方法では、従来の方法では、ネットサービスは、物品販売サービスを一意に特定するＵＲＬをリンク情報として持ち、利用者はこのリンクに従って、物品販売サービスに移動する。この時、ネットサービスの利用者が、リンクをクリックする動機の多くは、商品の情報を閲覧するという点にある。このため、物品販売サービスに移動した後、商品の情報を閲覧するが、購入をせずに離脱する利用者の割合が多い。しかし、本発明の実施形態を利用するネットサービスの利用者は、利用者自身または知人を送付先として選択した状態で物品販売サービスに移動する。これは、「自分自身もしくは知人に商品を送る」という明確な意思を持った状態で物品販売サービスに移動することを意味する。このことが、物品販売サービスにおける成約率の向上を実現する。
【０２２５】
第５の効果は、本発明の実施形態を利用するネットサービスや物品販売サービスが増えても、各ネットサービスや各物品販売サービスのサーバに変更を加える必要がなく、連携するネットサービスと物品販売サービスの数を増やすことが容易である点である。いまたとえば、ネットサービスＸと物品販売サービスＶだけが前記実施形態２に示すように本発明の実施形態に係る方法で連携しているとする。このとき、ステップＳ３８０９で端末Ａの表示手段に表示される物品販売サービス選択画面は、図４３に示したものではなく、選択肢として、物品販売サービスＸ４２１１のみが表示されている画面である。その後、物品販売サービスＹが、ネットサービスＶと連携を開始した時、物品販売サービス選択画面は図４３に示したように変更されなければならない。このように、連携する物品販売サービスが増える度に、サーバＶのＨＴＭＬ生成手段３１５２が生成する物品販売サービス選択画面を変更することは現実的ではない。ところが、本発明の実施形態によれば、図４３のサービス選択部４２０５は、連携サーバＰ３１２０が端末Ａ３１１０に送って表示している。このため、ネットサービスＶが新たに物品販売サービスＹと連携した場合には、連携サーバＰのネットサービステーブル３１２５および物販サービステーブル３１２６の情報を更新するだけで、サーバＶには変更を加えることなく、ネットサービスＶと物品販売サービスＹとの、本発明による連携が実現する。
【０２２６】
同様に、ネットサービスＸと物品販売サービスＶだけが、前記実施形態３に示すような本発明の実施形態に係る方法で連携しているとする。Ｓ５８０５で端末Ａの表示するサービス選択画面は、図５９に示したものではなく、選択肢として、ネットサービスＶ５８１０のみが表示されている画面となる。その後ネットサービスＷが、物品販売サービスＸと連携を開始した時、サービス選択部５８０８は、図５９に示したように変更されなければならない。このように、連携するネットサービスが増える度に、サーバＸのＨＴＭＬ生成手段３１３２が生成するサービス選択画面を変更することは現実的ではない。ところが、本発明の実施形態によれば、図５９のサービス選択部５８０８はサーバＰ３１２０が端末Ａ３１１０に送って表示している。このため、物品販売サービスＸが新たにネットサービスＷと連携した場合には、連携サーバＰのネットサービステーブル３１２５および物販サービステーブル３１２６の情報を更新するだけで、サーバＸには変更を加えることなく、物品販売サービスＸとネットサービスＷとの、本発明による連携が実現する。この第５の効果は、図３２に示すように少数のネットサービスと物品販売サービスが連携する状況では重要ではないが、本発明の実施形態を利用する多数のネットサービスと、本発明の実施形態を利用する多数の物品販売サービスが連携する、いわば広告のプラットフォームを形成する際、各サービスにおけるサーバ改修コストの発散を防ぐという意味で、大きな効果がある。
【０２２７】
以上、本発明の実施形態の説明では、ネットサービスは利用者ＩＤに関連付けて利用者自身の名前や住所、および知人の名前や住所をそのサーバで記憶するサービスであるとした。このような名前および住所を有するネットサービスとしてはたとえば、顧客管理サービス、ポストカード作成サービス、イベント参加者の管理サービス、ギフト宛先管理サービスなどがある。このように、利用者および知人の名前や住所をあらかじめサーバに記憶しているネットサービスと、物品販売サービスが本発明の方法で連携した場合、利用者による情報入力のステップ数削減の効果は明らかであり、物品販売サービスにおける成約率向上に直結する。
【０２２８】
また、本発明におけるネットサービスは利用者ＩＤに関連付けて知人のＩＤを記憶するが、知人の名前や住所を記憶していないサービスでもよい。このようなサービスにはたとえば電子メール、音声通話、ＳＮＳ、ブログなどの機能を提供するサービスがある。このようなサービスではすべて、知人のＩＤを検索キーとして知人にメッセージを送る手段を有している。したがって、あらかじめ知人の名前や住所をネットサービスのサーバに記憶していなくても、ステップＳ４５１１またはステップＳ５８１４に先立って、このメッセージを送る手段を利用して、ネットサービスまたは物品販売サービスが、商品を受け取る知人に名前および住所を登録する依頼を送ることができる。知人がこのメッセージにしたがって、ネットサービスまたは物品販売サービスに、知人の名前および住所を登録すれば、ステップＳ４５１１およびＳ５８１４以下の処理を実行することができる。このように、物品販売サービスが、送付先となる知人の名前や住所をあらかじめそのサーバに記憶していないネットサービスとの連携で商品を送付する場合、名前や住所を入力するのは、商品を受け取る知人であり、商品を物品販売サービスで購入する利用者ではない。このため、このようなネットサービスとの連携であっても、従来の方法と比較して、物品販売サービスにおける利用者の入力ステップ数が削減でき、成約率向上が実現する。
【図１】
2011092933.tif 000003
【図２】
2011092933.tif 000004
【図３】
2011092933.tif 000005
【図４】
2011092933.tif 000006
【図５】
2011092933.tif 000007
【図６】
2011092933.tif 000008
【図７】
2011092933.tif 000009
【図８】
2011092933.tif 000010
【図９】
2011092933.tif 000011
【図１０】
2011092933.tif 000012
【図１１】
2011092933.tif 000013
【図１２】
2011092933.tif 000014
【図１３】
2011092933.tif 000015
【図１４】
2011092933.tif 000016
【図１５】
2011092933.tif 000017
【図１６】
2011092933.tif 000018
【図１７】
2011092933.tif 000019
【図１８】
2011092933.tif 000020
【図１９】
2011092933.tif 000021
【図２０】
2011092933.tif 000022
【図２１】
2011092933.tif 000023
【図２２】
2011092933.tif 000024
【図２３】
2011092933.tif 000025
【図２４】
2011092933.tif 000026
【図２５】
2011092933.tif 000027
【図２６】
2011092933.tif 000028
【図２７】
2011092933.tif 000029
【図２８】
2011092933.tif 000030
【図２９】
2011092933.tif 000031
【図３０】
2011092933.tif 000032
【図３１】
2011092933.tif 000033
【図３２】
2011092933.tif 000034
【図３３】
2011092933.tif 000035
【図３４】
2011092933.tif 000036
【図３５】
2011092933.tif 000037
【図３６】
2011092933.tif 000038
【図３７】
2011092933.tif 000039
【図３８】
2011092933.tif 000040
【図３９】
2011092933.tif 000041
【図４０】
2011092933.tif 000042
【図４１】
2011092933.tif 000043
【図４２】
2011092933.tif 000044
【図４３】
2011092933.tif 000045
【図４４】
2011092933.tif 000046
【図４５】
2011092933.tif 000047
【図４６】
2011092933.tif 000048
【図４７】
2011092933.tif 000049
【図４８】
2011092933.tif 000050
【図４９】
2011092933.tif 000051
【図５０】
2011092933.tif 000052
【図５１】
2011092933.tif 000053
【図５２】
2011092933.tif 000054
【図５３】
2011092933.tif 000055
【図５４】
2011092933.tif 000056
【図５５】
2011092933.tif 000057
【図５６】
2011092933.tif 000058
【図５７】
2011092933.tif 000059
【図５８】
2011092933.tif 000060
【図５９】
2011092933.tif 000061
【図６０】
2011092933.tif 000062
【国際調査報告】
2011092933.tif 000063
2011092933.tif 000064
2011092933.tif 000065
2011092933.tif 000066